(57)【要約】  露出した渦巻状上部表面を有する可撓性粘弾性材料の上部層を備えた身体支持体が開示されている。可撓性粘弾性材料は、網目状または非網目状セル構造を有することができる。いくつかの実施形態では、身体支持体の１つまたは複数の他の層は網目状粘弾性材料を含むことができ、使用者の体熱の範囲内の温度に反応する少なくとも１つの材料性状を有することができる。これらおよび他の実施形態では、可撓性材料の他の層の１つまたは複数は非粘弾性フォームを含んでおり、粘弾性フォームの１つまたは複数の層を備えた身体支持体内に組み合わせることができる。身体支持体は、高い弾力性のポリウレタンフォームの１つまたは複数の層を含む、他の材料のタイプの１つまたは複数の層を含むことができる。
2008543506.tif 000002
【特許請求の範囲】
【請求項１】
上部表面と、
上部表面の反対側にあり、支持クッションの厚さを画定する距離だけ上部表面から離れている底部表面と、
網目状セル構造を画定する複数のセルを有する可撓性フォームの層であって、網目状セル構造のセルは、これを通してほぼ開放セル壁がセルの内部と隣接するセルの内部の間に液体連通を確立する複数の骨格支持体を含み、可撓性フォームの層は約３０ｋｇ／ｃｍ3以上で約１７５ｋｇ／ｍ3未満の密度、および約２２℃で測定した４０％窪み力偏向で少なくとも約２０Ｎおよび約１５０Ｎ未満の硬度を有し、可撓性フォームの層は１０〜３０℃の範囲の温度変化に反応する少なくとも１つの材料性状を有する層とを備えた支持クッション。
【請求項２】
可撓性フォームの層は、約５０ｋｇ／ｃｍ3以上で約１３０ｋｇ／ｍ3未満の密度を有する、請求項１に記載の支持クッション。
【請求項３】
可撓性フォームの層は、約６０ｋｇ／ｃｍ3以上で約１１０ｋｇ／ｍ3未満の密度を有する、請求項１に記載の支持クッション。
【請求項４】
さらに、可撓性フォームの層の下に配置されたポリウレタンフォームの層を備えた支持体クッションであって、ポリウレタンフォームの層は少なくとも５０Ｎの硬度を有する、請求項１に記載の支持クッション。
【請求項５】
さらに、可撓性フォームの層の下に配置されたポリウレタンフォームの層を備えた支持体クッションであって、ポリウレタンフォームの層は少なくとも８０Ｎの硬度を有する、請求項１に記載の支持クッション。
【請求項６】
可撓性フォームの層およびポリウレタンフォームの層の少なくとも一方が、可撓性フォームの層とポリウレタンフォームの層の間に複数の空気流路を少なくとも部分的に画定する輪郭付き表面を有する、請求項４に記載の支持クッション。
【請求項７】
可撓性フォームの層は可撓性フォームの第１の層である支持クッションであって、網目状セル構造を画定する複数のセルを有し、１０〜３０℃の範囲で１０％未満の硬度変化に反応する温度変化を有すると共に、可撓性フォームの第１の層を支持する可撓性フォームの第２の層をさらに備えた、請求項１に記載の支持クッション。
【請求項８】
可撓性フォームの第１および第２の層の少なくとも一方は、可撓性フォームの第１と第２の層の間に複数の空気流路を少なくとも部分的に画定する輪郭付き表面を有する、請求項７に記載の支持クッション。
【請求項９】
さらに、可撓性フォームの第１および第２の層の下に配置されたポリウレタンフォームの層を備えた支持体クッションであって、ポリウレタンフォームの層は少なくとも５０Ｎの硬度を有する、請求項７に記載の支持クッション。
【請求項１０】
さらに、可撓性フォームの第１および第２の層の下に配置されたポリウレタンフォームの層を備えた支持体クッションであって、ポリウレタンフォームの層は少なくとも８０Ｎの硬度を有する、請求項７に記載の支持クッション。
【請求項１１】
可撓性フォームの層は可撓性フォームの第１の層である支持クッションであって、さらに、約３０ｋｇ／ｃｍ3以上で約１５０ｋｇ／ｍ3未満の密度、約２２℃で測定した４０％窪み力偏向で少なくとも約３０Ｎおよび約１７５Ｎ未満の硬度、および１０〜３０℃の範囲の温度変化に反応する少なくとも１つの材料性状を有する非網目状粘弾性セル構造を含む可撓性フォームの第２の層を含む請求項１に記載の支持クッション。
【請求項１２】
可撓性フォームの第１および第２の層の少なくとも一方は、可撓性フォームの第１と第２の層の間に複数の空気流路を少なくとも部分的に画定する輪郭付き表面を有する、請求項１１に記載の支持クッション。
【請求項１３】
可撓性フォームの第２の層は可撓性フォームの第１の層を支持する、請求項１１に記載の支持クッション。
【請求項１４】
可撓性フォームの第１および第２の層を支持する可撓性フォームの第３の層をさらに備えた支持体クッションであって、可撓性フォームの第３の層は網目状セル構造を画定する複数のセルを有し、１０〜３０℃の範囲で１０％未満の硬度変化に反応する温度変化を有する、請求項１３に記載の支持クッション。
【請求項１５】
さらに、可撓性フォームの第１および第２の層の下に配置されたポリウレタンフォームの層を備えた支持体クッションであって、ポリウレタンフォームの層は少なくとも５０Ｎの硬度を有する、請求項１３に記載の支持クッション。
【請求項１６】
可撓性フォームの第１の層は可撓性フォームの第２の層を支持する、請求項１１に記載の支持クッション。
【請求項１７】
可撓性フォームの第１および第２の層を支持すると共に、約３０ｋｇ／ｃｍ3以上で約１５０ｋｇ／ｍ3未満の密度、約２２℃で測定した４０％窪み力偏向で少なくとも約３０Ｎおよび約１７５Ｎ未満の硬度、および１０〜３０℃の範囲の温度変化に反応する少なくとも１つの材料性状を有する非網目状粘弾性セル構造を備えた可撓性フォームの第３の層をさらに備えた、請求項１６に記載の支持クッション。
【請求項１８】
可撓性フォームの第１および第２の層を支持する可撓性フォームの第３の層をさらに備えた支持体クッションであって、可撓性フォームの第３の層は網目状セル構造を画定する複数のセルを有し、１０〜３０℃の範囲で１０％未満の硬度変化に反応する温度変化を有する、請求項１６に記載の支持クッション。
【請求項１９】
さらに、可撓性フォームの第１および第２の層の下に配置されたポリウレタンフォームの層を備えた支持体クッションであって、ポリウレタンフォームの層は少なくとも５０Ｎの硬度を有する、請求項１６に記載の支持クッション。
【請求項２０】
上部表面、および上部表面の反対側に底部表面を有し、網目状セルフォームを含む可撓性材料の第１の層と、
可撓性材料の第２の層の両側に上部および底部表面を有し、可撓性材料の第１の層に隣接して配置され、可撓性材料の第１の層によって少なくとも部分的に支持され、非網目状粘弾性セルフォームを含む可撓性材料の第２の層とを備えた支持クッション。
【請求項２１】
可撓性材料の第１の層は、約２２℃および４０％の窪み力偏向で測定した、少なくとも約５０Ｎおよび約３００Ｎ未満の硬度を有する、請求項２０に記載の支持クッション。
【請求項２２】
可撓性材料の第１の層は、約２２℃および４０％の窪み力偏向で測定した、少なくとも約８０Ｎおよび約２５０Ｎ未満の硬度を有する、請求項２０に記載の支持クッション。
【請求項２３】
可撓性材料の第１の層は、約２０ｋｇ／ｃｍ3以上で約８０ｋｇ／ｍ3未満の密度を有する、請求項２０に記載の支持クッション。
【請求項２４】
可撓性材料の第１の層は、約２５ｋｇ／ｃｍ3以上で約６０ｋｇ／ｍ3未満の密度を有する、請求項２０に記載の支持クッション。
【請求項２５】
可撓性材料の第２の層は、約２２℃および４０％の窪み力偏向で測定した、少なくとも約３０Ｎおよび約１７５Ｎ未満の硬度を有する、請求項２３に記載の支持クッション。
【請求項２６】
可撓性材料の第２の層は、可撓性材料の第１の層によって支持される、請求項２０に記載の支持クッション。
【請求項２７】
可撓性材料の第１の層は、可撓性材料の第２の層によって支持される、請求項２０に記載の支持クッション。
【請求項２８】
約２２℃および４０％の窪み力偏向で測定した、少なくとも約５０ｋｇ／ｃｍ3の硬度を有するポリウレタンフォームの層をさらに備えた、請求項２７に記載の支持クッション。
【請求項２９】
ポリウレタンフォームの層は、可撓性材料の第１および第２の層を支持する、請求項２８に記載の支持クッション。
【請求項３０】
ポリウレタンフォームの層は、可撓性材料の第１と第２の層の間に配置されている、請求項２８に記載の支持クッション。
【請求項３１】
可撓性材料の第２の層およびポリウレタンフォームの層の少なくとも一方は、可撓性材料の第２の層とポリウレタンフォームの層の間に、複数の空気流路を少なくとも部分的に画定する輪郭付き表面を有する、請求項２８に記載の支持クッション。
【請求項３２】
可撓性フォームの第１および第２の層の少なくとも一方は、可撓性フォームの第１と第２の層の間に複数の空気流路を少なくとも部分的に画定する輪郭付き表面を有する、請求項２７に記載の支持クッション。
【請求項３３】
上部表面、および上部表面の反対側に底部表面を有し、網目状セルフォームを含む可撓性材料の第１の層と、
可撓性材料の第２の層の両側に上部および底部表面を有し、可撓性材料の第１の層に隣接して配置され、１０〜３０℃の範囲で少なくとも１０％の硬度変化に反応する温度変化を有する、約２２℃で測定した４０％窪み力偏向で少なくとも約３０Ｎおよび約１７５Ｎ未満の硬度を有するセルフォームを含む可撓性材料の第２の層とを備えた支持クッション。
【請求項３４】
露出した上部表面を有する粘弾性フォームを含む第１の層と、
上部表面の反対側にあり、支持クッションの厚さを画定する距離だけ上部表面から離れている底部表面とを備えた支持クッションであって、
上部層の露出した上部表面の少なくとも一部が、渦巻形状を有する、支持クッション。
【請求項３５】
第１の層の露出した上部表面を少なくとも部分的に覆うカバーをさらに備えた、請求項３４に記載の支持クッション。
【請求項３６】
第１の層は網目状セル構造を画定する複数のセルを備え、網目状セル構造のセルはこれを通してほぼ開放セル壁がセルの内部と隣接するセルの内部の間に液体連通を確立する複数の骨格支持体を含む、請求項３４に記載の支持クッション。
【請求項３７】
第１の層は、約３０ｋｇ／ｃｍ3以上で約１７５ｋｇ／ｍ3未満の密度、および約２２℃で測定した４０％窪み力偏向で少なくとも約２０Ｎおよび約１５０Ｎ未満の硬度を有するフォームを含み、可撓性フォームの層は１０〜３０℃の範囲の温度変化に反応する少なくとも１つの材料性状を有する層とを備えている、請求項３６に記載の支持クッション。
【請求項３８】
第１の層は、約５０ｋｇ／ｃｍ3以上で約１３０ｋｇ／ｍ3未満の密度を有するフォームを含む、請求項３７に記載の支持クッション。
【請求項３９】
第１の層は、約６０ｋｇ／ｃｍ3以上で約１１０ｋｇ／ｍ3未満の密度を有するフォームを含む、請求項３７に記載の支持クッション。
【請求項４０】
さらに、第１層の下に配置されたポリウレタンフォームの第２の層を備えた支持体クッションであって、ポリウレタンフォームの第２の層は少なくとも５０Ｎの硬度を有する、請求項３４に記載の支持クッション。
【請求項４１】
さらに、第１層の下に配置されたポリウレタンフォームの第２の層を備えた支持体クッションであって、ポリウレタンフォームの第２の層は少なくとも８０Ｎの硬度を有する、請求項３４に記載の支持クッション。
【請求項４２】
さらに、第１の層を支持する可撓性フォームの第２の層であって、可撓性フォームの第２の層は、網目状セル構造を画定する複数のセルを有し、１０〜３０℃の範囲で１０％未満の硬度変化に反応する温度変化を有する、請求項３４に記載の支持クッション。
【請求項４３】
第１の層は、約３０ｋｇ／ｃｍ3以上で約１５０ｋｇ／ｍ3未満の密度、約２２℃で測定した４０％窪み力偏向で少なくとも約３０Ｎおよび約１７５Ｎ未満の硬度、および１０〜３０℃の範囲の温度変化に反応する少なくとも１つの材料性状を有する非網目状粘弾性セル構造を有する粘弾性フォームを含んでいる、請求項４２に記載の支持クッション。
【発明の詳細な説明】
【技術分野】
【０００１】
関連出願の相互参照
その内容全体を本明細書に参照として援用する、２００５年６月２４日に出願の米国特許出願第１１／１６６，５９４号、および２００５年１１月２日に出願の米国特許出願第１１／２６５，４１０号に対する優先権をここに主張する。
【背景技術】
【０００２】
従来の身体支持体は、幅広い様々な形状および寸法で見つけることができ、しばしば使用者の１つまたは複数の身体部分を支持するのに適応されている。本明細書で使用されているように、「身体支持体」という用語は、これに限るものではないが、あらゆる位置の人間または動物の１つまたは複数の部分または全てを支持するように構成されたあらゆる変形可能要素を含んでいる。身体支持体の例としては、ベッド、シート、および他の応用例で使用するためのものを含むマットレス、枕、およびクッションが挙げられる。
【０００３】
多くの身体支持体は、全体的にまたは部分的に発泡材料で構成されている。例えば、ポリウレタンフォームは多くのマットレス、枕およびクッションで共通して使用され、単独でまたは他のタイプのクッション材料と組み合わせて使用することができる。多くの身体支持体では、粘弾性材料が使用されて、使用者に適合し、それによって使用者の重量または他の負荷を分配する大きな能力を身体支持体に与える。いくつかの粘弾性身体支持材料はまた感熱性があり、それによってまた、身体支持体が支持した身体部分の温度に部分的に基づいて形状を変えることが可能になる。
【発明の開示】
【発明が解決しようとする課題】
【０００４】
１つまたは複数の粘弾性材料で構成した身体支持体の数およびタイプは増え続けるが、このような材料の能力はしばしば十分利用されていない。多くの場合、このような不十分な利用は、悪い身体支持体設計および／または身体支持体で使用される（１つまたは複数の）材料の選択によるものである。
【０００５】
既存の身体支持体の制限、および幅広い様々な応用例での改良型の身体支持体に対する高い消費者需要に少なくとも部分的に基づき、新規の身体支持体は当技術分野に対する歓迎される追加である。
【課題を解決するための手段】
【０００６】
本発明のいくつかの実施形態は、露出した上表面と、上表面の反対側にあり、支持クッションの厚さを画定する距離だけ上表面から離れている底部表面を有する粘弾性フォームを備えた第１の層を備えた支持クッションを提供し、上部層の露出した上表面の少なくとも一部は渦巻状の形状を有する。
【０００７】
本発明のさらなる態様は、その組織および動作と共に、添付の図面と合わせて本発明の以下の詳細な説明から明らかになるだろう。同様の要素は、図面全体を通して同様の番号を有する。
【発明を実施するための最良の形態】
【０００８】
本発明の様々な実施形態を詳細に説明する前に、本発明は以下の説明に記載する、または図面に例示する構成部品の構成および配置の詳細にその応用例を限るものではないことを理解されたい。本発明は、他の実施形態が可能であり、様々な方法で実施または行うことが可能である。また、装置または要素配向を参照して本明細書で使用する語句および用語（例えば、「前部」、「後部」、「上部（ｕｐ）」、「下部」、上部（ｔｏｐ）」、「底部」などの用語）は、本発明の説明を簡単にするために使用されているだけであり、これだけで言及した装置または要素が特定の配向を有していなければならないということを示すまたは暗示するものではないことを理解されたい。加えて、「第１の」、「第２の」および「第３の」などの用語は説明する目的で本明細書および付属の特許請求の範囲で使用されており、相対的な重要性または重大性を示すまたは暗示することを意図したものではない。本明細書での「含んでいる」、「備えている」または「有する」、およびその変更形態の使用は、これ以下に挙げる項目およびその相当物と、追加の項目を含むことを意味している。そうでないと限定されない限り、本明細書での「連結された」、「結合された」という用語、およびその変更形態は広義で使用され、直接および間接連結および結合を含んでいる。加えて、「連結された」、「結合された」という用語およびその変更形態は、物理的または機械的連結または結合に制約されているものではない。
【０００９】
本発明の一実施形態による身体支持体１０２が、図１、１Ａおよび１Ｂに示されており、開放セル非網目状粘弾性フォーム（時々、「メモリフォーム」または「低弾力性フォーム」と呼ぶ）を含む上部層１１０と、網目状非粘弾性フォームを含む底部層１１２の２つの材料層を含んでいる。いくつかの実施形態では、上部層１１０はそこに固定されることなく底部層１１２上に載ることができる。しかし他の実施形態では、上部層１１０および底部層１１２は、接着性または粘着性結合材料によって、上部層１１０および底部層１１２の形成中に互いに結合されることによって、上部層１１０および底部層１１２を通して少なくとも部分的に延びているテープ、フックおよびループファスナ材料、従来のファスナ、ステッチによって、またはあらゆる他の適切な方法によって互いに固定されている。
【００１０】
上部層１１０および底部層１１２はそれぞれ、図１に示すように、ほぼ平らな上部および底部表面１１６、１１８、１２０、１２２を有するほぼ平らな物体であってもよい。しかし他の実施形態では、上部層１１０および底部層１１２のいずれかまたは両方の上部および底部表面１１６、１１８、１２０、１２２の１つまたは複数は、これに限るものではないが、あらゆる形状および寸法のリブ、隆起および他の突起を有する表面、溝、窪み、およびそれぞれの層１１０、１１２などを通して部分的にまたは全体的に延びている他の開口部を有する表面を含む、非平面であってもよい。このような代替表面形状を、本発明の他の実施形態に関連して以下により詳細に説明する。また、少なくとも部分的に身体支持体１０２の応用例（すなわち、身体支持体１０２によって画定された、または身体支持体１０２が中で利用されている製品）によって、上部層１１０および底部層１１２のいずれかまたは両方は平らではない形状をしていてもよい。例としてのみ、層１１０および１１２のいずれかまたは両方はほぼ楔形状をしていてもよい、凹状または凸状断面形状を有することができる、凹凸形状の組み合わせを有することができる、段付き、面付き、または他の形状をしていてもよく、複雑なまたは不規則な形状をしていてもよく、および／またはあらゆる他の所望の形状をしていてもよい。このような代替形状の例を、本発明の他の実施形態に関連して以下により詳細に示す。
【００１１】
いくつかの実施形態では、上部層１１０は使用者の身体または身体部分（これ以下、「身体」と呼ぶ）に比較的柔らかく快適な表面を提供する。粘弾性フォームの遅い回復特徴と組み合わせて、上部層１１０はまた使用者の身体に適合することができ、それによって使用者の身体によって上部層１１０に加えられる力を分配することができる。いくつかの実施形態では、上部層１１０は、所望の柔らかさおよび身体適合品質に対して、少なくとも約３０Ｎおよび約１７５Ｎ以下の硬度を有する。他の実施形態では、少なくとも約４０Ｎおよび約１１０Ｎ以下の硬度を有する上部層１１０がこの目的で利用される。さらに他の実施形態では、少なくとも約４０Ｎおよび約７５Ｎ以下の硬度を有する上部層１１０が利用される。そうでないと特定されない限り、本明細書で言及する材料の硬度は、（材料の試料の表面積を画定する）それぞれ４０ｃｍの長さおよび幅寸法、およびほぼ室温（例えば、２１〜２３℃）で材料の元の厚さの４０％の圧縮に対して５ｃｍの厚さを有する材料の試料に対してプレートから圧力を加えることによって測定され、４０％圧縮は国際標準化機構（ＩＳＯ）２４３９硬度測定基準にしたがって、設定期間だけ保持される。
【００１２】
上部層１１０はまた、比較的高い程度の材料耐久性を提供する密度を有することができる。上部層１１０内のフォームの密度は、上部層１１０が圧力に応答する方法、およびフォームの感触などのフォームの他の特徴に影響を与える可能性がある。いくつかの実施形態では、上部層１１０は約３０ｋｇ／ｃｍ3以上で約１５０ｋｇ／ｍ3以下の密度を有する。他の実施形態では、約４０ｋｇ／ｃｍ3以上で約１２５ｋｇ／ｍ3以下の密度を有する上部層１１０が利用されている。さらに他の実施形態では、約６０ｋｇ／ｃｍ3以上で約１１５ｋｇ／ｍ3以下の密度を有する上部層１１０が利用されている。
【００１３】
上部層１１０の粘弾性フォームは、あらゆる範囲の温度に対する応答性に対して選択することができる。しかしいくつかの実施形態では、使用者の体温の範囲内の（すなわち、身体支持体１０２がその上にある使用者の身体との接触または近接によって曝される温度の範囲内の）温度反応性はかなりの利点を与えることができる。例えば、上部層１１０から選択した粘弾性フォームは少なくとも約０℃を超える温度変化に応じることができる。いくつかの実施形態では、上部層１１０に対して選択した粘弾性フォームは少なくとも約１０℃の範囲内の温度変化に応じることができる。他の実施形態では、上部層１１０に対して選択した粘弾性フォームは少なくとも約１５℃の範囲内の温度変化に応じることができる。
【００１４】
本明細書および頭記の特許請求の範囲で使用するように、材料が約１０から３０℃の間の温度範囲を通してＩＳＯ標準３３８６によって測定された少なくとも１０％の硬度の変化を示す場合に温度変化に「応じる」と考えられる。
【００１５】
次に図１、１Ａ、および１Ｂの図示した実施形態を参照すると、図示した身体支持体１０２の上部層１１０は、個別のセルの壁面が実質的に無傷である可撓性粘弾性ポリウレタンフォームのセル構造を備えている。いくつかの実施形態では、網目状フォームを含む底部層１１２は、少なくとも部分的に底部層１１２のフォームのセル構造により、上部層１１０内の熱を少なくすることができる。図１Ｂを参照すると、例えば、底部層１１２のフォームのセルは基本的に、１つのセルを互いから離すセル壁の多く（実質的に全てではない場合）が存在しない骨格構造である。すなわち、セルは複数の支持体または「窓」によって、およびセル壁なしで、実質的になしで、または実質的に少ない数のセル壁で画定される。このようなセルフォーム構造は時に、「網目状」フォームと呼ばれる。いくつかの実施形態では、フォームのセルを画定する壁面の少なくとも５０％が存在しない（すなわち、取り除かれた、またはフォームの製造過程中に形成することが決して可能ではない）場合に、「網目状」であると考えられる。
【００１６】
また、いくつかの実施形態では、網目状非粘弾性フォームの底部層１１２は、使用者の身体を支持する場合に上部層１１０によって受ける温度とは実質的に無関係である（すなわち、使用者の体熱とは無関係である）ある程度の支持を提供することが可能であることが望ましい。したがって、底部層１１２は約１０℃から約３５℃の間の範囲内の温度変化とは実質的に関係のない網目状非粘弾性フォームを備えることができる。本明細書に使用するように、約１０から３０℃の間の温度範囲を通してＩＳＯ標準３３８６によって測定された１０％未満の硬度の変化を示す場合に温度変化に「実質的に無関係」である。いくつかの実施形態では、底部層１１２は、約１５℃から約３０℃の間の範囲内の温度に実質的に無関係である網目状非粘弾性フォームを含むことができる。さらに他の実施形態では、約１５℃から約２５℃の間の範囲内の温度に実質的に無関係である網目状非粘弾性フォームを含む底部層１１２を使用することができる。
【００１７】
図１および１Ｂに示す底部層１１２の骨格セル構造のために、上部層１１０内の熱は上部層１１０から離れるように伝達することができ、それによって上部層１１０内で比較的低い温度を保持するのを助けることができる。また、底部層１１２の網目状非粘弾性フォームは、底部層１１２内に、そこから、およびそこを通した明らかにより高い空気流、すなわち上部層１１０内で比較的低い温度を保持するのを助けることを可能にする底部層１１２の特徴が可能になる。
【００１８】
上部層１１０と同様に、底部層１１２は比較的高い程度の材料耐久性を提供する密度を有することができる。また、底部層１１２内のフォームの密度は、底部層１１２が圧力に反応する方法、およびフォームの感触などのフォームの他の特徴に影響を与える可能性がある。いくつかの実施形態では、底部層１１２は約２０ｋｇ／ｃｍ3以上で約８０ｋｇ／ｍ3未満の密度を有する。他の実施形態では、約２５ｋｇ／ｃｍ3以上で約６０ｋｇ／ｍ3未満の密度を有する底部層１１２が利用されている。さらに他の実施形態では、約３０ｋｇ／ｃｍ3以上で約４０ｋｇ／ｍ3未満の密度を有する底部層１１２が利用されている。
【００１９】
またいくつかの実施形態では、底部層１１２は少なくとも約５０Ｎおよび約３００Ｎ未満の硬度を有する。他の実施形態では、少なくとも約８０Ｎおよび約３００Ｎ未満の硬度を有する底部層１１２が利用されている。さらに他の実施形態では、少なくとも約９０Ｎおよび約１８０Ｎ未満の硬度を有する底部層１１２が利用されている。
【００２０】
図１〜１Ｂに示す身体支持体１０２は、上部層１１０と少なくとも同じ厚さである底部層１２０を有することができ、それによって、いくつかの実施形態では、比較的温度に無関係である大きな通気および／または放熱層を提供することができる。いくつかの実施形態では、底部層１１２は上部層１１０の少なくとも半分の厚さである。他の実施形態では、底部層１１２は上部層１１０と少なくともほぼ同じ厚さである。さらに他の実施形態では、底部層１１２は上部層１１０の少なくとも約２倍の厚さである。
【００２１】
図１、１Ａおよび１Ｂに示す身体支持体１０２は、マットレス、マットレス上層、オーバーレイ、または布団であり、単に例としてこのような形で示されている。上に記載した身体支持体１０２の特性は、あらゆる寸法および形状を有するあらゆる他のタイプの身体支持体に適用することができることが分かるだろう。単に例として、これらの特性は頭用枕、シートクッション、シートバック、首枕、脚部スペーサ枕、アイマスク、および人間または動物の身体のあらゆる部分または全てを支持するまたはその衝撃を和らげるのに使用されるあらゆる他の要素に同様に適用可能である。したがって、本明細書および頭記の特許請求の範囲に使用するように、「身体支持体」という用語は、（マットレス、マットレス上層、オーバーレイ、または布団に加えて）このような要素のいずれかおよび全てのことを言うことを意図している。また、本明細書に記載および図示する身体支持体はそれぞれ、マットレス、マットレス上層、オーバーレイ、布団または枕などの特定の形で示されていることに留意すべきである。しかし、そうでない場合は本明細書の記載にないが、このような身体支持体それぞれの特性のいずれかまたは全ては、上に記載した様々なタイプの身体支持体を含む、あらゆる他の形状および寸法を有するあらゆる他のタイプの身体支持体に適用することができる。
【００２２】
図２および２Ａは、本発明による身体支持体の別の実施形態を示している。本実施形態は、図１〜１Ｂに関連して上に記載した身体支持体の実施形態と同じ構造の多くを利用しており、同じ性状の多くを有する。したがって、以下の説明は基本的に、図１〜１Ｂに関連して上に記載した実施形態と異なる構造および特性を中心に扱う。構造および特性に関する追加の情報、および図２および２Ａに図示し、以下に説明する支持体の構造および特性への可能な代替形態に対して、図１〜１Ｂに関する上の説明を参照すべきである。図１〜１Ｂの実施形態の構造および特性に対応する図２および２Ａに示す実施形態の構造および特性は、これ以下２００系の参照番号で示す。
【００２３】
図１〜１Ｂに示す実施形態と同様に、図２および２Ａに示す身体支持体２０２は、開放セル非網目状粘弾性フォームを含む上部層２１０と、網目状非粘弾性フォームを含む下にある層２１２とを有する。いくつかの実施形態では、身体支持体２０２はしたがって、上に記載した望ましい柔らかさ、身体適合性、通気および熱伝達性を提供することができる。図２および２Ａに示す身体支持体２０２はさらに、網目状非粘弾性フォームの層２１２の下に底部層２１４を備えている。したがって、網目状非粘弾性フォームの層２１２は、身体支持体２０２の上部層２１０と底部層２１４の間に配置された中間層２１２である。
【００２４】
図２および２Ａに示す身体支持体２０２の底部層２１４は、図２Ａによく示すように、可撓性ポリウレタンフォームのセル構造を備えている。いくつかの実施形態では、中間層２１２はそこに固定されることなく底部層２１４の上に載ることができる。しかし他の実施形態では、中間層２１２および底部層２１４は、図１〜１Ｂに示した実施形態の上部層１１０と底部層１１２の間の可能なタイプの連結に関して上に説明した方法のいずれかで互いに固定されている。これに関して、そうでない場合は本明細書の記載にないが、本明細書に開示した身体支持体の実施形態のいずれかの材料のあらゆる隣接する層は、（図１〜１Ｂに示した実施形態で上部層１１０と底部層１１２の間の可能なタイプの連結に関して）上に記載した方法のいずれかで互いに永久的にまたは開放可能に固定することができる、または連結を外すことができることに留意すべきである。
【００２５】
上部層２１０、中間層２１２、および底部層２１４はそれぞれ、図２に示すようにほぼ平らな上部および底部表面２１６、２１８、２２０、２２２、２２４、２２６を有するほぼ平らな物体であってもよい。しかし、上部および底部表面のいずれかまたは全ては、図１〜１Ｂに示す実施形態の表面１１６、１１８、１２０、１２２に関して上に記載した非平面形状のいずれかを有することができる。また、身体支持体２０２の応用例（すなわち、身体支持体２０２によって画定された、または身体支持体２０２が中で利用されている製品）によって、上部層２１０、中間層２１２、および底部層２１４のいずれかまたは両方は、図１〜１Ｂに示す実施形態に関して上に記載した形状のいずれかを含む、平らでない形状を有することができる。
【００２６】
そうでない場合は本明細書の記載にないが、本明細書に開示した身体支持体実施形態のいずれかの材料層のいずれかまたは全てはほぼ平らであってもよい、または図１〜１Ｂに示す実施形態に関して上に記載した形状のいずれかを含む平らでないあらゆる形状を有することができる。また、そうでない場合は本明細書の記載にないが、本明細書に開示した身体支持体実施形態のいずれかの材料層のいずれかまたは全てのいずれかの面または両方の対向する面の表面は、ほぼ平らであってもよい、または代わりに図１〜１Ｂに示す実施形態の表面１１６、１１８、１２０、１２２に関して上に記載した非平面形状のいずれかを有することができる。
【００２７】
いくつかの実施形態では、底部層２１４は上部層２１０および中間層２１２が上にある比較的堅い基板を提供し、さらに（底部層２１４の形状に使用者の重量が影響を与える程度に）使用者快適性を与えるような変形可能性の程度を有する支持層である。したがって、底部層２１４は上部層２１０および中間層２１２より大きな弾力性を有することができる。いくつかの実施形態では、底部層２１４は、望ましい程度の支持および快適性のために、少なくとも約５０Ｎおよび約３００Ｎ未満の硬度を有する。他の実施形態では、この目的で、少なくとも約８０Ｎおよび約２５０Ｎ未満の硬度を有する底部層２１４が利用されている。さらに他の実施形態では、少なくとも約９０Ｎおよび約１８０Ｎ未満の硬度を有する底部層２１４が利用されている。
【００２８】
少なくとも部分的に上部層２１０および中間層２１２の厚さおよび材料性状によって、いくつかの実施形態では、底部層２１４は身体支持体２０２の上にいる使用者からの実質的な体熱に曝すことができる。このような実施形態では、底部層２１４のフォームは、約１０℃と約３５℃の間の範囲内で（上に規定したように）温度変化に実質的に無関係であるように選択することができ、それによって底部層２１４を曝すことができる身体温度の範囲全体を通して底部層２１４に望ましい支持性状を維持することができる。いくつかの実施形態では、底部層２１４は、約１５℃から約３０℃の間の範囲内で温度変化に実質的に無関係であるフォームを備えることができる。さらに他の実施形態では、約１５℃から約２５℃の間の範囲内で温度変化に実質的に無関係であるフォームの底部層２１４を使用することができる。
【００２９】
上部層２１０および中間層２１２と同様に、底部層２１４は比較的高い程度の材料耐久性を提供する密度を有することができる。また、底部層２１４内のフォームの密度は、底部層２１４が圧力に反応する方法、およびフォームの感触などのフォームの他の特徴に影響を与える可能性がある。いくつかの実施形態では、底部層２１４は約２０ｋｇ／ｃｍ3以上で約８０ｋｇ／ｍ3未満の密度を有する。他の実施形態では、約２５ｋｇ／ｃｍ3以上で約６０ｋｇ／ｍ3未満の密度を有する底部層２１４が利用されている。さらに他の実施形態では、約３０ｋｇ／ｃｍ3以上で約４０ｋｇ／ｍ3未満の密度を有する底部層２１４が利用されている。
【００３０】
図２に示す身体支持体２０２は、上部層２１０および中間層２１２の組み合わせと少なくとも同じ厚さである底部層２１４を有することができ、それによって上部層２１０および中間層２１２に実質的な支持を与えることができる。いくつかの実施形態では、底部層２１４は、上部層２１０および中間層２１２の組み合わせた厚さの少なくとも約３分の２である。また、いくつかの実施形態では、底部層２１４は上部層２１０および中間層２１２の組み合わせた厚さの少なくとも半分である。
【００３１】
図２Ｂは、本発明による身体支持体の別の実施形態を示している。本実施形態は、図１〜２Ａに関連して上に記載した身体支持体の実施形態と同じ構造の多くを利用しており、同じ性状の多くを有する。したがって、以下の説明は基本的に、図１〜２Ａに関連して上に記載した実施形態と異なる構造および特性を中心に扱う。構造および特性に関する追加の情報、および図２Ｂに図示し、以下に説明する支持体の構造および特性への可能な代替形態に対して、図１〜２Ａに関する上の説明を参照すべきである。図１〜２Ａの実施形態の構造および特性に対応する図２Ｂに示す実施形態の構造および特性は、これ以下２００系の参照番号で示す。
【００３２】
図２および２Ａに示す実施形態と同様に、図２Ｂに示す身体支持体２０２は、開放セル非網目状粘弾性フォームを含む上部層２１０’と、網目状非粘弾性フォームを含む下にある層２１２’と、（いくつかの実施形態では、図２および２Ａに関して上により詳細に記載したように、比較的高い弾力性、温度無関係性、密度、および／または厚さを有するフォームを含む）可撓性ポリウレタンフォームのセル構造を含む底部層２１４’とを有する。したがって、身体支持体２０２’は、上に記載した望ましい柔らかい身体適合、通気および熱伝達性を提供することができ、また上部層２１０’および中間層２１２’に支持を提供することができる。
【００３３】
上に記載したように、本発明のいくつかの実施形態は、あらゆる形状および寸法のリブ、隆起および他の突起を有する表面、溝、窪み、およびそれぞれの層を通して部分的にまたは全体的に延びている他の開口部を有する表面などの、非平面である１つまたは複数の表面を有する材料の１つまたは複数の層を利用する。図３に示す身体支持体２０２’は、このような身体支持体の一例である。また、図３に示す身体支持体２０２’は、上部層２１０’の非平面上部表面２１６’を利用して身体支持体２０２’に追加の特性を提供することができる方法の一例である。特に、図示した身体支持体２０２’の非平面上部表面２１６’は渦巻状である。渦巻表面の特性は、図４に示す実施形態に関して以下により詳細に記載する。別の方法では、非平面上部表面２１６’は、図４に示した実施形態に関して以下に記載した、および／または図１〜１Ｂに示した実施形態に関して以下に記載した他の形態のいずれかをとることができる。
【００３４】
いくつかの実施形態では、粘弾性フォームの上部層２１０’の非平面上部表面２１６’は優れた程度の放熱を行うことができる。またあるいは別の方法では、非平面上部表面２１６’は、非平面上部表面２１６’と異なる方法で望ましい圧力分配を行うことができる。
【００３５】
以下により詳細に記載するように、本明細書に開示した身体支持体実施形態のいずれかは、このような身体支持体のいずれかの部分または全てを覆う１つまたは複数のカバーを備えることができる。例として、図２Ｂに示す身体支持体２０２’は、身体支持体２０２’の３つの層２１０’、２１２’、２１４’全てを囲むカバー２７２’を有する。カバー２７２’の特性および構成と、その可能な代替形態に関するさらなる詳細は、図４３に示す実施形態に関して以下により詳細に論じる。
【００３６】
螺旋状上部表面２１６’を有する粘弾性フォームの上部層２１０’を有する身体支持体２０２’と合わせて使用され、カバー２７２’は身体支持体２０２’に望ましい外観を提供することができる。カバー２７２’は、身体支持体２０２’の非平面上部表面２１６’の一部または全ての形状を使用者が見ることを可能にする材料を含むことができる。例えば、図２Ｂには示さないが、カバー２７２’の上部表面は、下にある上部層２１０’の螺旋部の少なくとも一部を示すことができる。非平面上部表面２１６’の形状がカバー２７２’の下で見える程度は、カバー２７２’の厚さ、カバー材料、および身体支持体２０２’上のカバー２７２’のはめ込み（例えば、張ったまたは緩いはめ込み）に少なくとも部分的によるものである。本明細書に記載したようなカバー２７２’は、粘弾性上部層２１０’の他の非平面上部表面２１６’のいずれかの部分または全てを覆うことができ、下にある上部層形状のあらゆる程度の可視性を提供することができることが分かるだろう。
【００３７】
図２Ｂに示す身体支持体２０２’は網目状非粘弾性フォームの層２１２’の頂上の（螺旋状上部表面２１６’を有する）粘弾性フォームの上部層２１０’と、比較的高い弾力性フォームの層２１４’とを有するが、粘弾性フォームを含む上部層を有する、本明細書に開示した身体支持体実施形態のいずれかは（以下により詳細に説明するように、非網目状であるか網目状であるかに関わらず）、ちょうど説明したように非平面上部表面を有することができることに留意すべきである。
【００３８】
図３は、本発明による身体支持体の別の実施形態を示している。本実施形態は、本実施形態は、図２および２Ａに関連して上に記載した身体支持体の実施形態と同じ構造の多くを利用しており、同じ性状の多くを有する。したがって、以下の説明は基本的に、図２および２Ａに関連して上に記載した実施形態と異なる構造および特性を中心に扱う。構造および特性に関する追加の情報、および図３に図示し、以下に説明する支持体の構造および特性への可能な代替形態に対して、図２および２Ａに関する上の説明を参照すべきである。図２および２Ａの実施形態の構造および特性に対応する図３に示す実施形態の構造および特性は、これ以下３００系の参照番号で示す。
【００３９】
図２および２Ａに示す身体支持体２０２と同様に、図３に示す身体支持体３０２は、開放セル非網目状粘弾性フォームを含む上部層３１０を備え、その下に身体支持体３０２の中間層３１２および底部層３１４がある。しかし、中間層３１２および底部層３１４の材料は、図２および２Ａに示す身体支持体２０２と比較して切り換えられる。したがって、図３に示す身体支持体３０２の中間層３１２は比較的弾力性のある可撓性ポリウレタンフォームを含み、身体支持体３０２の底部層３１４は網目状非粘弾性フォームを含んでいる。中間層３１２の比較的高い弾力性フォームが、図２および２Ａに示す実施形態に関して上により詳細に記載されており、底部層３１４の網目状非粘弾性フォームは、図１〜１Ｂに示す実施形態に関して上により詳細に記載されている。
【００４０】
図３に示す実施形態では、網目状非粘弾性フォームは、図２に示すような別の中間層の下にあるこのような材料層ではなく、比較的高い弾力性フォームの隣接する下にある層によって所望の程度の支持を備えることができる。図３に示す構造では、中間層３１２は、少なくとも部分的に上部層３１０および中間層３１２の厚さによって、優れた使用者支持を提供することができる。いくつかの実施形態では、網目状非粘弾性フォームの底部層３１４は、少なくとも部分的に底部層３１４のフォームの網目状セル構造により、中間層３１２（および、いくつかの実施形態では、上部層３１０）内の熱を少なくすることができる。
【００４１】
図３に示す身体支持体３０２は、上部層３１０に所望の程度の支持を提供するように、上部層３１０と少なくとも同じ厚さである中間層３１２を有することができる。いくつかの実施形態では、この目的で、中間層３１２は上部層３１０の約２倍の厚さであってもよい。他の実施形態では、上部層３１０の約３倍の厚さである中間層３１２がこの目的で使用されている。
【００４２】
図３をさらに参照して、身体支持体３０２は、中間層３１２（および、いくつかの実施形態では、上部層３１０）から熱を運ぶように、上部層３１０および中間層３１２の組み合わせた厚さの少なくとも約０．０７倍の厚さである底部層３１４を有することができる。いくつかの実施形態では、底部層３１４はこの目的では、上部層３１０および中間層３１２の組み合わせた厚さの少なくとも約０．１５倍であってもよい。他の実施形態では、上部層３１０および中間層３１２の組み合わせた厚さの少なくとも約０．２５倍である底部層３１４が、この目的で使用される。
【００４３】
図４は、本発明による身体支持体の別の実施形態を示している。本実施形態は、図１〜１Ｂに関連して上に記載した身体支持体の実施形態と同じ構造の多くを利用しており、同じ性状の多くを有する。したがって、以下の説明は基本的に、図１〜１Ｂに関連して上に記載した実施形態と異なる構造および特性を中心に扱う。構造および特性に関する追加の情報、および図４に図示し、以下に説明する支持体の構造および特性への可能な代替形態に対して、図１〜１Ｂに関する上の説明を参照すべきである。図１〜１Ｂの実施形態の構造および特性に対応する図４に示す実施形態の構造および特性は、これ以下４００系の参照番号で示す。
【００４４】
図１〜１Ｂに示す身体支持体１０２と同様に、図４に示す身体支持体４０２は、開放セル非網目状粘弾性フォームを含む上部層４１０を備え、その下に網目状非粘弾性フォームを含む底部層４１４がある。しかし、底部層４１２の上部表面４２０は、上部層４１０のほぼ平らな底部表面４１８の下に非平面形状を有する。図４の実施形態では、底部層４１２の上部表面４２０は、上部層４１０に向かって延びる複数の突起４２８を有する。突起４２８は、ほぼ円錐形の形状をしていてもよく、円錐台形であってもよく、または図４に示すように丸みを帯びた先端を有することができる。
【００４５】
底部層４１２の突起４２８、および上部層４１０の底部表面１８は上部層４１０と底部層４１２の間に複数の通路４３０を画定する。通路４３０は、上部層４１０と底部層４１２の間の空気の移動を可能にし、それによって身体支持体４０２内の熱伝達を良くする。またあるいは別の方法では、身体支持体４０２の１つまたは複数の位置の熱は、上部層４１０と底部層４１２の間の通路４３０内に、これを通して分散させることができる。通路４３０によって可能になる改良した熱伝達は、両方の層４１０、４１２を冷却するのに使用することができ、使用者に最も近い上部層４１０ないの熱を少なくするのに特に有用である可能性がある。
【００４６】
いくつかの実施形態では、上部層４１０と底部層４１２の間の通路４３０は、少なくとも約０．５ｃｍで約１０ｃｍ未満の平均高さを有する。他の実施形態では、通路４３０は少なくとも約１ｃｍで約５ｃｍ未満の平均高さを有する。さらに他の実施形態では、少なくとも約１ｃｍで約３ｃｍ未満の平均高さを有する通路を利用することができる。通路４３０の平均高さは、少なくとも部分的に図４に示す実施形態の突起４２８の高さによるものである可能性があることが分かるだろう。他の実施形態では、上に記載した同じ平均通路高さはさらに、以下により詳細に記載するように、他のタイプの突起のみを使用して、または開口部と組み合わせて利用することができる。
【００４７】
代替形態として、または図４に示すほぼ円錐形の突起４２８に加えて、底部層４１２の上部表面４２０は、あらゆる他のタイプの隆起、またはこれに限らないが、パッド、窪み、柱、および他の局所突起、リブ、波形（例えば、円滑な鋸歯、または他の輪郭を有する）、および他の細長い突起などのタイプの組み合わせを有することができる。またあるいは別の方法では、底部層４１２の上部表面４２０は、これに限らないが、リセス、窪み、止まり穴、貫通穴、溝などを含むあらゆる数およびタイプの開口部を有することができ、そのいずれかまたは全てはちょうど記載した突起のタイプのいずれかによって全体的にまたは部分的に画定することができる。
【００４８】
身体支持体４０２の上部層４１０と底部層４１２の間の通路４３０は、突起４２８、開口部、または突起４２８および開口部のいずれかの組み合わせによって画定することができる。突起４２８および／または開口部は必ずしも、底部層４１２上にあらゆる配置で（例えば、繰り返しまたは非繰り返しパターン）にある必要はないが、いくつかの実施形態では、図４に示す実施形態の底部層４１２のほぼ円錐形突起４２８は底部層４１２の上部表面４２０にわたって規則的に配置されている。いくつかの実施形態では、ほぼ円錐形突起４２８間に配置された上部表面４２０の領域は窪ませることができ、いくつかの実施形態では、卵箱形表面またはあらゆる所望の表面形状に似ているように、突起４２８と協働することができる。
【００４９】
また、底部層４１２内の突起４２８および／または開口部は、一定のまたはほぼ一定の高さを有する通路４３０を画定することができる。しかし、他の実施形態では、底部層４１２の突起４２８および／または開口部は、上部層４１０と底部層４１２の間の異なる位置で変化する高さを有する通路４３０を画定することができる。したがって、上部層４１０と底部層４１２の間の通路高さは、上に記載するような平均高さとして示すことができる。
【００５０】
図４に示す実施形態では、突起４２８は底部層４１２のほぼ上部表面４２０全体の上に配置されている。しかし他の実施形態では、突起４２８は、身体支持体４０２の１つまたは複数の領域内などの、上部表面４２０全体の全体ではないところに配置することができる。同様に、通路４３０を少なくとも部分的に画定する開口部は、１つまたは複数の領域内、または底部層４１２の上部表面４２０内のほぼ全体に画定することができる。
【００５１】
上に記載したように、図４に示す実施形態の上部層４１０と底部層４１２の間の通路４３０は、上部層４１０のほぼ平らな底部表面４１８と底部層４１２の上部表面４２０上の複数の突起４２８および／または開口部の間に画定することができる。これに関して、通気および／または放熱機能を行うことが可能な通路４３０は、上部層４１０のほぼ平らな底部表面４１８と底部層４１２のあらゆる非平面上部表面４２０の間に画定することができる。他の実施形態では、通路４３０は上部層４１０の非平面底部表面４１８と底部層４１２のほぼ平らな上部表面４２０の間に画定することができる。上部層４１０の非平面底部表面４１８は、図４に示した底部層４１２の上部表面４２０に関して上に記載した突起および／またはリセス機構のいずれかを有することができる。したがって、底部層４１２の非平面上部表面４２０に関する上記記載は、上部層４１０の底部表面４１８に同様に当てはまる。さらに他の実施形態では、通路４３０は、上部層４１０の底部表面４１８と底部層４１２の非平面上部表面４２０の間に画定することができる。非平面表面４１８、４２０は、図４に示す底部層４１２の非平面上部表面４２０に関して上に記載した突起および／またはリセス機構のいずれかを有することができる。
【００５２】
図５は、本発明による身体支持体の別の実施形態を示している。本実施形態は、本実施形態は、図２および２Ａに関連して上に記載した身体支持体の実施形態と同じ構造の多くを利用しており、同じ性状の多くを有する。したがって、以下の説明は基本的に、図２および２Ａに関連して上に記載した実施形態と異なる構造および特性を中心に扱う。構造および特性に関する追加の情報、および図５に図示し、以下に説明する支持体の構造および特性への可能な代替形態に対して、図２および２Ａに関する上の説明を参照すべきである。図２および２Ａの実施形態の構造および特性に対応する図５に示す実施形態の構造および特性は、これ以下５００系の参照番号で示す。
【００５３】
図２および２Ａに示す身体支持体２０２に関して上により詳細に記載したように、図５に示す身体支持体５０２は、開放セル非網目状粘弾性フォームを含む上部層５１０と、網目状非粘弾性フォームを含む中間層５１２と、比較的高い弾力性を有する可撓性セルポリウレタンフォームを含む底部層５１４とを備えている。しかし、底部層５１４の上部表面５２４は、中間層５１２のほぼ平らな底部表面５２２の下に非平面形状を有する。上部表面５２４の非平面形状は、図４に示す底部層４１２の非平面上部表面４２０に関して上に記載した形のいずれかをとることができ、上に記載したように複数の突起５２８（図５に示す）および／または複数の開口部によって画定することができる。通路５３０は、中間層５１２のほぼ平らな底部表面５２２と底部層５１４の非平面上部表面５２４の間で画定することができる。他の実施形態では、このような通路５３０は、中間層５１２の非平面底部表面５２２と底部層５１４のほぼ平らな上部表面５２４の間に、または中間層５１２のほぼ平らな底部表面５２２と底部層５１４の非平面上部表面５２４の間に画定することができ、（１つまたは複数の）非平面表面は図４に示す実施形態に関して上に記載した方法のいずれかで画定することができる。
【００５４】
図５に示す中間層５１２と底部層５１４の間に延びる通路５３０は、身体支持体５０２に通気能力および／または網目状非粘弾性フォームの中間層５１２から放熱する大きな能力を提供することができ、それによって非網目状粘弾性フォームの上部層５１０から使用者の体熱を受けることができる。中間層５１２内のセルの骨格構造により、熱を通路５３０に、またこれを通して上部層５１２から伝達することが可能になる。横方向への（すなわち、身体支持体５０２の縁部に向かう）熱伝達はさらにこのようなフォームのセル構造に少なくとも部分的に基づく網目状非粘弾性フォームの中間層５１２で起こる可能性があるが、通路５３０はこの熱伝達を良くすることができる。
【００５５】
図６は、本発明による身体支持体の別の実施形態を示している。本実施形態は、図３に関連して上に記載した身体支持体の実施形態と同じ構造の多くを利用しており、同じ性状の多くを有する。したがって、以下の説明は基本的に、図３に関連して上に記載した実施形態と異なる構造および特性を中心に扱う。構造および特性に関する追加の情報、および図６に図示し、以下に説明する支持体の構造および特性への可能な代替形態に対して、図３に関する上の説明を参照すべきである。図３の実施形態の構造および特性に対応する図６に示す実施形態の構造および特性は、これ以下６００系の参照番号で示す。
【００５６】
図３に示す身体支持体３０２に関して上により詳細に記載したように、図６に示す身体支持体６０２は、開放セル非網目状粘弾性フォームを含む上部層６１０と、網目状非粘弾性フォームを含む中間層６１２と、比較的高い弾力性を有する可撓性セルポリウレタンフォームを含む底部層６１４とを備えている。しかし、中間層６１２の上部表面６２０は、上部層６１０のほぼ平らな底部表面６１８の下に非平面形状を有する。上部表面６２０の非平面形状は、図４に示す底部層４１２の非平面上部表面４２０に関して上に記載した形のいずれかをとることができ、上に記載したように複数の突起６２８（図６に示す）および／または複数の開口部によって画定することができる。通路６３０は、上部層６１０のほぼ平らな底部表面６１８と中間層６１２の非平面上部表面６２０の間で画定することができる。他の実施形態では、このような通路６３０は、上部層６１０の非平面底部表面６１８と中間層６１２のほぼ平らな上部表面６２０の間に、または上部層６１０の非平面底部表面６１８と中間層６１２の非平面上部表面６２０の間に画定することができ、（１つまたは複数の）非平面表面は図４に示す実施形態に関して上に記載した方法のいずれかで画定することができる。
【００５７】
図６に示す上部層６１２と中間層６１２の間に延びる通路６３０は、身体支持体６０２に通気能力および／または（身体支持体６０２の上で使用者の身体のすぐ隣りにあってもよい）網目状非粘弾性フォームの上部層６１２から放熱する大きな能力を提供することができる。また、通路６３０は身体支持体６０２の底部層６１４の通気および／または放熱を行う際に特に有用である可能性がある。
【００５８】
図７は、本発明による身体支持体の別の実施形態を示している。本実施形態は、図１〜１Ｂに関連して上に記載した身体支持体の実施形態と同じ構造の多くを利用しており、同じ性状の多くを有する。したがって、以下の説明は基本的に、図１〜１Ｂに関連して上に記載した実施形態と異なる構造および特性を中心に扱う。構造および特性に関する追加の情報、および図７に図示し、以下に説明する支持体の構造および特性への可能な代替形態に対して、図１〜１Ｂに関する上の説明を参照すべきである。図７の実施形態の構造および特性に対応する図１〜１Ｂに示す実施形態の構造および特性は、これ以下７００系の参照番号で示す。
【００５９】
図１〜１Ｂに示す身体支持体１０２と同様に、図７に示す身体支持体７０２は、開放セル非網目状粘弾性フォームを含む上部層７１０を備え、その下に網目状非粘弾性フォームを含む底部層７１２がある。しかし、底部層７１２はさらに、比較的高い弾力性を有する可撓性セルポリウレタンフォームの部分を備えている。特に、底部層７１２は図１に示す身体支持体１０２の底部層１１２に関して上に記載したのと同じ性状を有する網目状非粘弾性フォームを含む第１の部分７３２と、図２に示す身体支持体２０２の底部層２１４に関して上に記載したのと同じ性状を有する可撓性セルポリウレタンフォームを含む第２および第３の部分７３４、７３６を有する。したがって、図７に示す底部層７１２の第２および第３の部分７３４、７３６は、第１の部分７３２の従来の網目状非粘弾性フォームと比べて比較的堅く支持性のあるフォームの側面境界部を画定する。第２および第３の部分７３４、７３６のいずれかまたは両方は、少なくとも約１ｃｍから約２０ｃｍ未満である幅Ｗを有することができる。他の実施形態では、第２および第３の部分７３４、７３６のいずれかまたは両方は、少なくとも約３ｃｍから約１５ｃｍ未満である幅Ｗを有することができる。さらに他の実施形態では、第２および第３の部分７３４、７３６のいずれかまたは両方は、少なくとも約５ｃｍから約１０ｃｍ未満である幅Ｗを有することができる。
【００６０】
底部層７１２の第２および第３の部分７３４、７３６はあらゆる所望の幅を有することができ、したがって図７に示すものよりも幅広いまたは狭くてもよい。また、第２および第３の部分７３４、７３６は図７に示すようにほぼ一定の幅を有することができる、または底部層７１２の側部７３８、７４０に沿って変化する幅を有することができる。加えて、第２および第３の部分７３４、７３６は、必ずしも図７に示すように底部層７１２の側部７３８、７４０の全長に沿って延びている必要はなく、代わりに底部層７１２の側部７３８、７４０のいずれかの部分に沿って（例えば、底部層７１２のいずれかまたは両方の側部７３８、７４０に沿った２つ以上の領域において底部層７１２の隅部などにのみ）延びることができる。これに関して、第２および第３の部分７３４、７３６は必ずしも、幅、長さ、または形状が同一である必要はない。また他の実施形態では、底部層７１２は第２および第３の部分７３４、７３６の１つだけを有する。
【００６１】
上に記載したように、図７に示す底部層７１２は、網目状非粘弾性フォームの第１の部分７３２の側面にある境界部を画定する比較的高い弾力性を有する可撓性セルフォームの第２および第３の部分７３４、７３６を有する。他の実施形態では、フォームの第２および第３の部分７３４、７３６は代わりに、それぞれ底部層７１２の端部７４２、７４４に（例えば、マットレス、マットレス上層、オーバーレイ、または布団を少なくとも部分的に画定する身体支持体７０２の頭部および脚部に）配置することができ、このような位置で、上に記載した形態および形状のいずれかをとることができる。いくつかの実施形態では、比較的高い弾力性のある可撓性セルフォームの側部および端部境界部を利用することができ、それによって網目状非粘弾性フォームの第１の部分７３２を囲む、または少なくとも部分的に囲むことができる。比較的高い弾力性のある可撓性セルフォームの境界部および境界部位置のあらゆる組み合わせを、必要に応じて利用することができる。
【００６２】
上に記載した性状を有する網目状非粘弾性フォームの下にある層を利用することによって、底部層７１２の第１の部分７３２は、身体支持体７０２の通気、および／または上部層７１０からの放熱を良くすることができる。いくつかの実施形態では、いくつかのタイプの網目状フォームは、比較的高い程度の支持および弾力性を提供しない。このようなフォームは多くの応用例で許容可能であるが、いくつかの製品では、底部層７１２のより支持性および弾力性のある側部７３８、７４０および／または端部７４２、７４４が望ましい。例えば、このような側部７３８、７４０および／または端部７４２、７４４を有するマットレスは、マットレス上の静止位置に入るまたは存在する使用者をより十分支持することができ、マットレスの縁部に座っているまたはもたれている使用者をより十分支持することができる。
【００６３】
また、上に記載したような比較的高い弾力性のある可撓性セルフォームの境界部の位置は、身体支持体７０２の所望の放熱品質に基づき選択することができる。例えば、図７に示す身体支持体７０２の無境界端部７４２、７４４は、底部層７１２内の網目状非粘弾性フォームの第１の部分７３２からのより大きな通気および／または放熱を可能にすることができる。同様に、比較的高い弾力性のある可撓性セルフォームの境界付端部７４２、７４４、および無境界側部７３８、７４０を有する身体支持体７０２は、同様の結果を提供することができる。網目状非粘弾性フォームの第１の部分７３２の端部および／または側部を通した通気および放熱がこのような位置における追加の弾力性および支持ほど重要ではないこれらの実施形態では、比較的高い弾力性のある可撓性セルフォームの境界部をこのような位置に設けることができる。
【００６４】
本発明のさらに別の実施形態では、身体支持体７０２の底部層７１２は、それぞれ少なくとも部分的に比較的高い弾力性のある可撓性セルフォームの１つまたは複数の境界部によって囲まれた、網目状非粘弾性フォームの２つ以上の領域を含んでいる。網目状非粘弾性フォームは、図１に示す身体支持体１０２の底部層１１２に関して上に記載した性状を有することができ、（１つまたは複数の）境界部の比較的高い弾力性のある可撓性セルフォームは、図２に示す身体支持体２０２の底部層２１４に関して上に記載したのと同じ性状を有することができる。いくつかの実施形態では、底部層７１２は比較的高い弾力性のある可撓性セルフォームの１つまたは複数の境界部によって囲まれた網目状非粘弾性フォームの「島部」を画定する２つ以上の領域を有することができる。これらおよび他の実施形態では、網目状非粘弾性フォームの領域の１つまたは複数は、底部層７１２の１つまたは複数の側部または端部７３８、７４０、７４２、７４４に開口することができる、および／または網目状非粘弾性フォームの領域の別のものに連結させることができる。
【００６５】
身体支持体７０２が網目状非粘弾性フォームの１つまたは複数の領域を含む底部層７１２を有するこれらの実施形態では、領域は底部層７１２にわたって１つまたは複数のあらゆる位置にあってもよい。例えば、網目状非粘弾性フォームの領域は、使用者の肩、背中、および臀部の近くなどの、身体支持体７０２上にいる使用者からの最大接触および／または圧力の領域内に配置することができる。また、網目状非粘弾性フォームのこのような領域は、あらゆる形状（矩形、台形、三角形、または他の多角形、円形、楕円形、または他の丸い形状、不規則な形状など）を有することができ、あらゆる所望の寸法を有することができる。
【００６６】
図８は、本発明による身体支持体の別の実施形態を示している。本実施形態は、図７に関連して上に記載した身体支持体の実施形態と同じ構造の多くを利用しており、同じ性状の多くを有する。したがって、以下の説明は基本的に、図７に関連して上に記載した実施形態と異なる構造および特性を中心に扱う。構造および特性に関する追加の情報、および図８に図示し、以下に説明する支持体の構造および特性への可能な代替形態に対して、図７に関する上の説明を参照すべきである。図７の実施形態の構造および特性に対応する図８に示す実施形態の構造および特性は、これ以下８００系の参照番号で示す。
【００６７】
図７に示す本発明の実施形態と同様に、図８に示す身体支持体８０２は、開放セル非網目状粘弾性フォームを含む上部層７１０を備え、その下に網目状非粘弾性フォーム、および比較的高い弾力性を有する可撓性セルフォームを含む底部層８１２がある。しかし、底部層８１２の第１の部分８３２は、図２に示す身体支持体２０２の底部層２１４に関して上に記載したのと同じ性状を有する可撓性セルポリウレタンフォームを含み、底部層８１２の境界部８４６は図１に示す第１の部分１１２に関して上に記載したのと同じ性状を有する網目状非粘弾性フォームを含んでいる。境界部８４６は、図８に示すように比較的高い弾力性を有する可撓性セルフォームの第１の部分８３２の周りで全体に延びることができる、または比較的高い弾力性を有する可撓性セルフォームの第１の部分８３２の周りで少なくとも部分的に延びることができる（例えば、図７の実施形態を参照して上に記載したように第１の部分８３２に面する部分を有する、または図７に示す実施形態に関して上に記載した方法のいずれかで成形および配置された１つまたは複数の部分を有する）。
【００６８】
つまり、図８に示す第１の部分８３２および境界部８４６は、図７の実施形態に関して上に記載した形状、位置、および配置のいずれかをとることができる。また、図７に関して上に記載した（１つまたは複数の）底部層領域および（１つまたは複数の）境界部の材料（すなわち、１つまたは複数の境界部によって少なくとも部分的に囲まれた材料の２つ以上の領域または島部）は逆にすることができ、この場合、比較的高い弾力性を有する可撓性セルフォームの２つ以上の領域または島部は網目状非粘弾性フォームの１つまたは複数の境界部によって少なくとも部分的に囲むことができる。
【００６９】
底部層８１２内に比較的高い弾力性を有する可撓性セルフォームを含む、第１の部分８３２を部分的にまたは全体的に囲む網目状非粘弾性フォームの境界部８４６を利用することによって、身体支持体８０２は、身体支持体８０２の通気を行い、および／または第１の部分８３２および／または上部層８１０から放熱する優れた能力を有することができる。図８に示す境界部８４６の周辺位置は、この機能を行うのに望ましく、上部層８１０および底部層８１２の中心領域から身体支持体８０２の縁部に向かって熱を弾くことが可能になり、ここで身体支持体８０２からより簡単に放熱することができる。
【００７０】
図９は、本発明による身体支持体の別の実施形態を示している。本実施形態は、図７に関連して上に記載した身体支持体の実施形態と同じ構造の多くを利用しており、同じ性状の多くを有する。したがって、以下の説明は基本的に、図７に関連して上に記載した実施形態と異なる構造および特性を中心に扱う。構造および特性に関する追加の情報、および図９に図示し、以下に説明する支持体の構造および特性への可能な代替形態に対して、図７に関する上の説明を参照すべきである。図７の実施形態の構造および特性に対応する図９に示す実施形態の構造および特性は、これ以下９００系の参照番号で示す。
【００７１】
図７に示す身体支持体７０２と同様に、図９に示す身体支持体９０２は、開放セル非網目状粘弾性フォームを含む上部層９１０を備え、その下に比較的高い弾力性を有する可撓性セルフォームを含む第２および第３の部分９３４、９３６によって面した網目状非粘弾性フォームを含む第１の部分９３２を含む底部層９１２がある。第１の部分９３２は、図１に示す身体支持体１０２の底部層１１２に関して上に記載したのと同じ性状を有する網目状非粘弾性フォームを含んでいる。第２および第３の部分９３４、９３６は、図２に示す身体支持体２０２の底部層２１４に関して上に記載したのと同じ性状を有する可撓性セルポリウレタンフォームを含んでいる。また、部分９３２、９３４、９３６は、網目状非粘弾性フォーム部分９３２を部分的にまたは全体的に囲む比較的高い弾力性を有する可撓性セルフォームの境界部９４６、底部層９１２の側部および端部のいずれかの比較的高い弾力性を有する可撓性セルフォームの境界部、比較的高い弾力性を有する可撓性セルフォームによって少なくとも部分的に囲まれた網目状非粘弾性フォームの島部または他の領域などの、図７を参照して上に記載した形状および配置のいずれかをとることができる。
【００７２】
必要に応じて、上部層９１０の底部表面９１８および／または底部層９１２の上部表面９２０は、上部層９１０と底部層９１２の間に複数の通路９３０を画定する非平面形状を有することができる。図９に示す実施形態では、例えば、通路９３０は上部層９１０のほぼ平らな底部表面９１８と底部層９１２の非平面上部表面９２０の間で画定される。底部層９１２の上部表面９２０の非平面形状は、図４に示す底部層４１２の非平面上部表面４２０に関して上に記載した形のいずれかをとることができ、上に記載したように複数の突起９２８および／または複数の開口部によって画定することができる。
【００７３】
上部層９１０の底部表面９１８と底部層９１２の上部表面９２０の間の通路９３０は、身体支持体９０２の優れた通気および／または放熱を行うことができる。通路９３０は、身体支持体９０２の領域内の熱を少なくする際に特に有用である。通路９３０は、比較的高い弾力性を有する可撓性セルポリウレタンフォームの第２のおよび第３の部分９３４、９３６と非網目状粘弾性フォームの上部層９１０の間で放熱を行うように、第１の部分９３２の網目状非粘弾性フォームの能力を補足することができる。
【００７４】
図９に示す底部層９１２の第１の部分９３２は網目状非粘弾性フォームを含み、底部層９１２の第２および第３の部分９３４、９３６は比較的高い弾力性を有する可撓性セルポリウレタンフォームを含んでいるが、第１の部分９３２の材料および第２および第３の部分９３４、０３６の材料は他の実施形態で逆にすることができ、それによって図８に示す実施形態に関して上で記載したものと同様の構造を提供することができる。したがって、図８に示す身体支持体８０２に関する上の記載は図９のこのような代替実施形態に同様に当てはまる。
【００７５】
図９に示す実施形態を続けて参照して、身体支持体９０２の第１および第２の層９１０、９１２は、網目状非粘弾性フォームを含むカバー９４８を有することができる。カバー９４８の網目状非粘弾性フォームは、図１に示す身体支持体１０２の底部層１１２に関して上に記載したのと同じ性状を有することができる。また、カバー９４８の網目状非粘弾性フォームは第１および第２の層９１０、９１２のいずれかの部分を覆うことができる。例えば、図９に示すカバー９４８は上部層９１０の上部表面９１６全体を実質的に覆う。他の実施形態では、カバー９４８はまたあるいは代わりに、第１および第２の層９１０、９１２の側部および端部のいずれかの部分または全てを覆うことができる、および／または底部層９１２の底部表面９２４のいずれかの部分または全ての下にあってもよい。いくつかの実施形態では、カバー９４８は第１および第２の層９１０、９１２をほぼ全体的に囲んでいる。
【００７６】
網目状非粘弾性フォームカバー９４８は、身体支持体９０２に高い程度の耐火性を提供するように選択することができ、いくつかの国および／または地域では、このような耐火性を必要とする消防規則を満たすために利用することができる。このような消防規則要件を満たすことが可能な他の材料も利用することができるが、網目状非粘弾性フォームの使用により、網目状非粘弾性フォームカバー９４８によって覆われた第１のおよび／または第２の層９１０、９１２の（１つまたは複数の）表面に対して優れた通気を行うことができる。上に記載したように、網目状非粘弾性フォームは、網目状フォームの骨格セル構造に少なくとも部分的に基づき、身体支持体の隣接する領域内の熱量を少なくすることができる。したがって、いくつかの実施形態では、網目状非粘弾性フォームカバー９４８はある程度の耐火性を提供することができ、また身体支持体９０２の使用において、網目状フォームカバー９４８によって覆われた隣接する第１および／または第２の層９１０、９１２からの放熱を行うことができる。
【００７７】
図９を続けて参照して、上部層９１０の粘弾性は、使用者の身体に比較的快適な基板を提供することができ、それによって加えられる力を分配するように使用者の身体に少なくとも部分的に適合することができ、使用者の体熱によって発生される温度の範囲に対する反応性に対して選択することができる。いくつかの実施形態では、網目状フォームカバー９４８（利用した場合）はこれらの性状をまだ示すことができる最大厚さを有する。粘弾性のある第１の層９１０の望ましい触覚は、網目状非粘弾性フォームカバー９４８によっていくつかの実施形態で遮られるが、第１の層９１０の粘弾性材料の他の望ましい性状は十分薄い網目状非粘弾性フォームカバー９４８によりまだ得られる。いくつかの実施形態では、網目状非粘弾性フォームカバー９４８は約１ｃｍの最大厚さを有する。他の実施形態では、網目状非粘弾性フォーム９４８は約２ｃｍの最大厚さを有する。さらに他の実施形態では、網目状非粘弾性フォーム９４８は約５ｃｍの最大厚さを有する。
【００７８】
図９にも示すように、上部層９１０の上部表面９１６は、網目状非粘弾性フォームカバー９４８と上部層９１０の間に複数の通路９３０を画定する非平面形状を有することができる。他の実施形態では、通路９３０は網目状非粘弾性フォームカバー９４８の非平面底部表面９５２と上部層９１０のほぼ平らな上部表面９１６の間、および／または網目状非粘弾性フォームカバー９４８の非平面底部表面９５２と上部層９１０の非平面上部表面９１６の間に画定することができる。いくつかの実施形態では、このような通路９３０によって優れた使用者快適性、通気、および／または放熱を得ることができる。
【００７９】
図９に示す上部表面９１６（および／または、網目状非粘弾性フォームカバー９４８の底部表面９５２の非平面形状は、図４に示す底部層４１２の非平面上部表面４２０に関して上に記載した形のいずれかをとることができ、上に記載したように複数の突起９２８および／または複数の開口部によって画定することができる。
【００８０】
網目状非粘弾性フォームカバー９４８の底部表面９５２と上部層９１０の上部表面９１６の間の通路９３０は、身体支持体９０２のある程度の通気および／または優れた放熱を行うことができる。これらの通路９３０は、身体支持体９０２の領域内の熱を少なくする際に特に有用である。これらの通路９３０はまた、カバー９４８と上部層９１０の間で放熱するように、カバー９４８の網目状非粘弾性フォームの能力を補足することができる。
【００８１】
図９に示す網目状非粘弾性フォームカバー９４８は、および上に記載したように、非網目状粘弾性フォームを含む上部層９１０、および比較的高い弾力性を有する可撓性セルフォームの第２および第３の部分９３４、９３６によって面する網目状非粘弾性フォームの第１の部分９３２を含む底部層９１２と合わせて利用される。しかし、網目状非粘弾性フォームカバー９４８（および、上に記載する網目状非粘弾性フォームカバー９４８の代替実施形態）は、本明細書に記載および／または図示する身体支持体のいずれかのまたは全ての表面を覆うのに利用することができることに留意すべきである。
【００８２】
図１０は、本発明による身体支持体の別の実施形態を示している。本実施形態は、図３に関連して上に記載した身体支持体の実施形態と同じ構造の多くを利用しており、同じ性状の多くを有する。したがって、以下の説明は基本的に、図３に関連して上に記載した実施形態と異なる構造および特性を中心に扱う。構造および特性に関する追加の情報、および図１０に図示し、以下に説明する支持体の構造および特性への可能な代替形態に対して、図３に関する上の説明を参照すべきである。図３の実施形態の構造および特性に対応する図１０に示す実施形態の構造および特性は、これ以下１０００系の参照番号で示す。
【００８３】
図３に示す身体支持体３０２と同様に、図１０に示す身体支持体１００２は、開放セル非網目状粘弾性フォームを含む第１の層１０１０と、第１の層１０１０の下に比較的高い弾力性を有する可撓性セルフォームを含む第２の層１０１２と、比較的高い弾力性を有する可撓性セルフォームの第２の層１０１２の下に網目状非粘弾性フォームを含む第３の層１０１４とを備えている。第１の層１０１０の非網目状粘弾性フォーム、および第３の層１０１４の網目状非粘弾性フォームの性状はそれぞれ、図１〜１Ｂに示す実施形態の上部層１１０および底部層１１２に関して上に記載されている。第２の層１０１２の比較的高い弾力性を有する可撓性セルフォームの性状は、図２および２Ａに示す実施形態の底部層２１４に関して上に記載されている。
【００８４】
図１０に示す実施形態では、第１の層１０１０の非網目状粘弾性フォームは、比較的高い弾力性を有する可撓性セルフォームの隣接する下にある層１０１２によって所望の支持を備えることができる。上に記載するように、第３の層１０１４の網目状非粘弾性フォームの骨格セル構造は、第２の層１０１２（いくつかの実施形態では、第１の層１０１０も）内の熱を少なくするように働くことができる。
【００８５】
いくつかの実施形態では、第３の層の網目状非粘弾性フォームは、第２の層１０１２に対して利用することができるフォーム（例えば、図２および２Ａに示す実施形態に関して上に記載した比較的高い弾力性のある可撓性セルフォーム）ほど弾力性がなくおよび／または支持性がない。第２の層１０１２は、あまり弾力性がないおよび／またはあまり支持性がない網目状非粘弾性フォーム層１０１４に対応するように厚さを増加させることができるが、得られる比較的より薄い網目状フォーム材料を介して放熱する能力を小さくすることができる。いくつかの実施形態では、比較的高い弾力性のある可撓性セルフォームの第４の層１０５４が網目状非粘弾性フォームの第３の層１０１４の下に配置されており、それによって第１、第２、および第３の層１０１０、１０１２、１０１４に追加の支持を提供し、第２の層１０１２によって与えられる弾力性および支持を補足する。図１０に示す実施形態では、第４の層１０５４は、第２の層１０１２とほぼ同じ比較的高い弾力性のある可撓性セルフォームを含んでいる。しかし他の実施形態では、第４の層１０５４の比較的高い弾力性のある可撓性セルフォームは、第２の層１０１２のものとは異なる。
【００８６】
必要に応じて、網目状非粘弾性フォームの第５の層１０５６を第４の層１０５４の下に置くことができ、それによって身体支持体１００２からの大きな放熱能力を提供することができる。図１０に示す実施形態では、第５の層１０５６は第３の層１０１４とほぼ同じ網目状非粘弾性フォームを含んでいる。しかし他の実施形態では、第５の層１０５６の網目状非粘弾性フォームは第３の層１０１４のものとは異なる。これに関して、比較的高い弾力性のある可撓性セルフォームおよび網目状非粘弾性フォームのあらゆる数の交互の層を、非網目状粘弾性フォームの第１の層１０１０の下に置くことができる。このような身体支持体１００２はしたがって、所望の程度の弾力性および支持（比較的高い弾力性のある可撓性セルフォームの２つ以上の層により）を有することができ、さらに上に記載した所望の放熱能力を（網目状非粘弾性フォームの２つ以上の層により）維持することができる。いくつかの実施形態では、身体支持体１００２の１つまたは複数の領域内の熱は、網目状非粘弾性フォームの交互層を通した拡散のために、比較的高い弾力性のある可撓性セルフォームの１つまたは複数の層を通して伝達することができる。
【００８７】
図１１は、本発明による身体支持体の別の実施形態を示している。本実施形態は、本実施形態は、図２および２Ａに関連して上に記載した身体支持体の実施形態と同じ構造の多くを利用しており、同じ性状の多くを有する。したがって、以下の説明は基本的に、図２および２Ａに関連して上に記載した実施形態と異なる構造および特性を中心に扱う。構造および特性に関する追加の情報、および図１１に図示し、以下に説明する支持体の構造および特性への可能な代替形態に対して、図２および２Ａに関する上の説明を参照すべきである。図２および２Ａの実施形態の構造および特性に対応する図１１に示す実施形態の構造および特性は、これ以下１１００系の参照番号で示す。
【００８８】
図２および２Ａに示す身体支持体２０２と同様に、図１１に示す身体支持体１１０２は、開放セル非網目状粘弾性フォームを含む第１の層１１１０と、第１の層１１１０の下に網目状非粘弾性フォームを有する可撓性セルフォームを含む第２の層１１１２と、第２の層１１１２の下に比較的高い弾力性を有する可撓性セルフォームを含む第３の層１１１４とを備えている。第１の層１０１０の非網目状粘弾性フォーム、および第２の層１０１２の網目状非粘弾性フォームの性状はそれぞれ、図１〜１Ｂに示す実施形態の上部層１１０および底部層１１２に関して上に記載されている。第３の層１０１４の比較的高い弾力性を有する可撓性セルフォームの性状は、図２および２Ａに示す実施形態の底部層２１４に関して上に記載されている。
【００８９】
図１１に示す実施形態では、第２の層１１１２の網目状フォームの骨格セル構造は、非網目上粘弾性フォームの第１の層１１１０内で放熱するように働くことができ、第１および第２の層１１１０、１１１２は比較的高い弾力性を有する可撓性セルフォームによって所望の程度の支持を備えることができる。図１０に示す身体支持体１００２内の身体支持体１００２の第２の層１０１２と比べて、図１１の身体支持体１１０２内の網目状フォームの第２の層１１１２は、大量の放熱および／または通気を提供することができるが、身体支持体１１０２のあまり弾力性のない上側部分を備えている（いくつかの実施形態では、また少なくとも部分的に第１および第２の層１１１０、１１１２の厚さによって）。したがって、図１０および１１に示す身体支持体１００２、１１０２の３つの第１の層１０１０、１０１２、１０１４、１１１０、１１１２、１１１４は、異なる使用者の快適性および好みに適合された異なる品質を有することができる。
【００９０】
図１１に示す実施形態を続けて参照して、いくつかの実施形態では、第２の層１１１２の網目状非粘弾性フォームは、第３の層１１１４に対して利用することができるフォーム（例えば、図２および２Ａに示す実施形態に関して上に記載した比較的高い弾力性のある可撓性セルフォーム）ほど弾力性がなくおよび／または支持性がない。第３の層１１１４は、あまり弾力性がないおよび／またはあまり支持性がない網目状非粘弾性フォーム層１１１２に対応するように厚さを増加させることができるが、比較的より薄い網目状フォーム材料からの放熱に関する利点を少なくすることができる。いくつかの実施形態では、網目状非粘弾性フォームの第４の層１１５４が比較的高い弾力性のある可撓性セルフォームの第３の層１１１４の下に配置されており、それによって身体支持体１１０２から大きな放熱能力が提供される。図１１に示す実施形態では、第４の層１１５４は、第２の層１１１２とほぼ同じ網目状非粘弾性フォームを含んでいる。しかし他の実施形態では、第４の層１１５４の網目状非粘弾性フォームは、第２の層１１１２のものとは異なる。
【００９１】
いくつかの実施形態では、比較的高い弾力性のある可撓性セルフォームの第５の層１１５６が第４の層１１５４の下に配置されており、それによって第１、第２、第３および第４の層１１１０、１１１２、１１１４および１１５４に追加の支持を提供し、第３の層１０１４によって与えられる弾力性および支持を補足する。図１１に示す実施形態では、第５の層１１５６は第３の層１１１４とほぼ同じ比較的高い弾力性のある可撓性セルフォームを含んでいる。しかし他の実施形態では、第５の層１１５６の比較的高い弾力性のある可撓性セルフォームは第３の層１１１２のものとは異なる。上に記載したように、比較的高い弾力性のある可撓性セルフォームおよび網目状非粘弾性フォームのあらゆる数の交互の層を、非網目状粘弾性フォームの第１の層１０１０の下に置いて、所望の程度の弾力性および支持を提供し、さらに上に記載した通気および／または所望の放熱能力を維持することができる。いくつかの実施形態では、身体支持体１１０２の１つまたは複数の領域内の熱は、網目状非粘弾性フォームの交互層を通した拡散のために、比較的高い弾力性のある可撓性セルフォームの１つまたは複数の層を通して伝達することができる。
【００９２】
図１２および１２Ａは、本発明による身体支持体の別の実施形態を示している。図１２および１２Ａに示す身体支持体１２０２は、網目状粘弾性フォームを含む上部層１２１０、およびポリウレタンフォームのセル構造を含む底部層１２１２の２つの材料層を備えている。
【００９３】
図１、１Ａおよび１Ｂに図示された（また、図１〜１１に関連して上に図示および／または記載した他の実施形態で利用される）身体支持体１０２の実施形態を参照して上に記載した上部層１１０のフォームと同様に、上部層１２１０の網目状フォームは粘弾性フォームであり、したがってそうでなければ「メモリフォーム」または「低弾力性フォーム」として知られるフォームの分類内に含まれる。しかし、網目状粘弾性フォームは非網目状粘弾性フォーム（図１〜１１の実施形態に関して上に記載したようなものなど）とかなり異なる構造を有し、したがって次に説明するようにかなり異なる性状を身体支持体に提供することができる。
【００９４】
図１２Ａに示すように、上部層１２１０の網目状粘弾性フォームは、粘弾性フォームのセルが基本的に骨格的であるセルフォーム構造である。１つのセルを別のものから分離するセル壁面の多く（実質的には全てではない場合）は、存在しない。すなわち、網目状粘弾性フォームのセルは複数の支持体または「窓」によって、およびセル壁なしで、実質的になしで、または実質的に少ない数のセル壁で画定される。いくつかの実施形態では、フォームのセルを画定する壁面の少なくとも５０％が存在しない（すなわち、取り除かれた、またはフォームの製造過程中に形成することが決して可能ではない）場合に、「網目状」であると考えられる。
【００９５】
図１２および１２Ａに示す上部層１２１０の網目状粘弾性フォームの骨格セル構造により、上部層１２１０内の熱は熱源（例えば、使用者の身体）から離れるように伝達させることができ、それによって上部層１２１０の１つまたは複数の領域が望ましくない高温に到達するのを防ぐのを助けることができる。また、上部層１２１０内のフォームの網目状構造により、上部層１２１０内に、そこから、およびそこを通した明らかにより高い空気流、すなわち上部層１２１０内の熱を少なくすることができる上部層１２１０の特徴が可能になる。同時に、上部層１２１０内のフォームの粘弾性は、使用者快適性のために所望の触覚および圧力反応性を与える。これに関して、いくつかの実施形態の網目状粘弾性フォームは小さな硬度レベルを有し、それによって使用者の身体に対して比較的柔らかく快適な表面が提供される。網目状粘弾性材料の遅い回復特徴と合わせて、上部層１２１０はまた使用者の身体に適合することができ、それによって使用者の身体によって上部層１２１０に加えられる力を分配することができる。
【００９６】
いくつかの実施形態では、上部層１２１０は、所望の柔らかさおよび身体適合品質に対して、少なくとも約２０Ｎおよび約１５０Ｎ未満の硬度を有する。他の実施形態では、少なくとも約３０Ｎおよび約１００Ｎ未満の硬度を有する上部層１２１０がこの目的で利用される。さらに他の実施形態では、少なくとも約４０Ｎおよび約８５Ｎ未満の硬度を有する上部層１２１０が利用される。
【００９７】
上部層１２１０はまた、比較的高い程度の材料耐久性を提供する密度を有することができる。上部層１２１０内のフォームの密度は、上部層１２１０が圧力に反応する方法、およびフォームの感触などのフォームの他の特徴に影響を与える可能性がある。いくつかの実施形態では、上部層１２１０は約３０ｋｇ／ｃｍ3以上で約１７５ｋｇ／ｍ3未満の密度を有する。他の実施形態では、約５０ｋｇ／ｃｍ3以上で約１３０ｋｇ／ｍ3未満の密度を有する上部層１２１０が利用されている。さらに他の実施形態では、約６０ｋｇ／ｃｍ3以上で約１１０ｋｇ／ｍ3未満の密度を有する上部層１２１０が利用されている。
【００９８】
上部層１２１０の粘弾性フォームは、あらゆる範囲の温度に対する応答性に対して選択することができる。しかしいくつかの実施形態では、使用者の体温の範囲内の（または、身体支持体１２０２がその上にある使用者の身体との接触または近接によって曝される温度の範囲内の）温度反応性はかなりの利点を与えることができる。例えば、上部層１２１０に対して選択した粘弾性フォームは少なくとも約０℃以上の温度変化に応じることができる。いくつかの実施形態では、上部層１２１０に対して選択した粘弾性フォームは少なくとも約１０℃の範囲内の温度変化に応じることができる。他の実施形態では、上部層１２１０に対して選択した粘弾性フォームは少なくとも約１５℃の範囲内の温度変化に応じることができる。
【００９９】
上に記載したように、図１２および１２Ａに示す身体支持体１２０２の底部層１２１２はポリウレタンフォームのセル構造を含んでいる。このフォームの層は、上部層１２１０が上にある比較的堅いが可撓性および弾力性がある基板を提供する支持層である。底部層１２１２の弾力変形可能性はしたがって、底部層１２１２の形状に使用者の重量が影響を与える程度にある程度の使用者快適性を与えることができる。底部層１２１２のフォームは比較的高い弾力性がある可能性があり、いくつかの実施形態では、望ましい程度の支持および快適性のために、少なくとも約５０Ｎおよび約３００Ｎ未満の硬度を有する。他の実施形態では、この目的で、少なくとも約８０Ｎおよび約２５０Ｎ未満の硬度を有する底部層１２１２が利用されている。さらに他の実施形態では、少なくとも約９０Ｎおよび約１８０Ｎ未満の硬度を有する底部層１２１２が利用されている。
【０１００】
少なくとも部分的に上部層１２１２の厚さおよび材料性状によって、いくつかの実施形態では、底部層１２１２は身体支持体１２０２の上にいる使用者からの実質的な体熱に曝すことができる。このような実施形態では、底部層１２１２のフォームは、約１０℃と約３５℃の間の範囲内で（上に規定したように）温度変化に実質的に無関係であるように選択することができ、それによって底部層１２１２を曝すことができる身体温度の範囲全体を通して底部層１２１２に望ましい支持性状を維持することができる。いくつかの実施形態では、底部層１２１２は、約１５℃から約３０℃の間の範囲内で温度変化に実質的に無関係であるフォームを備えることができる。さらに他の実施形態では、約１５℃から約２５℃の間の範囲内で温度変化に実質的に無関係であるフォームの底部層１２１２を使用することができる。
【０１０１】
底部層１２１２の上の網目状粘弾性フォーム層１２１０は、上部層１２１０の上部表面１２１６上の追加の程度の通気および／または放熱を行うことができ、身体支持体１２０２内の放熱を助けることができ、身体支持体１２０２の１つまたは複数の位置の熱を少なくするのを助けることができる。
【０１０２】
身体支持体１２０２の上部層１２１０と同様に、底部層１２１２は比較的高い程度の材料耐久性を提供する密度を有することができる。また、底部層１２１２内のフォームの密度は、底部層１２１２が圧力に反応する方法、およびフォームの感触などのフォームの他の特徴に影響を与える可能性がある。いくつかの実施形態では、底部層１２１２は約２０ｋｇ／ｃｍ3以上で約８０ｋｇ／ｍ3未満の密度を有する。他の実施形態では、約２５ｋｇ／ｃｍ3以上で約６０ｋｇ／ｍ3未満の密度を有する底部層１２１２が利用されている。さらに他の実施形態では、約３０ｋｇ／ｃｍ3以上で約４０ｋｇ／ｍ3未満の密度を有する底部層１２１２が利用されている。
【０１０３】
図１２および１２Ａに示す身体支持体１２０２は、上部層１２１０と少なくとも同じ厚さである底部層１２１２を有することができ、それによって上部層１２１０にかなりの程度の支持を与えることができる。いくつかの実施形態では、底部層１２１２は、上部層１２１０の厚さの少なくとも２倍である。また、いくつかの実施形態では、底部層１２１２は上部層１２１０の厚さの少なくとも３倍である。
【０１０４】
図１２および１２Ａに示す身体支持体１２０２は、マットレス、マットレス上層、オーバーレイ、または布団であり、単に例としてこのような形で示されている。上に記載した身体支持体１２０２の特性は、あらゆる寸法および形状を有するあらゆる他のタイプの身体支持体に適用することができることが分かるだろう。
【０１０５】
図１３は、本発明による身体支持体の別の実施形態を示している。本実施形態は、本実施形態は、図１２および１２Ａに関連して上に記載した身体支持体の実施形態と同じ構造の多くを利用しており、同じ性状の多くを有する。したがって、以下の説明は基本的に、図１２および１２Ａに関連して上に記載した実施形態と異なる構造および特性を中心に扱う。構造および特性に関する追加の情報、および図１３に図示し、以下に説明する支持体の構造および特性への可能な代替形態に対して、図１２および１２Ａに関する上の説明を参照すべきである。図１２および１２Ａの実施形態の構造および特性に対応する図１３に示す実施形態の構造および特性は、これ以下１３００系の参照番号で示す。
【０１０６】
図１３に示す身体支持体１３０２は、網目粘弾性フォームを含む上部層１３１０、および網目状非粘弾性フォームを含む底部層１３１２を有する。上部層１３１０の網目状粘弾性フォーム（その材料性状を含む）は、図１２および１２Ａの実施形態に関して上により詳細に記載されている。底部層１３１２の網目状非粘弾性フォームは、１つのセルを互いから離すセル壁の多く（実質的に全てではない場合）が存在しないセルの基本的な骨格構造を備えている。すなわち、セルは複数の支持体または「窓」によって、およびセル壁なしで、実質的になしで、または実質的に少ない数のセル壁で画定される。いくつかの実施形態では、フォームのセルを画定する壁面の少なくとも５０％が存在しない（すなわち、取り除かれた、またはフォームの製造過程中に形成することが決して可能ではない）場合に、「網目状」であると考えられる。少なくとも部分的に、底部層１３１２内の網目状非粘弾性フォームの骨格セル構造により、底部層１３１２は上部層１３１０の１つまたは複数の領域内の熱を少なくすることができる。
【０１０７】
いくつかの実施形態では、網目状非粘弾性フォームの底部層１３１２は、使用者の身体を支持する場合に上部層１３１０によって受ける温度とは実質的に無関係である（すなわち、使用者の体熱とは無関係である）ある程度の支持を提供することが可能であることが望ましい。したがって、底部層１３１２は約１５℃から約３０℃の間の範囲内の（上に規定するような）温度変化とは実質的に関係のない網目状非粘弾性フォームを備えることができる。いくつかの実施形態では、底部層１３１２は、約１５℃から約２５℃の間の範囲内の温度に実質的に無関係である網目状非粘弾性フォームを含むことができる。
【０１０８】
図１３に示す底部層１３１２の骨格セル構造のために、（上部層１３１０内の熱の横方向伝達、および上部層１３１０の網目状粘弾性フォームによる上部層１３１０の外部表面からの熱伝達に加えて）網目状粘弾性フォームの上部層１３１０内の熱は上部層１３１０から離れるように底部層１３１４に向かって伝達することができる。このような熱伝達は、上部層１３１０が望ましくない高温に到達するのを防ぐのを助けることができる。また、底部層１３１２内のフォームの網目状性により、底部層１３１２内に、そこから、およびそこを通した明らかにより高い空気流、すなわち底部層１３１２内の熱を少なくすることができる底部層１３１２の特徴が可能になる。
【０１０９】
上部層１３１０と同様に、底部層１３１２は、比較的高い程度の材料耐久性を提供する密度を有することができる。底部層１３１２内のフォームの密度は、底部層１３１２が圧力に反応する方法、およびフォームの感触などのフォームの他の特徴に影響を与える可能性がある。いくつかの実施形態では、底部層１３１２は約２０ｋｇ／ｃｍ3以上で約８０ｋｇ／ｍ3未満の密度を有する。他の実施形態では、約２５ｋｇ／ｃｍ3以上で約６０ｋｇ／ｍ3未満の密度を有する底部層１３１２が利用されている。さらに他の実施形態では、約３０ｋｇ／ｃｍ3以上で約４０ｋｇ／ｍ3未満の密度を有する底部層１３１２が利用されている。
【０１１０】
また、いくつかの実施形態では、底部層１３１２は、少なくとも約５０Ｎおよび約３００Ｎ未満の硬度を有する。他の実施形態では、少なくとも約８０Ｎおよび約２５０Ｎ未満の硬度を有する底部層１３１２が利用されている。さらに他の実施形態では、少なくとも約９０Ｎおよび約１８０Ｎ未満の硬度を有する底部層１３１２が利用されている。
【０１１１】
図１〜１Ｂに示す身体支持体１３０２は、上部層１３１０と少なくとも同じ厚さである底部層１３１２を有することができ、それによって、いくつかの実施形態では、比較的温度に無関係である大きな通気および／または放熱層を提供することができる。いくつかの実施形態では、底部層１３１２は上部層１３１０の少なくとも半分の厚さである。他の実施形態では、底部層１３１２は上部層１３１０と少なくともほぼ同じ厚さである。さらに他の実施形態では、底部層１３１２は上部層１３１０の少なくとも約２倍の厚さである。
【０１１２】
図１２および１２Ａに示す身体支持体１２０２を参照して上に記載したように、上部層１３１０の網目状粘弾性フォームは上部層１３１０に対して大量の通気を行うことができ、上部層１３１０内で放熱するのを助けることができ、使用者の快適性のために望ましい身体適合性、柔らかさ、および圧力反応性を提供することができる。また、上に記載したように、底部層１３１２の網目状非粘弾性フォームは、上部層１３１２に対して追加の通気および放熱を提供することができる。これらの特性は、使用者の身体によって圧縮された、あるいは形状が変えられた上部層１３１０のこれらの領域に対して特に有利である可能性がある。本発明のいくつかの実施形態に関して、底部層１３１２の網目状非粘弾性フォームの温度無関係性は、底部層１３１２が上部層１３１０からの体熱による形態および形状変化に耐えることを可能にし、底部層１３１２の網目状セル構造は上部層１３１０に対して望ましい放熱および通気性状を提供する。
【０１１３】
図１４は、本発明による身体支持体の別の実施形態を示している。本実施形態は、図１３に関連して上に記載した身体支持体の実施形態と同じ構造の多くを利用しており、同じ性状の多くを有する。したがって、以下の説明は基本的に、図１３に関連して上に記載した実施形態と異なる構造および特性を中心に扱う。構造および特性に関する追加の情報、および図１４に図示し、以下に説明する支持体の構造および特性への可能な代替形態に対して、図１３に関する上の説明を参照すべきである。図１３の実施形態の構造および特性に対応する図１４に示す実施形態の構造および特性は、これ以下１４００系の参照番号で示す。
【０１１４】
図１３に示す実施形態と同様に、図１４に示す身体支持体１４０２は、網目粘弾性フォームを含む上部層１４１０、および網目状非粘弾性フォームを含む底部層１４１２を有する。いくつかの実施形態では、身体支持体１４０２はしたがって、上に記載する望ましい柔らかさ、身体適合性、通気および放熱性を提供することができる。図１４に示す身体支持体１４０２はさらに、網目状非粘弾性フォームの層１４１２の下に底部層１４１４を備えている。したがって、網目状非粘弾性フォームの層１４１２は、身体支持体１４０２の上部層１４１０と底部層１４１４の間に配置された中間層１４１２である。
【０１１５】
図１４に示す身体支持体１４０２の底部層１４１４は、比較的弾力性および支持性が高いポリウレタンフォームのセル構造を含んでいる。この比較的弾力性が高い可撓性セルフォームは、図１２および１２Ａの実施形態に関して上により詳細に記載されている。いくつかの実施形態では、比較的弾力性が高い可撓性セルフォームを含む底部層１４１４は、上部層１４１０および中間層１４１２が上にある比較的堅い基板を提供する支持層であり、（底部層１４１４の形状に使用者の重量が影響を与える程度に）使用者快適性を与えるようなある程度の変形性を有する。したがって、底部層１４１４は、上部層１４１０および中間層１４１２にかなりの支持を提供することが可能である比較的高い弾力性を有するフォーム含むことができる。
【０１１６】
図１４に示す身体支持体１４０２は、上部層１４１０および中間層１４１２の組み合わせた厚さと少なくとも同じ厚さである底部層１４１４を有することができ、それによって上部層１４１０および中間層１４１２に実質的な支持を与えることができる。いくつかの実施形態では、底部層１４１４は、上部層１４１０および中間層１４１２の組み合わせた厚さの少なくとも０．２２倍である。また、いくつかの実施形態では、底部層１４１４は上部層１４１０および中間層１４１２の組み合わせた厚さの少なくとも０．４０倍である。
【０１１７】
図１５は、本発明による身体支持体の別の実施形態を示している。本実施形態は、図１４に関連して上に記載した身体支持体の実施形態と同じ構造の多くを利用しており、同じ性状の多くを有する。したがって、以下の説明は基本的に、図１４に関連して上に記載した実施形態と異なる構造および特性を中心に扱う。構造および特性に関する追加の情報、および図１５に図示し、以下に説明する支持体の構造および特性への可能な代替形態に対して、図１４に関する上の説明を参照すべきである。図１４の実施形態の構造および特性に対応する図１５に示す実施形態の構造および特性は、これ以下１５００系の参照番号で示す。
【０１１８】
図１４に示す身体支持体１４０２と同様に、図１５に示す身体支持体１５０２は、網目状粘弾性フォームを含む上部層１５１０を備え、その下に身体支持体１５０２の中間層１５１２および底部層１５１４がある。しかし、中間層１５１２および底部層１５１４の材料は、図１４に示す身体支持体１５０２と比較して切り換えられる。したがって、図１５に示す身体支持体１５０２の中間層１５１２は比較的高い弾力性のある可撓性セルフォームを含み、身体支持体１５０２の底部層１５１４は網目状非粘弾性フォームを含んでいる。中間層１５１２および底部層１５１４の比較的高い弾力性のある可撓性セルフォームおよび網目状非粘弾性フォームはそれぞれ、図１４に示す実施形態に関して上により詳細に記載されている（図１２〜１３に示す実施形態に関する情報を組み込む）。
【０１１９】
図１５に示す実施形態では、網目状非粘弾性フォームは、図１４に示すような別の中間層の下にあるこのような材料層ではなく、比較的高い弾力性のあるセルフォームの隣接する下にある層によって所望の程度の支持を備えることができる。また図１５を参照して、中間層１５１２は、少なくとも部分的に上部層１５１０および中間層１５１２の厚さによって、優れた使用者支持を提供することができる。網目状粘弾性フォームの上部層１５１０、および網目状非粘弾性フォームの底部層１５１４は、中間層１５１２内の熱を少なくして、（少なくとも部分的に、上部層１５１０および底部層１５１２の網目状セル構造により）中間層１５１２の両側から熱を引き、および／または中間層１５１２の両側で身体支持体１５０２の優れた通気を提供することができる。
【０１２０】
図１５に示す身体支持体１５０２は、上部層１５１０に所望の程度の支持を提供するように、上部層１５１０の少なくとも０．３３倍の厚さである中間層１５１２を有することができる。いくつかの実施形態では、この目的で、中間層１５１２は上部層１５１０の約半分の厚さであってもよい。他の実施形態では、上部層１５１０と少なくとも同じ厚さである中間層１５１２がこの目的で使用されている。
【０１２１】
図１５をさらに参照して、身体支持体１５０２は、中間層１５１２から熱を運ぶように、上部層１５１０および中間層１５１２の組み合わせた厚さの少なくとも約０．１５倍の厚さである底部層１５１４を有することができる。いくつかの実施形態では、底部層１５１４はこの目的では、上部層１５１０および中間層１５１２の組み合わせた厚さの少なくとも約０．２５倍であってもよい。他の実施形態では、上部層１５１０および中間層１５１２の組み合わせた厚さの少なくとも約０．３６倍である底部層１５１４が、この目的で使用される。
【０１２２】
本発明の別の実施形態による身体支持体１６０２が図１６に示されており、網目状粘弾性フォームを含む上部層１６１０、および開放セル非網目状粘弾性フォームを含む底部層１６１２の２つの材料層を備えている。
【０１２３】
上部層１６１０の網目状フォーム（その材料性状を含む）は、図１２および１２Ａの実施形態に関して上により詳細に記載されている。底部層１６１２の開放セル非網目状粘弾性フォームは普通、そうでなければ「メモリフォーム」または「低弾力性フォーム」として知られるフォームの分類内に含まれる。
【０１２４】
いくつかの実施形態では、底部層１６１２は比較的低い硬度を有して、網目状粘弾性フォームの上部層１６１０の下に変形可能および適合可能基板を提供する。少なくとも部分的に上部層１６１０の厚さによって、底部層１６１２は使用者の身体によって加えられる圧力に基づき使用者の身体に適合することができ、それによって身体支持体１６０２の上に使用者の身体によって加えられる力を分配する上部層１６１０の能力を補足することができる。いくつかの実施形態では、底部層１６１２は少なくとも約３０Ｎおよび約１７５Ｎ未満の硬度を有する。他の実施形態では、少なくとも約４０Ｎおよび約１１０Ｎ未満の硬度を有する底部層１６１２が利用されている。さらに他の実施形態では、少なくとも約４０Ｎおよび約７５Ｎ未満の硬度を有する底部層１６１２が利用されている。
【０１２５】
底部層１６１２はまた、比較的高い程度の材料耐久性を提供する密度を有することができる。底部層１６１２内のフォームの密度は、底部層１６１２が圧力に反応する方法、およびフォームの感触などのフォームの他の特徴に影響を与える可能性がある。いくつかの実施形態では、底部層１６１２は約３０ｋｇ／ｃｍ3以上で約１５０ｋｇ／ｍ3未満の密度を有する。他の実施形態では、約４０ｋｇ／ｃｍ3以上で約１２５ｋｇ／ｍ3未満の密度を有する底部層１６１２が利用されている。さらに他の実施形態では、約６０ｋｇ／ｃｍ3以上で約１１５ｋｇ／ｍ3未満の密度を有する底部層１６１２が利用されている。
【０１２６】
底部層１６１２の非網目状粘弾性材料は、あらゆる範囲の温度に対する応答性に対して選択することができる。しかしいくつかの実施形態では、使用者の体温の範囲内の（または、身体支持体１６０２上にある使用者の身体との接触または近接によって底部層１６１２が曝される温度の範囲内の）温度反応性はかなりの利点を与えることができる。いくつかの実施形態では、底部層１６１２に対して選択した非網目状粘弾性材料は、少なくとも約０℃以上の温度変化に応じることができる。いくつかの実施形態では、底部層１６１２に対して選択した非網目状粘弾性材料は、少なくとも約１０℃の範囲内の温度変化に応じることができる。他の実施形態では、底部層１６１２に対して選択した非網目状粘弾性材料は、少なくとも約１５℃の範囲内の温度変化に応じることができる。
【０１２７】
いくつかの実施形態では、網目状粘弾性フォームの上部層１６１０は、（少なくとも部分的に、上部層１６１２のフォームの網目状セル構造により）底部層１６１２の熱量を少なくすることができ、さらに身体支持体１６０２の比較的柔らかい適合可能な表面、および（上部層１６１０の粘弾性により）使用者からの力に応じて使用者の身体に適合する、および／または圧力を分配させる能力を提供することができる。
【０１２８】
図１６に示す身体支持体１６０２は、底部層１６１２の厚さの０．３３から２倍の間の上部層１６１０を有することができ、それによって上部層１６１０を介したかなりの程度の通気および／または放熱、および底部層１６１２の望ましい身体適合性、圧力分配、および快適性特徴を提供することができる。いくつかの実施形態では、これらの目的で、身体支持体１６０２は底部層１６１２の０．５から１．５倍の間の厚さである上部層１６１０を有する。さらに他の実施形態では、これらの目的で、身体支持体１６０２は底部層１６１２とほぼ同じ厚さである上部層１６１０を有する。
【０１２９】
図１７は、本発明による身体支持体の別の実施形態を示している。本実施形態は、図１６に関連して上に記載した身体支持体の実施形態と同じ構造の多くを利用しており、同じ性状の多くを有する。したがって、以下の説明は基本的に、図１６に関連して上に記載した実施形態と異なる構造および特性を中心に扱う。構造および特性に関する追加の情報、および図１７に図示し、以下に説明する支持体の構造および特性への可能な代替形態に対して、図１６に関する上の説明を参照すべきである。図１６の実施形態の構造および特性に対応する図１７に示す実施形態の構造および特性は、これ以下１７００系の参照番号で示す。
【０１３０】
図１６に示す身体支持体１６０２と同様に、図１７に示す身体支持体１７０２は、網目状粘弾性フォームを含む上部層１７１０と、開放セル非網目状粘弾性フォームを含む下にある層１７１２とを有する。いくつかの実施形態では、身体支持体１７０２はしたがって、図１６の実施形態に関して上に記載した望ましい柔らかさ、身体適合性、通気および熱伝達性を提供することができる。図１７に示す身体支持体１７０２はさらに、非網目状粘弾性フォームの層１７１２の下に底部層１７１４を備えている。したがって、非網目状粘弾性フォームの層１７１２は、身体支持体１７０２の上部層１７１０と底部層１７１４の間に配置された中間層１７１２である。
【０１３１】
図１７に示す身体支持体１７０２の底部層１７１４は、網目状非粘弾性フォームを含んでいる。底部層１７１４の網目状非粘弾性フォーム（および、その様々な可能な性状を含む）が、図１３の実施形態に関して上により詳細に記載されている。
【０１３２】
いくつかの実施形態では、網目状非粘弾性フォームの上部層１７１０、および網目状非粘弾性フォームの底部層１７１４は、中間層１７１２内の熱を少なくして、少なくとも部分的に、上部層１７１０および底部層１７１２の網目状セル構造により中間層１７１２の両側から熱を引き、および／または中間層１７１２の両側で身体支持体１７０２の優れた通気を提供することができる。加えて、上部層１７１０の粘弾性はさらに、身体支持体１７０２の比較的柔らかい適合可能な表面、および使用者からの力に応じて使用者の身体に適合する、および／または圧力を分配させる能力を提供することができる。
【０１３３】
図１７に示す身体支持体１７０２は、中間層１７１２の底部からの望ましい程度の放熱および通気を行うために、上部層１７１０および中間層１７１２の組み合わせた厚さの少なくとも約０．１７倍の厚さである底部層１７１４を有することができる。いくつかの実施形態では、底部層１７１４はこれらの目的で、上部層１７１０および中間層１７１２の組み合わせた厚さの少なくとも約０．２５倍の厚さであってもよい。他の実施形態では、上部層１７１０および中間層１７１２の組み合わせた厚さの少なくとも約０．３７５倍である底部層１７１４が、これらの目的で使用される。
【０１３４】
図１８は、本発明による身体支持体の別の実施形態を示している。本実施形態は、図１６に関連して上に記載した身体支持体の実施形態と同じ構造の多くを利用しており、同じ性状の多くを有する。したがって、以下の説明は基本的に、図１６に関連して上に記載した実施形態と異なる構造および特性を中心に扱う。構造および特性に関する追加の情報、および図１８に図示し、以下に説明する支持体の構造および特性への可能な代替形態に対して、図１６に関する上の説明を参照すべきである。図１６の実施形態の構造および特性に対応する図１８に示す実施形態の構造および特性は、これ以下１８００系の参照番号で示す。
【０１３５】
図１６に示す身体支持体１６０２と同様に、図１８に示す身体支持体１８０２は、網目状粘弾性フォームを含む上部層１８１０と、開放セル非網目状粘弾性フォームを含む下にある層１８１２とを有する。いくつかの実施形態では、身体支持体１８０２はしたがって、図１６の実施形態に関して上に記載した望ましい柔らかさ、身体適合性、通気および熱伝達性を提供することができる。図１８に示す身体支持体１８０２はさらに、非網目状粘弾性フォームの層１８１２の下に底部層１８１４を備えている。したがって、非網目状粘弾性フォームの層１８１２は、身体支持体１８０２の上部層１８１０と底部層１８１４の間に配置された中間層１８１２である。
【０１３６】
図１８に示す身体支持体１８０２の底部層１８１４は、比較的高い弾力性および支持性がある可撓性ポリウレタンフォームのセル構造を含んでいる。比較的高い弾力性のある可撓性セルフォーム（および、その様々な可能な性状を含む）が、図１２および１２Ａの実施形態に関して上により詳細に記載されている。
【０１３７】
いくつかの実施形態では、底部層１８１４は、上部層１８１０および中間層１８１２が上にある比較的堅い基板を提供する支持層であり、（底部層１８１４の形状に使用者の重量が影響を与える程度に）使用者快適性を与えるようなある程度の変形性を提供する。したがって、底部層１８１４は、上部層１８１０および中間層１８１２にかなりの支持を提供することが可能である比較的高い弾力性を有するフォーム含むことができる。上部層１８１０および中間層１８１２は両方とも、上記の望ましい身体適合および圧力分配提供することができ、上部層１８１０はまた上に記載したように身体支持体１８０２に対してかなりの放熱および通気を提供することができる。いくつかの実施形態では、底部層１８１４は上部層１８１０および中間層１８１２よりも大きな弾力性を有する。
【０１３８】
図１８に示す身体支持体１８０２は、上部層１８１０および中間層１８１２の組み合わせた厚さの少なくとも０．１７倍の厚さである底部層１８１４を有することができ、それによって上部層１８１０および中間層１８１２に実質的な支持を与えることができる。いくつかの実施形態では、底部層１８１４は、上部層１８１０および中間層１８１２の組み合わせた厚さの少なくとも０．３３倍の厚さである。また、いくつかの実施形態では、底部層１８１４は上部層１８１０および中間層１８１２の組み合わせた厚さの少なくとも半分である。
【０１３９】
本発明の別の実施形態による身体支持体１９０２が図１９に示されており、開放セル非網目状粘弾性フォームを含む上部層１９１０、および網目状粘弾性フォームを含む底部層１９１２の２つの材料層を備えている。非網目状粘弾性フォーム（およびその様々な可能な性状）は、図１６の実施形態に関して上により詳細に記載されている。網目状粘弾性フォーム（およびその様々な可能な性状）は、図１２および１２Ａの実施形態に関して上により詳細に記載されている。
【０１４０】
いくつかの実施形態では、上部層１９１０によって（例えば、身体支持体１９０２の上にいる使用者により）受ける熱は、少なくとも部分的に底部層１９１２内のフォームの網目セル構造により、底部層１９１２の網目状粘弾性フォームによって拡散することができる。この身体支持体構造では、網目状粘弾性フォームの柔らかさ、身体適合性および圧力分配性状は、（使用者の身体の近くで）上部層１９１０内で維持され、底部層１９１２の通気および放熱性状は上部層１９１０内の熱を少なくするのを助けることができる。底部層１９１２はまた、柔らかさを提供することができ、使用者の身体からの圧力に応じて使用者の身体に少なくとも部分的に適合することができ、底部層１９１２の粘弾性により使用者の身体の圧力を分配することができる。
【０１４１】
図１９に示す身体支持体１９０２は、底部層１９１２の厚さの少なくとも０．３３倍の厚さである上部層１９１０を有することができ、それによって上部層１９１０を介したかなりの程度の通気および／または放熱、および底部層１９１２の望ましい身体適合性、圧力分配、および快適性特徴を提供することができる。いくつかの実施形態では、これらの目的で、身体支持体１９０２は底部層１９１２と少なくとも同じ厚さである上部層１９１０を有する。さらに他の実施形態では、これらの目的で、身体支持体１９０２は底部層１９１２の少なくとも２倍の厚さである上部層１９１０を有する。
【０１４２】
図２０は、本発明による身体支持体の別の実施形態を示している。本実施形態は、図１９に関連して上に記載した身体支持体の実施形態と同じ構造の多くを利用しており、同じ性状の多くを有する。したがって、以下の説明は基本的に、図１９に関連して上に記載した実施形態と異なる構造および特性を中心に扱う。構造および特性に関する追加の情報、および図２０に図示し、以下に説明する支持体の構造および特性への可能な代替形態に対して、図１９に関する上の説明を参照すべきである。図１９の実施形態の構造および特性に対応する図２０に示す実施形態の構造および特性は、これ以下２０００系の参照番号で示す。
【０１４３】
図１９に示す実施形態と同様に、図２０に示す身体支持体２００２は、開放セル非網目状粘弾性フォームを含む上部層２０１０と、網目状粘弾性フォームを含む下にある層２０１２とを有する。いくつかの実施形態では、身体支持体２００２はしたがって、上に記載するように（使用者の身体の近くで）上部層２０１０内に望ましい柔らかさ、身体適合性、通気および熱伝達性を、また上に記載するように上部層２０１０から放熱するように下にある層２０１２の通気および放熱性状を提供することができる。下にある層２０１２はまた、身体支持体２００２の柔らかさを提供することができ、使用者の身体に身体支持体２００２を適合させるのを助け、下にある層２０１２の粘弾性により使用者の身体の圧力を分配することができる。
【０１４４】
図２０に示す身体支持体２００２はさらに、網目状粘弾性フォームの層２０１２の下に底部２０１４を備えている。したがって、網目状粘弾性フォームの層２０１２は、身体支持体２００２の上部層２０１０と底部層２０１４の間に配置された中間層２０１２である。
【０１４５】
図２０に示す身体支持体２００２の底部層２０１４は、開放セル非網目状粘弾性フォームを含んでいる。底部層２０１４の非網目状粘弾性フォーム（および、その様々な可能な性状）が、身体支持体２００２の上部層２０１０を参照して上に記載されている。また、底部層２０１４の非網目状粘弾性フォームは、上部層２０１０の非網目状粘弾性フォームと実質的に同じまたは異なる性状を有することができ、上に記載した非網目状粘弾性フォームの材料性状範囲内にある。いくつかの実施形態では、非網目状粘弾性フォームの上部層２０１０および底部層２０１４は、使用者の身体に全体的に面した層２０１０、２０１４のいずれかで配向させることができる製品（例えば、いずれか側で反転させることができるマットレス）内で使用することができる。またあるいは別の方法では、底部層２０１４の非網目状粘弾性フォームは、上に記載した上部層２０１０および中間層２０１２の身体適合および圧力分配能力を補足することができる。
【０１４６】
図２０に示す身体支持体２００２はまた、非網目状粘弾性フォームの層を、通気および放熱のために、網目状粘弾性フォームの層に面した非網目状粘弾性フォームの２つの層に置き換えることができる方法の一例である。
【０１４７】
図２１は、本発明による身体支持体の別の実施形態を示している。本実施形態は、図１９に関連して上に記載した身体支持体の実施形態と同じ構造の多くを利用しており、同じ性状の多くを有する。したがって、以下の説明は基本的に、図１９に関連して上に記載した実施形態と異なる構造および特性を中心に扱う。構造および特性に関する追加の情報、および図２１に図示し、以下に説明する支持体の構造および特性への可能な代替形態に対して、図１９に関する上の説明を参照すべきである。図１９の実施形態の構造および特性に対応する図２１に示す実施形態の構造および特性は、これ以下２１００系の参照番号で示す。
【０１４８】
図１９に示す実施形態と同様に、図２１に示す身体支持体２１０２は、開放セル非網目状粘弾性フォームを含む上部層２１１０と、網目状粘弾性フォームを含む下にある層２１１２とを有する。いくつかの実施形態では、身体支持体２１０２はしたがって、上に記載するように（使用者の身体の近くで）上部層２１１０内に望ましい柔らかさ、身体適合性、通気および熱伝達性を、また上に記載するように上部層２１１０から放熱するように下にある層２１１２の通気および放熱性状を提供することができる。下にある層２１１２はまた、身体支持体２１０２に柔らかさを提供することができ、使用者の身体に身体支持体２１０２を適合させるのを助け、下にある層２１１２の粘弾性により使用者の身体の圧力を分配することができる。
【０１４９】
図２１に示す身体支持体２１０２はさらに、網目状粘弾性フォームの層２１１２の下に底部層２１１４を備えている。したがって、網目状粘弾性フォームの層２１１２は、身体支持体２１０２の上部層２１１０と底部層２１１４の間に配置された中間層２１１２である。
【０１５０】
図２１に示す身体支持体２１０２の底部層２１１４は、網目状粘弾性フォームを含んでいる。底部層２０１４の網目状粘弾性フォーム（および、その様々な可能な性状）が、図１３の実施形態に関して上により詳細に記載されている。
【０１５１】
いくつかの実施形態では、網目状粘弾性フォームの中間層２１１２は、上に記載するように上部層２１１０内の熱を少なくすることができる。しかし、中間層２１１２内で利用することができるいくつかのタイプの網目状粘弾性フォームは、身体支持体２１０２に対して高い程度の支持を提供しない。これはいくつかの応用例（例えば、枕、布団などの中）において許容可能であるおよび／または望ましい可能性があるが、いくつかの実施形態では追加の支持が望ましい。底部層２１１４の網目状非粘弾性フォームはこのような追加の支持を提供することができ、さらに図１３の実施形態に関して前に記載した通気および／または放熱性状を提供することができる。網目状非粘弾性フォームの底部層２１１４は、これに限らないが、（図１３の実施形態に関して上により詳細に記載した）使用者の体温にあまり反応しない、またはほぼ無反応である材料層を提供することを含む他の理由でも利用することができ、上に記載した通気および／または放熱性状を提供することができる。
【０１５２】
図２１に示す身体支持体２１０２は、上部層２１１０および中間層２１１２の組み合わせた厚さと少なくとも同じ厚さである底部層２１１４を有することができ、それによって上部層２１１０および中間層２１１２対して、実質的な支持、通気および放熱を提供することができる。いくつかの実施形態では、底部層２１１４は、上部層２１１０および中間層２１１２の組み合わせた厚さの少なくとも約０．１７倍の厚さである。他の実施形態では、底部層２１１４は、上部層２１１０および中間層２１１２の組み合わせた厚さの少なくとも約０．３７５倍の厚さである。
【０１５３】
図２２は、本発明による身体支持体の別の実施形態を示している。本実施形態は、図１９に関連して上に記載した身体支持体の実施形態と同じ構造の多くを利用しており、同じ性状の多くを有する。したがって、以下の説明は基本的に、図１９に関連して上に記載した実施形態と異なる構造および特性を中心に扱う。構造および特性に関する追加の情報、および図２２に図示し、以下に説明する支持体の構造および特性への可能な代替形態に対して、図１９に関する上の説明を参照すべきである。図１９の実施形態の構造および特性に対応する図２２に示す実施形態の構造および特性は、これ以下２２００系の参照番号で示す。
【０１５４】
図１９に示す実施形態と同様に、図２２に示す身体支持体２２０２は、開放セル非網目状粘弾性フォームを含む上部層２２１０と、網目状粘弾性フォームを含む下にある層２２１２とを有する。いくつかの実施形態では、身体支持体２２０２はしたがって、上に記載するように（使用者の身体の近くで）上部層２２１０内に望ましい柔らかさ、身体適合性、通気および熱伝達性を、また上に記載するように上部層２２１０から放熱するように下にある層２２１２の通気および放熱性状を提供することができる。下にある層２２１２はまた、身体支持体２２０２に柔らかさを提供することができ、使用者の身体に身体支持体２２０２を適合させるのを助け、下にある層２２１２の粘弾性により使用者の身体の圧力を分配することができる。
【０１５５】
図２２に示す身体支持体２２０２はさらに、網目状粘弾性フォームの層２２１２の下に底部層２２１４を備えている。したがって、網目状粘弾性フォームの層２２１２は、身体支持体２２０２の上部層２２１０と底部層２２１４の間に配置された中間層２２１２である。
【０１５６】
図２２示す身体支持体２２０２の底部層２２１４は、比較的高い弾力性および支持性である可撓性ポリウレタンフォームのセル構造を備えている。底部層２２１４はしたがって、上部層２２１０および中間層２２１２が上にある比較的堅い基板を提供することができ、それによって上部層２２１０および中間層２２１２に対する支持を提供することができる。また、底部層２２１４の可撓性は、（底部層２２１４の形状に使用者の重量が影響を与える程度に）使用者快適性を与えるようなある程度の変形性を提供することができ、上部層２２１０および中間層２２１２は、上記の望ましい身体適合および圧力分配提供することができ、中間層２２１２は身体支持体２２０２に対してかなりの放熱および通気を提供する。いくつかの実施形態では、底部層２２１４は上部層２２１０および中間層２２１２よりも大きな弾力性を有する。
【０１５７】
図２２に示す身体支持体２２０２は、上部層２２１０および中間層２２１２の組み合わせた厚さと少なくとも同じ厚さである底部層２２１４を有することができ、それによって上部層２２１０および中間層２２１２に実質的な支持を与えることができる。いくつかの実施形態では、底部層２２１４は、上部層２２１０および中間層２２１２の組み合わせた厚さの少なくとも０．１７倍の厚さである。また、いくつかの実施形態では、底部層２２１４は上部層２２１０および中間層２２１２の組み合わせた厚さの少なくとも半分である。
【０１５８】
図２３は、本発明による身体支持体の別の実施形態を示している。本実施形態は、本実施形態は、図１２および１２Ａに関連して上に記載した身体支持体の実施形態と同じ構造の多くを利用しており、同じ性状の多くを有する。したがって、以下の説明は基本的に、図１２および１２Ａに関連して上に記載した実施形態と異なる構造および特性を中心に扱う。構造および特性に関する追加の情報、および図２３に図示し、以下に説明する支持体の構造および特性への可能な代替形態に対して、図１２および１２Ａに関する上の説明を参照すべきである。図１２および１２Ａの実施形態の構造および特性に対応する図２３に示す実施形態の構造および特性は、これ以下２３００系の参照番号で示す。
【０１５９】
図１２および１２Ａに示す身体支持体１２０２と同様に、図２３に示す身体支持体２３０２は、非網目状粘弾性フォームを含む上部層２３１０を備え、その下に比較的弾力性のある可撓性ポリウレタン材料のセル構造を含む底部層２３１２がある。上部層２３１０および底部層２３１２の非網目状粘弾性フォームおよび比較的弾力性のある可撓性セルフォームはそれぞれ、図１２および１２Ａに示す実施形態に関して上により詳細に記載されている。
【０１６０】
身体支持体２３０２の底部層２３１２の上部表面２３２０は、上部層２３１０のほぼ平らな底部表面２３１８の下に非平面形状を有する。上部表面２３２０の非平面形状は、図４に示す身体支持体４０２の底部層４１２の非平面上部表面４２０に関して上に記載したあらゆる形をとることができ、また上に記載するように複数の突起２３２８および／または複数の開口部（図示せず）によって画定することができる。上部層２３１０のほぼ平らな底部表面２３１８と底部層２３１２の非平面上部表面２３２０の間の通路２３３０は、身体支持体２３０２のある程度の通気および優れた放熱を行うことができる。他の実施形態では、このような通路２３３０は、上部層２３１０の非平面底部表面２３１８と底部層２３１２のほぼ平らな上部表面２３２０の間に、または上部層２３１０の非平面底部表面２３１８と底部層２３１２の非平面上部表面２３２０の間に画定することができ、（１つまたは複数の）非平面表面は図４に示す実施形態に関して上に記載した方法のいずれかで画定することができる。
【０１６１】
図２３に示す上部層２３１０と底部層２３１２の間に延びる通路２３３０は、網目状粘弾性フォームの上部層２３１０の通気および／または放熱能力を補足することができ、比較的高い弾力性のある可撓性セルフォームの底部層２３１２内の熱を少なくすることができる。これに関して、網目状粘弾性フォームの上部層２３１０内のセルの骨格構造は、熱を上部層２３１０から通路２３３０にまたこれを通して運ぶことを可能にする。
【０１６２】
図２４は、本発明による身体支持体の別の実施形態を示している。本実施形態は、図１４に関連して上に記載した身体支持体の実施形態と同じ構造の多くを利用しており、同じ性状の多くを有する。したがって、以下の説明は基本的に、図１４に関連して上に記載した実施形態と異なる構造および特性を中心に扱う。構造および特性に関する追加の情報、および図２４に図示し、以下に説明する支持体の構造および特性への可能な代替形態に対して、図１４に関する上の説明を参照すべきである。図１４の実施形態の構造および特性に対応する図２４に示す実施形態の構造および特性は、これ以下２４００系の参照番号で示す。
【０１６３】
図１４に示す身体支持体構造１４０２に関して上により詳細に記載したように、図２４に示す身体支持体２４０２は、網目状粘弾性フォームを含む上部層２１１０と、網目状非粘弾性フォームを含む中間層２４１２と、比較的弾力性のある可撓性ポリウレタン材料のセル構造を含む底部層２４１２とを含む。上部層２４１０および底部層２３１４の網目状粘弾性フォームおよび比較的弾力性のある可撓性セルフォームはそれぞれ、図１２および１２Ａに示す実施形態に関して上により詳細に記載されている。中間層２４１２の網目状非粘弾性フォームは、図１３に示す実施形態に関して上により詳細に記載されている。
【０１６４】
底部層２４１４の上部表面２４２４は、中間層２４１２のほぼ平らな底部表面２４２２の下に非平面形状を有する。上部表面２４２４の非平面形状は、図４に示す身体支持体４０２の底部層４１２の非平面上部表面４２０に関して上に記載したあらゆる形をとることができ、また上に記載するように複数の突起２４２８および／または複数の開口部（図示せず）によって画定することができる。中間層２４１２のほぼ平らな底部表面２４２２と底部層２４１４の非平面上部表面２４２４の間の通路２４３０は、身体支持体２４０２のある程度の通気および優れた放熱（例えば、中間層２４１２から、いくつかの場合では、中間層２４１２および上部層２４１０の両方からの熱の移動）を行うことができる。他の実施形態では、このような通路２４３０は、中間層２４１２の非平面底部表面２４２２と底部層２４１４のほぼ平らな上部表面２４２４の間に、または中間層２４１２の非平面底部表面２４２２と底部層２４１４の非平面上部表面２４２４の間に画定することができ、（１つまたは複数の）非平面表面は図４に示す実施形態に関して上に記載した方法のいずれかで画定することができる。
【０１６５】
図２４に示す中間層２４１２と底部層２４１４の間に延びる通路２４３０は、身体支持体２４０２に網目状非粘弾性フォームの中間層２４１２から放熱する大きな能力を提供することができ、それによって網目状粘弾性フォームの上部層２４１０から使用者の体熱を受けることができる。上部層２４１０および中間層２４１２内のセルの骨格構造は、熱を上部層２４１０および中間層２４１２から通路２４３０にまたこれを通して運ぶことを可能にする。横方向への（すなわち、身体支持体２４０２の縁部に向かう）熱伝達が、少なくとも部分的にこのようなフォームのセル構造に基づいて、網目状粘弾性および網目状非粘弾性材料の上部層２４１０および中間層２４１２内にまだ起こるが、通路２４３０はこの熱伝達を良くすることができる。
【０１６６】
図２５は、本発明による身体支持体の別の実施形態を示している。本実施形態は、図２１に関連して上に記載した身体支持体の実施形態と同じ構造の多くを利用しており、同じ性状の多くを有する。したがって、以下の説明は基本的に、図２１に関連して上に記載した実施形態と異なる構造および特性を中心に扱う。構造および特性に関する追加の情報、および図２５に図示し、以下に説明する支持体の構造および特性への可能な代替形態に対して、図２１に関する上の説明を参照すべきである。図２１の実施形態の構造および特性に対応する図２５に示す実施形態の構造および特性は、これ以下２５００系の参照番号で示す。
【０１６７】
図２１に示す身体支持体構造２１０２に関して上により詳細に記載したように、図２５に示す身体支持体２５０２は、開放セル非網目状粘弾性フォームを含む上部層２５１０と、網目状粘弾性フォームを含む中間層２５１２と、網目状非粘弾性フォーム含む底部層２５１２とを含む。
【０１６８】
中間層２５１２の上部表面２５２０は、上部層２５１０のほぼ平らな底部表面２５１８の下に非平面形状を有する。上部表面２５２０の非平面形状は、図４に示す身体支持体４０２の底部層４１２の非平面上部表面４２０に関して上に記載したあらゆる形をとることができ、また上に記載するように複数の突起２５２８および／または複数の開口部（図示せず）によって画定することができる。上部層２５１０のほぼ平らな底部表面２５１８と中間層２５１２の非平面上部表面２５２０の間の通路２５３０は、身体支持体２５０２のある程度の通気および優れた放熱を行うことができる。他の実施形態では、このような通路２５３０は、上部層２５１０の非平面底部表面２５１８と中間層２５１２のほぼ平らな上部表面２５２０の間に、または上部層２５１０の非平面底部表面２５１８と中間層２５１２の非平面上部表面２５２０の間に画定することができ、（１つまたは複数の）非平面表面は図４に示す実施形態に関して上に記載した方法のいずれかで画定することができる。
【０１６９】
上に記載した上部層２５１０と中間層２５１０の間の通路２５３０は、身体支持体２５０２の領域内の熱を少なくする際に特に有用である可能性がある。通路２５３０は、網目状粘弾性フォームおよび網目状非粘弾性フォームの中間層２５１２および底部層２５１４の通気および／または放熱能力を補足することができ、非網目状粘弾性フォームの上部層２５１０内の熱を少なくすることができる。加えて、中間層２５１２および底部層２５１４内のセルの骨格構造は、熱を上部層２５１０から中間層２５１２および底部層２５１４のセルにまたこれを通して運ぶことを可能にする。
【０１７０】
図２６は、本発明による身体支持体の別の実施形態を示している。本実施形態は、図２２に関連して上に記載した身体支持体の実施形態と同じ構造の多くを利用しており、同じ性状の多くを有する。したがって、以下の説明は基本的に、図２２に関連して上に記載した実施形態と異なる構造および特性を中心に扱う。構造および特性に関する追加の情報、および図２６に図示し、以下に説明する支持体の構造および特性への可能な代替形態に対して、図２２に関する上の説明を参照すべきである。図２２の実施形態の構造および特性に対応する図２６に示す実施形態の構造および特性は、これ以下２６００系の参照番号で示す。
【０１７１】
図２２に示す身体支持体構造２２０２に関して上により詳細に記載したように、図２６に示す身体支持体２６０２は、開放セル非網目状粘弾性フォームを含む上部層２６１０と、網目状粘弾性フォームを含む中間層２６１２と、比較的高い弾力性を有する可撓性セルポリウレタンフォームを含む底部層２６１４とを含む。しかし、底部層２６１４の上部表面２６２４は、中間層２６１２のほぼ平らな底部表面２６２２の下に非平面形状を有する。上部表面２６２４の非平面形状は、図４に示す身体支持体４０２の底部層４１２の非平面上部表面４２０に関して上に記載したあらゆる形をとることができ、また上に記載するように複数の突起２６２８および／または複数の開口部（図示せず）によって画定することができる。通路２６３０は、中間層２６１２のほぼ平らな底部表面２６２２と底部層２６１４の非平面上部表面２６２４の間に画定することができる。他の実施形態では、このような通路２６３０は、中間層２６１２の非平面底部表面２６２２と底部層２６１４のほぼ平らな上部表面２６２４の間に、または中間層２６１２の非平面底部表面２６２２と底部層２６１４の非平面上部表面２６２４の間に画定することができ、（１つまたは複数の）非平面表面は図４に示す実施形態に関して上に記載した方法のいずれかで画定することができる。
【０１７２】
図２６に示す中間層２６１２と底部層２６１４の間に延びる通路２６３０は、身体支持体２６０２のある程度の通気および優れた放熱を行うことができる（例えば、熱が中間層２６１２から通路２６３０に向かって、またいくつかの場合では、中間層２６１２および上部層２６１０の両方から通路２６３０に向かって移動することができる）。中間層２６１２内のセルの骨格構造は、熱を上部層２６１０から通路２６３０にまたこれを通して運ぶことを可能にする。横方向への（すなわち、身体支持体２６０２の縁部に向かう）熱伝達が、少なくとも部分的にこのようなフォームのセル構造に基づいて、網目状粘弾性フォームの中間層２６１２内にまだ起こるが、通路２６３０はこの熱伝達を良くすることができる。
【０１７３】
図２７は、本発明による身体支持体の別の実施形態を示している。本実施形態は、図１７に関連して上に記載した身体支持体の実施形態と同じ構造の多くを利用しており、同じ性状の多くを有する。したがって、以下の説明は基本的に、図１７に関連して上に記載した実施形態と異なる構造および特性を中心に扱う。構造および特性に関する追加の情報、および図２７に図示し、以下に説明する支持体の構造および特性への可能な代替形態に対して、図１７に関する上の説明を参照すべきである。図１７の実施形態の構造および特性に対応する図２７に示す実施形態の構造および特性は、これ以下２７００系の参照番号で示す。
【０１７４】
図１７に示す身体支持体構造１７０２に関して上により詳細に記載したように、図２７に示す身体支持体２７０２は、網目状粘弾性フォームを含む上部層２７１０と、開放セル非網目状粘弾性フォームを含む中間層２７１２と、網目状非粘弾性フォーム含む底部層２７１２とを含む。
【０１７５】
中間層２７１２の上部表面２７２０は、上部層２７１０のほぼ平らな底部表面２７１８の下に非平面形状を有する。上部表面２７２０の非平面形状は、図４に示す身体支持体４０２の底部層４１２の非平面上部表面４２０に関して上に記載したあらゆる形をとることができ、また上に記載するように複数の突起２７２８および／または複数の開口部（図示せず）によって画定することができる。通路２７３０は、上部層２７１０のほぼ平らな底部表面２７１８と中間層２７１２の非平面上部表面２７２０の間に画定することができる。いくつかの実施形態では、通路２７３０は、上部層２７１０の非平面底部表面２７１８と中間層２７１２のほぼ平らな上部表面２７２０の間に、または上部層２７１０の非平面底部表面２７１８と中間層２７１２の非平面上部表面２７２０の間に画定することができ、（１つまたは複数の）非平面表面は図４に示す実施形態に関して上に記載した方法のいずれかで画定することができる。
【０１７６】
図２７に示す上部層２７１０と中間層２７１２の間の通路２７３０は、身体支持体２７０２に、ある程度の通気および／または非網目状粘弾性フォームの中間層２７１２から放熱する大きな能力を提供することができ、それによって網目状粘弾性フォームの上部層２７１０から使用者の体熱を受けることができる。いくつかの応用例では、熱は上部層２７１０内のセルの骨格構造を通して、その後上部層２７１０と中間層２７１２の間の通路２７３０を通して伝達することができる。
【０１７７】
図２８は、本発明による身体支持体の別の実施形態を示している。本実施形態は、図１８に関連して上に記載した身体支持体の実施形態と同じ構造の多くを利用しており、同じ性状の多くを有する。したがって、以下の説明は基本的に、図１８に関連して上に記載した実施形態と異なる構造および特性を中心に扱う。構造および特性に関する追加の情報、および図２８に図示し、以下に説明する支持体の構造および特性への可能な代替形態に対して、図１８に関する上の説明を参照すべきである。図１８の実施形態の構造および特性に対応する図２８に示す実施形態の構造および特性は、これ以下２８００系の参照番号で示す。
【０１７８】
図１８に示す身体支持体構造１８０２に関して上により詳細に記載したように、図２８に示す身体支持体２８０２は、網目状粘弾性フォームを含む上部層２８１０と、開放セル非網目状粘弾性フォームを含む中間層２８１２と、比較的高い弾力性を有する可撓性セルポリウレタンフォームを含む底部層２８１４とを含む。
【０１７９】
底部層２８１４の上部表面２８２４は、中間層２８１２のほぼ平らな底部表面２８２２の下に非平面形状を有する。上部表面２８２４の非平面形状は、図４に示す身体支持体４０２の底部層４１２の非平面上部表面４２０に関して上に記載したあらゆる形をとることができ、また上に記載するように複数の突起２８２８および／または複数の開口部（図示せず）によって画定することができる。通路２８３０は、中間層２８１２のほぼ平らな底部表面２８２２と底部層２８１４の非平面上部表面２８２４の間に画定することができる。他の実施形態では、このような通路２８３０は、中間層２８１２の非平面底部表面２８２２と底部層２８１４のほぼ平らな上部表面２８２４の間に、または中間層２８１２の非平面底部表面２８２２と底部層２８１４の非平面上部表面２８２４の間に画定することができ、（１つまたは複数の）非平面表面は図４に示す実施形態に関して上に記載した方法のいずれかで画定することができる。
【０１８０】
図２８に示す中間層２８１２と底部層２８１４の間の通路２８３０は、身体支持体２８０２に、ある程度の通気および／または非網目状粘弾性フォームの中間層２８１２から放熱する大きな能力を提供することができ、それによって網目状粘弾性フォームの上部層２８１０から使用者の体熱を受けることができる。特に、非網目状粘弾性フォームの中間層２８１２の下に延びる通路２８３０は、中間層２８１２から通路２８３０を通して熱を伝達することを可能にする。
【０１８１】
図２９は、本発明による身体支持体の別の実施形態を示している。本実施形態は、図１２および１２Ａに関連して上に記載した身体支持体の実施形態と同じ構造の多くを利用しており、同じ性状の多くを有する。したがって、以下の説明は基本的に、図１２および１２Ａに関連して上に記載した実施形態と異なる構造および特性を中心に扱う。構造および特性に関する追加の情報、および図２９に図示し、以下に説明する支持体の構造および特性への可能な代替形態に対して、図１２および１２Ａに関する上の説明を参照すべきである。図１２および１２Ａの実施形態の構造および特性に対応する図２９に示す実施形態の構造および特性は、これ以下２９００系の参照番号で示す。
【０１８２】
図１２および１２Ａに示す身体支持体１２０２と同様に、図２９に示す身体支持体２９０２は、非網目状粘弾性フォームを含む上部層２９１０を備え、その下に比較的高い弾力性を有する可撓性ポリウレタンフォームを含む底部層２９１２がある。上部層２９１０および底部層２９１２の網目状粘弾性フォームおよび比較的高い弾力性の可撓性セルフォームはそれぞれ、図１２および１２Ａに示す実施形態に関して上により詳細に記載されている。
【０１８３】
図２９に示す実施形態を続けて参照して、身体支持体２９０２の上部および底部層２９１０、２９１２は、網目状非粘弾性フォームを含むカバー２９４８を有することができる。カバー２９４８の網目状非粘弾性フォームは、図１３に示す身体支持体１３０２の底部層１３１２に関して上に記載したのと同じ性状を有することができる。また、カバー２９４８の網目状非粘弾性フォームは上部および底部層２９１０、２９１２のいずれかの部分を覆うことができる。例えば、図２９に示すカバー２９４８は上部層２９１０の上部表面２９１６全体を実質的に覆う。他の実施形態では、カバー２９４８はまたあるいは代わりに、上部および／または底部層２９１０、２９１２の側部および端部のいずれかの部分または全てを覆うことができる、および／または底部層２９１２の底部表面２９２４のいずれかの部分または全ての下にあってもよい。いくつかの実施形態では、カバー２９４８は上部および底部層２９１０、２９１２をほぼ全体的に囲んでいる。
【０１８４】
網目状非粘弾性フォームカバー２９４８は、身体支持体２９０２に高い程度の耐火性を提供するように選択することができ、いくつかの国および／または地域では、このような耐火性を必要とする消防規則を満たすために利用することができる。このような消防規則要件を満たすことが可能な他の材料も利用することができるが、網目状非粘弾性フォームの使用により、網目状非粘弾性フォームカバー２９４８によって覆われた第１のおよび／または第２の層２９１０、２９１２の（１つまたは複数の）表面に対して優れた通気を行うことができる。上に記載したように、網目状非粘弾性フォームは、網目状フォームの骨格セル構造に少なくとも部分的に基づき、身体支持体の隣接する領域内の熱量（例えば、使用者の身体からの）を少なくすることができる。したがって、いくつかの実施形態では、網目状非粘弾性フォームカバー２９４８はある程度の耐火性を提供することができ、また、身体支持体２９０２を通気するように働き、網目状非粘弾性フォームカバー２９４８によって覆われた隣接する第１および／または第２の層２９１０、２９１２からの放熱を行うことができる。またカバー２９４８の網目状非粘弾性フォームは、（図１３の実施形態に関して上により詳細に記載した）使用者の体温にあまり反応しない、またはほぼ無反応である材料層を提供するために利用することができ、さらに上に記載したような通気および／または放熱性状を提供することができる。
【０１８５】
上部層２９１０の網目状非粘弾性材料は、使用者の身体に比較的快適な基板を提供することができ、（上部層２９１０の網目状非粘弾性材料の上に使用者の身体によって加えられる力を分配するように）使用者の身体に少なくとも部分的に適合することができ、使用者の体熱によって発生される温度の範囲に対する反応性に対して選択することができる。いくつかの実施形態では、網目状フォームカバー２９４８（利用した場合）はこれらの性状をまだ示すことができる最大厚さを有する。網目状で粘弾性のある第１の層２９１０の望ましい触覚は、網目状非粘弾性フォームカバー２９４８によっていくつかの実施形態で遮られるが、第１の層２９１０の粘弾性材料の他の望ましい性状は十分薄い網目状非粘弾性フォームカバー２９４８によりまだ得られる。いくつかの実施形態では、網目状非粘弾性フォームカバー２９４８は約１ｃｍの最大厚さを有する。他の実施形態では、網目状非粘弾性フォーム２９４８は約２ｃｍの最大厚さを有する。さらに他の実施形態では、網目状非粘弾性フォーム２９４８は約５ｃｍの最大厚さを有する。
【０１８６】
図３０は、本発明による身体支持体の別の実施形態を示している。本実施形態は、図２９に関連して上に記載した身体支持体の実施形態と同じ構造の多くを利用しており、同じ性状の多くを有する。したがって、以下の説明は基本的に、図２９に関連して上に記載した実施形態と異なる構造および特性を中心に扱う。構造および特性に関する追加の情報、および図３０に図示し、以下に説明する支持体の構造および特性への可能な代替形態に対して、図２９に関する上の説明を参照すべきである。図２９の実施形態の構造および特性に対応する図３０に示す実施形態の構造および特性は、これ以下３０００系の参照番号で示す。
【０１８７】
図２９に示す身体支持体２９０２と同様に、図３０に示す身体支持体３００２は、網目状粘弾性フォームを含む上部層３０１０と、比較的高い弾力性を有する可撓性ポリウレタンフォームを含む底部層３０１２と、網目状非粘弾性フォームを含むカバー３０４８とを有する。上部層３０１０および底部層３０１２の網目状粘弾性フォームおよび比較的高い弾力性の可撓性セルフォームはそれぞれ、図１２および１２Ａに示す実施形態に関して上により詳細に記載されている。カバー３０４８の網目状非粘弾性フォームは、図１３に示す実施形態に関して上により詳細に記載されている。
【０１８８】
網目状非粘弾性フォームカバー３０４８は、身体支持体３００２に高い程度の耐火性を提供するように選択することができ、網目状非粘弾性フォームカバー３０４８によって覆われた隣接する第１および／または第２の層３０１０、３０１２からの放熱（使用者の身体から受ける熱）を行うように働くこともできる。これに関して、カバー３０４８の網目状非粘弾性フォームは、（図１３の実施形態に関して上により詳細に記載した）使用者の体温にあまり反応しない、またはほぼ無反応である材料層を提供するために利用することができ、さらに上に記載したような通気および／または放熱性状を提供することができる。
【０１８９】
身体支持体３００２の底部層３０１２の上部表面３０２０は、上部層３０１０のほぼ平らな底部表面３０１８の下に非平面形状を有する。上部表面３０２０の非平面形状は、図４に示す身体支持体４０２の底部層４１２の非平面上部表面４２０に関して上に記載したあらゆる形をとることができ、また上に記載するように複数の突起３０２８および／または複数の開口部（図示せず）によって画定することができる。通路３０３０は、上部層２３０１０のほぼ平らな底部表面３０１８と底部層３０１２の非平面上部表面３０２０の間に画定することができる。他の実施形態では、このような通路３０３０は、上部層３０１０の非平面底部表面３０１８と底部層３０１２のほぼ平らな上部表面３０２０の間に、または上部層３０１０の非平面底部表面３０１８と底部層３０１２の非平面上部表面３０２０の間に画定することができ、（１つまたは複数の）非平面表面は図４に示す実施形態に関して上に記載した方法のいずれかで画定することができる。
【０１９０】
図３０に示す上部層３０１０と底部層３０１２の間に延びる通路３０３０は、網目状粘弾性フォームの上部層３０１０の通気および／または放熱能力を補足することができ、比較的高い弾力性のある可撓性セルフォームの底部層３０１２内の熱を少なくするまたは防ぐことができる。これに関して、網目状粘弾性フォームの上部層３０１０内のセルの骨格構造は、熱を上部層３０１０から通路３０３０にまたこれを通して運ぶことを可能にする。
【０１９１】
図３１は、本発明による身体支持体の別の実施形態を示している。本実施形態は、図２１に関連して上に記載した身体支持体の実施形態と同じ構造の多くを利用しており、同じ性状の多くを有する。したがって、以下の説明は基本的に、図２１に関連して上に記載した実施形態と異なる構造および特性を中心に扱う。構造および特性に関する追加の情報、および図３１に図示し、以下に説明する支持体の構造および特性への可能な代替形態に対して、図２１に関する上の説明を参照すべきである。図２１の実施形態の構造および特性に対応する図３１に示す実施形態の構造および特性は、これ以下３１００系の参照番号で示す。
【０１９２】
図２１に示す身体支持体構造２１０２と同様に、図３１に示す身体支持体３１０２は、開放セル非網目状粘弾性フォームを含む上部層３１１０と、網目状粘弾性フォームを含む中間層３４１２と、網目状非粘弾性フォームを含む底部層３４１２とを含む。しかし、上部層３１１０はさらに、中間層３１１２の網目状粘弾性フォームと実質的に同じまたは異なる性状を有することができる網目状粘弾性フォームの部分を含んでいる。上部層３１１０の非網目状粘弾性フォームは、図１６に示す実施形態に関して上により詳細に記載されている。上部層３１１０および中間層３１１２の網目状粘弾性フォームは、図１２および１２Ａに示す実施形態に関して上により詳細に記載されている。底部層３１１４の網目状非粘弾性フォームは、図１３に示す実施形態に関して上により詳細に記載されている。
【０１９３】
図３１に示す実施形態を続けて参照すると、上部層３１１０は網目状粘弾性フォームを含む３つの部分３１３２を有し、それぞれ非網目状粘弾性フォームを含む上部層３１１０の他の部分３１４６によって囲まれている。いくつかの実施形態では、網目状粘弾性フォームを含む３つの部分３１３２の１つまたは複数は、少なくとも約１０ｃｍで約２０ｃｍ未満だけ上部層３１１０の隣接する縁部からある距離に配置することができる。この距離は、網目状粘弾性フォームを含む３つの部分３１３２のいずれかの周りの異なる位置で同じまたは異なっていてもよく、図３１に示すものよりも大きいまたは小さくてもよい。
【０１９４】
上に記載する網目状粘弾性フォームを含む３つの部分３１３２はそれぞれ、矩形（図３１参照）、台形、三角形、または他の多角形、円形、楕円形、または他の丸い形状、不規則な形状などあらゆる所望の形状を有することができる。また、網目状粘弾性フォームを含む３つの部分３１３２は同じ形状（図３１参照）を有することができる、または異なる形状を有することができ、同じ寸法（図３１参照）を有することができる、または異なる寸法を有することができる。
【０１９５】
網目状粘弾性フォームを含む３つの部分３１３２は、上部層３１１０のあらゆる位置に配置することができる。単に例として、図３１に示す３つの部分３１３２は、使用者が身体支持体３１０２上で仰向け位置にある場合に大人の使用者の頭部、臀部および下肢が配置される身体支持体３１０２の領域に近接して配置されている。他の実施形態では、上部層３１１０は、使用者の頭部および臀部に近接して配置された網目状粘弾性フォームの２つの部分３１３２、使用者の頭部および／または肩に近接して配置された網目状粘弾性フォームの単一部分３１３２、使用者の頭部、背中、臀部および脚部に近接して配置された網目状粘弾性フォームの４つの部分３１３２などの、上部層３１１０内のあらゆる他の位置に配置された網目状粘弾性フォームの１つまたは複数の部分３１３２を有することができる。いくつかの実施形態では、（１つまたは複数の）網目状粘弾性フォーム部分３１３２は、使用者が身体支持体３１０２の長さＬにほぼ位置合せされた配向で身体支持体３１０２上に横たわっている場合に最も高い圧力を受ける身体支持体３１０２上の使用者の身体のこれらの領域に相当する領域に近接して配置されている。
【０１９６】
図３１に示す実施形態では網目状粘弾性フォームを含む３つの部分３１３２はそれぞれ、上部層３１１０の非網目状粘弾性フォームによって囲まれている。しかし他の実施形態では、部分３１３２の１つまたは複数の１つまたは複数の側部は上部層３１１０の側部または端部に開口しており、あるいは非網目状粘弾性フォームによって上部層３１１０の側部または端部から離れていない。
【０１９７】
図３１に示す実施形態を続けて参照すると、上部層３１１０内の非網目状粘弾性フォームは、図２１に示す実施形態に関して上に記載した望ましい柔らかさ、身体適合性、および圧力分配特性を提供することができる。非網目状粘弾性フォームを含む上部層３１１０の部分３１３２は、使用者の身体から最大の圧力および熱を受ける可能性がある、使用者の身体に隣接した上部層３１１０の領域に対して、かなりの程度の通気および／または放熱を行うことができる。これらの能力は、図２１に示す実施形態に関して上に記載した中間層３１１２および底部層３１１４の網目状粘弾性および網目状非粘弾性フォームによって行われる通気およびはさらに、使用者の身体に比較的高い程度の望ましい柔らかさ、身体適合性、および圧力分配を提供することができる。
【０１９８】
図３１に示す上部層３１１０は、網目状粘弾性フォームを含む他の部分３１４６によって少なくとも部分的に囲まれた非網目状粘弾性フォームを含む３つの部分３１３２を含む。他の実施形態では、これらの部分３１３２、３１４６の材料は逆にすることができ、それによって非網目状粘弾性フォームを含む１つまたは複数の部分は、網目状粘弾性フォームを含む他の部分によって少なくとも部分的に囲まれている。このような実施形態では、非網目状粘弾性フォームを含む「島部」の柔らかさ、身体適合性、および圧力分配特性は、使用者の身体から最大の圧力および熱を受ける可能性がある使用者の身体のこれらの領域に近接して配置することができる。網目状粘弾性フォームを含む周囲部分はまた、ある程度の柔らかさ、身体適合性、および圧力分配を提供することができ、また網目状粘弾性フォームの骨格構造により上部層３１１０内の熱を防ぐまたは少なくするように働くことができる。
【０１９９】
図３２は、本発明による身体支持体の別の実施形態を示している。本実施形態は、図１３に関連して上に記載した身体支持体の実施形態と同じ構造の多くを利用しており、同じ性状の多くを有する。したがって、以下の説明は基本的に、図１３に関連して上に記載した実施形態と異なる構造および特性を中心に扱う。構造および特性に関する追加の情報、および図３２に図示し、以下に説明する支持体の構造および特性への可能な代替形態に対して、図１３に関する上の説明を参照すべきである。図１３の実施形態の構造および特性に対応する図３２に示す実施形態の構造および特性は、これ以下３２００系の参照番号で示す。
【０２００】
図１３に示す身体支持体１３０２と同様に、図３２に示す身体支持体３２０２は、網目状粘弾性フォームを含む上部層３２１０と、網目状非粘弾性フォームを含む底部層３２１２とを含む。しかし、上部層３２１０はさらに開放セル非網目状粘弾性フォームの部分を含んでいる。上部層３２１０の網目状粘弾性フォームは、図１２および１２Ａに示す実施形態に関して上により詳細に記載されている。上部層３２１０の非網目状粘弾性フォームは、図１６に示す実施形態に関して上により詳細に記載されている。底部層３２１２の網目状非粘弾性フォームは、図１３に示す実施形態に関して上により詳細に記載されている。
【０２０１】
図３２に示す実施形態を続けて参照すると、上部層３２１０は非網目状粘弾性フォームを含む３つの部分３２３２を有し、それぞれ網目状粘弾性フォームを含む上部層３２１０の他の部分３２４６によって囲まれている。図３２に示す非網目状粘弾性フォームを含む３つの部分３２３２はそれぞれほぼ矩形であり、上部層３２１０の長さに沿って互いに間隔を置いて配置され、上部層３２１０の縁部から間隔を置いて配置されている。しかし、３つの部分３２３２は図３１に示す実施形態に関して上に記載したようにあらゆる他の形状および寸法を有することができる。また、上部層３２１０は、図３１に示す実施形態に関して記載した方法のいずれかで配置されたあらゆる数のこのような部分３２３２を有することができる。
【０２０２】
図３２に示す実施形態を続けて参照すると、上部層３１１０内の３つの部分３２３２の非網目状粘弾性フォームは、このような領域内に、図１６に示す実施形態に関して上に記載した望ましい柔らかさ、身体適合性、および圧力分配特性を提供することができる。非網目状粘弾性フォームを含む上部層３２１０の部分３２３２は、使用者の身体に隣接した３つの部分３２３２に対してかなりの程度の通気および／または放熱を行うことができ、上部層３２１０の縁部に向かって上部層３２１０の内部領域から熱を引くことができる。このような通気および／または放熱は、図１３に示す実施形態に関して上に記載した底部層３２１２の網目状非粘弾性フォームによって行われる通気および／または放熱を補足することができる。また、周囲部分３２４６の粘弾性はさらに、使用者の身体に対して比較的高い程度の柔らかさ、身体適合性、および圧力分配を提供することができる。
【０２０３】
図３３は、本発明による身体支持体の別の実施形態を示している。本実施形態は、図３１に関連して上に記載した身体支持体の実施形態と同じ構造の多くを利用しており、同じ性状の多くを有する。したがって、以下の説明は基本的に、図３１に関連して上に記載した実施形態と異なる構造および特性を中心に扱う。構造および特性に関する追加の情報、および図３３に図示し、以下に説明する支持体の構造および特性への可能な代替形態に対して、図３１に関する上の説明を参照すべきである。図３１の実施形態の構造および特性に対応する図３３に示す実施形態の構造および特性は、これ以下３３００系の参照番号で示す。
【０２０４】
図３１に示す身体支持体３１０２と同様に、図３３に示す身体支持体３３０２は、開放セル非網目状粘弾性フォーム（部分３３４６）および網目状粘弾性フォーム（部分３３３２）の組み合わせを有する上部層３３１０を含む。しかし、図３３に示す身体支持体３３０２は、図３１の実施形態の網目状粘弾性および網目状非粘弾性フォームの層ではなく、比較的高い弾力性を有する可撓性セルポリウレタンフォームを含む底部層３３１２を含んでいる。上部層３３１０の非網目状粘弾性フォームは、図１６に示す実施形態に関して上により詳細に記載されている。上部層３３１０の網目状非粘弾性フォームは、図１２および１２Ａに示す実施形態に関して上により詳細に記載されている。底部層３３１２の比較的高い弾力性の可撓性セルフォームは、図１２および１２Ａに示す実施形態に関して上により詳細に記載されている。
【０２０５】
図３３に示す上部層３３１０は、非網目状粘弾性フォームを含む境界部３３４６を含んでおり、網目状粘弾性フォームを含む上部層３３１０の部分３３３２の周りに全体的に延びている。境界部３３４６は、図３３に示すように網目状粘弾性フォームを含む部分３３３２の周りに全体に延びることができる、または網目状粘弾性フォームを含む部分３３３２の周りに部分的に延びることができる（例えば、図７の実施形態の底部層７１２を参照して上に記載したように第１の部分３３３２に面する部分を有する、または図７に示す実施形態で底部層７１２に関して上に記載した方法のいずれかで成形および配置された１つまたは複数の部分を有する）。つまり、網目状粘弾性フォームを含むあらゆる数の部分３３３２、および非網目状粘弾性フォームを含むあらゆる数の境界部３３４６は、図７に示す実施形態の底部層７１２に関して上に記載した形状、位置、および配置のいずれかを有することができる。
【０２０６】
図３３に示す実施形態を続けて参照すると、上部層３３１０内の非網目状粘弾性フォームは、使用者が身体支持体に入るまたはそこから出る位置（例えば、マットレスの応用例で）などの、上部層３３１０の周面に沿って（図１９に示す実施形態に関して）上に記載した望ましい柔らかさ、身体適合性、および圧力分配特性を提供することができる。非網目状粘弾性フォームを含む上部層３１１０の部分３１３２は、使用者がその上に長い期間静止している可能性が最も高く、使用者の体熱が伝達される可能性が最も高い、上部層３３１０の内部領域に通気および／または放熱を行うことができる。上部層３３１０内の網目状粘弾性フォームの通気および放熱特性はまた、（上部層３３１０の下に追加の支持、および比較的堅いが可撓性および弾力性のある基板を提供するために使用することができる）比較的高い弾力性のある可撓性セルフォームの下にある層内の熱を少なくすることができる。
【０２０７】
上に記載したように、図３３に示す上部層３３１０は、非網目状粘弾性フォームを含む他の部分３３４６によって囲まれた網目状粘弾性フォームを含む内部部分３３３２を備えている。他の実施形態では、これらの部分３３３２、３３４６の材料は逆にすることができ、それによって非網目状粘弾性フォームを含む１つまたは複数の部分は、網目状粘弾性フォームを含む他の部分によって少なくとも部分的に囲まれている。このような代替実施形態およびその特性および特徴は、図３１に示す実施形態に関して上により詳細に記載されている。
【０２０８】
図３４は、本発明による身体支持体の別の実施形態を示している。本実施形態は、図３１に関連して上に記載した身体支持体の実施形態と同じ構造の多くを利用しており、同じ性状の多くを有する。したがって、以下の説明は基本的に、図３１に関連して上に記載した実施形態と異なる構造および特性を中心に扱う。構造および特性に関する追加の情報、および図３４に図示し、以下に説明する支持体の構造および特性への可能な代替形態に対して、図３１に関する上の説明を参照すべきである。図３１の実施形態の構造および特性に対応する図３４に示す実施形態の構造および特性は、これ以下３４００系の参照番号で示す。
【０２０９】
図３１に示す身体支持体３１０２と同様に、図３４に示す身体支持体３４０２は、開放セル非網目状粘弾性フォーム（部分３４３２）および網目状粘弾性フォーム（部分３４３４、３４３６）の組み合わせを有する上部層３４１０と、網目状粘弾性フォームを含む中間層３４１２とを備えている。しかし、図３４に示す身体支持体３４０２は、（図３１の実施形態に示すような）網目状非粘弾性フォームの層ではなく、比較的高い弾力性を有する可撓性セルポリウレタンフォームを含む底部層３３１４を含んでいる。上部層３３１０の非網目状粘弾性フォームは、図１６に示す実施形態に関して上により詳細に記載されている。上部層３４１０および中間層３４１２の網目状非粘弾性フォームは、図１２および１２Ａに示す実施形態に関して上により詳細に記載されている。底部層３４１４の比較的高い弾力性の可撓性セルフォームは、図１２および１２Ａに示す実施形態に関して上により詳細に記載されている。
【０２１０】
図３４に示す網目状粘弾性フォームの部分３４３４、３４３６は、上部層３４１０の側部境界部を画定し、図７に示す底部層７１２の第２および第３の部分７３４、７３６をお参照して上に記載した形状、寸法および位置のいずれかを有することができる。上部層３４１０の非網目状粘弾性フォーム部分３４３２は、図１６に示す実施形態に関して上に記載した望ましい柔らかさ、身体適合性、および圧力分配特性を提供することができる。上部層３４１０の網目状粘弾性フォームの部分３４３４、３４３６は、使用者の身体に隣接した内部部分３４３２に対してある程度の通気および／または放熱を行うことができ、上部層３４１０の側部または端部に向かって上部層３４１０の内部領域から熱を引くことができる。このような通気および／または放熱は、中間層３４１２の網目状粘弾性フォームによって行われる通気および／または放熱を補足することができる。また、網目状粘弾性フォームの部分３４３４、３４３６の粘弾性はさらに、上部層３４１０の側部で使用者の身体に対して（例えば、マットレスの応用例などで、使用者が身体支持体３４２０に入るまたはそこから出る位置）、比較的高い程度の柔らかさ、身体適合性、および圧力分配を行うことができる。
【０２１１】
上部層３３１０の部分３４３４、３４３６および中間層３４１２内の網目状粘弾性フォームの通気および放熱性状はまた、（上部層３４１０および中間層３４１２が上にある追加の支持、および比較的堅いが可撓性および弾力性のある基板を提供するために使用することができる）比較的高い弾力性のある可撓性セルフォームの底部層３４１４内の熱を少なくすることができる。
【０２１２】
上に記載したように、図３４に示す上部層３４１０は、網目状粘弾性フォームを含む部分３４３４、３４３６によって面している非網目状粘弾性フォームを含む内部部分３４３２を備えている。他の実施形態では、これらの部分３４３２、および３４３４、３４４６の材料は逆にすることができる。このような代替実施形態はしたがって、非網目状粘弾性フォームの隣接部分に面しており、これらに通気および／放熱を行う網目状粘弾性フォームの一部を含んでいる。
【０２１３】
上に記載した身体支持体の実施形態それぞれの材料層の１つまたは複数は、スラブまたはブロックの形の材料を含むことができる。例えば、図１〜３４に示す材料層はそれぞれフォームのシートとして示されている。これに関して、実施形態のいずれにおけるこのような層のいずれかまたは全てはそれぞれ、単一の連続した破断していない材料シートによって画定することができる。別の方法では、このような層の１つまたは複数は、接着または粘着結合材料、両面テープ、縫い目、熱溶融、従来のファスナなどのあらゆる適切な方法で、１つまたは複数の製造過程中に互いに成形されることによって、またはあらゆる他の適切な方法で結合された２片以上の材料によって画定することができる。このような材料片は、ブロック、ストリップ、パッドまたはボール、多角形、曲線、不規則、または他の形状などを有する片などの、あらゆる所望の形状および寸法を有することができる。また、このような材料片は、形状および／または寸法が互いに同一であっても異なっていてもよい。
【０２１４】
いくつかの実施形態では、上に記載し、図１〜３４に図示した身体支持体実施形態のいずれかの材料層の１つまたは複数は、互いに結合されていない材料片を含んでいる。例えば、このような層のいずれか１つまたは複数は、上に記載したようにあらゆる形状および寸法を有する緩い材料片を含むことができ、片は１つまたは複数の材料層内に部分的にまたは全体的に囲まれ、入れられている。このような実施形態では、囲んでいる（１つまたは複数の）材料層は、合成および／または天然織物、布、または他のシート材料を含むことができる。他の実施形態では、囲んでいる（１つまたは複数の）層は、接着または粘着結合材料、両面テープ、縫い目、熱溶融、従来のファスナ（例えば、ジッパー、ボタン、留め具、レース、フックおよびループファスナ材料、かぎフックセット、結びリボン、糸、紐、または他の同様の要素など）などのあらゆる適切な方法で、１つまたは複数の製造過程中に互いに成形されることによって、またはあらゆる他の適切な方法で取り付けられた１つまたは複数の継目を有することができる。このような囲んでいる層の１つまたは複数はまた、上に記載したように結合された材料片を含む層を部分的にまたは全体的に囲み、入れている。
【０２１５】
１つまたは複数の囲んでいる層内の材料片を含む身体支持体３５０２の例が、図３５に示されている。図３５に示す身体支持体３５０２は枕の形状をしているが、身体支持体３５０２はあらゆる身体支持体応用例（例えば、マットレス、マットレス上層、オーバーレイ、布団、シートクッション、シートバック、首枕、脚部スペーサ枕、アイマスク、および人間または動物の身体のあらゆる部分または全てを支持するまたはその衝撃を和らげるのに適切なあらゆる他の形状および寸法）に対して、あらゆる他の形状およびあらゆる他の寸法を有することができる。
【０２１６】
図３５に示す身体支持体３５０２は、囲んでいる材料３５６０によって囲まれた充填材料３５５８を含んでいる。図３５に示す充填材料３５５８は、互いに結合されていない別個の材料片を含んでいるが、他の実施形態では、片のいくつかまたは全ては隣接する片に結合させることができる（上に記載したように１つまたは複数の製造処理で互いに結合された別個の片など）。いくつかの実施形態では、充填材料３５５８は、図１に示す身体支持体１０２の上部層１１０の材料に関して上に記載した材料性状のいずれかを有する複数の片の非網目状粘弾性フォームを含んでいる。これらの実施形態の身体支持体３５０２はしたがって、かなりの柔らかさを提供することができ、使用者の身体に適合することができ、いくつかの場合では、身体支持体３５０２の多片構造によりより大きな身体支持体変形性を提供することができる。このような変形性は、単に例として、使用者の身体の部分を支持するようになっている枕およびクッションなどの、多くの応用例で望ましい可能性がある。また、非網目状粘弾性充填材料３５５８を有する身体支持体３５０２の感温性により、（図１〜１Ｂの実施形態で利用された非網目状粘弾性材料に関して上により詳細に記載するように）身体支持体を使用者の身体により良く適応させることが可能になる。
【０２１７】
図３５に示す実施形態を続けて参照して、充填材料３５５８内の非網目状粘弾性フォーム片は、最初であるか、再利用されているか、またはスクラップの形であるかどうかに関わらず、非網目状粘弾性フォームを破砕または切断することによって作り出すことができる。別の方法では、非網目状粘弾性フォーム片は、個別片を成形することによって、またはあらゆる他の方法で作り出すことができる。
【０２１８】
上に記載したように、充填材料３５５８内の非網目状粘弾性フォーム片は、あらゆる所望の寸法および形状を有することができる。しかしいくつかの実施形態では、これらの片は約４ｃｍ以上および／または約０．３ｃｍ未満の平均最大寸法を有する。他の実施形態では、片は約２ｃｍ以上および／または約０．６ｃｍ未満の平均最大寸法を有する。さらに他の実施形態では、片は約１．３ｃｍの平均最大寸法を有する。
【０２１９】
図３５に示す身体支持体３５０２の充填材料３５５８は、身体支持体３５０２の特徴および／または費用を変えるために変更することができる。例えば、充填材料３５５８のほぼ全ては、上に記載するように非網目状粘弾性フォームの非連結片を含むことができる、またはこのような片および別の材料片（例えば、綿、合成または有機繊維材料、毛、別のタイプのフォーム材料、ポリスチレンボールなど）の組み合わせを含むことができる。これに関して、身体支持体３５０２の充填材料３５５８は、いくつかの実施形態では約２０％以上の非網目状粘弾性フォームを含むことができる。他の実施形態では、身体支持体３５０２の充填材料３５５８は、約３０％以上の非網目状粘弾性フォームを含むことができる。さらに他の実施形態では、身体支持体３５０２の充填材料３５５８は、約５０％以上の非網目状粘弾性フォームを含むことができる。充填材料３５５８内の他の材料（あれば）の密度および他の特徴は、充填材料３５５８の密度および他の特徴を規定するのを助けることができる。
【０２２０】
上に記載したように、図３５に示す実施形態では充填材料３５５８は、上により詳細に記載したように互いに結合された１つまたは複数の継目を有することができる囲んでいる材料層３５６０によって囲まれている。いくつかの実施形態では、囲んでいる層３５６０は、図１に示す身体支持体１０２の底部層１１２の材料に関して上に記載した材料性状のいずれかを有する網目状非粘弾性フォームを含んでいる。囲んでいる層３５６０はあらゆる所望の厚さを有することができる。いくつかの実施形態では、網目状非粘弾性フォームの囲んでいる層３５６０は、約５ｍｍ以上および／または約２０ｍｍ未満の厚さを有する。いくつかの実施形態の比較的軽量の身体支持体は、約７ｍｍ未満の厚さを有することができ、比較的重い身体支持体はいくつかの例では、約１３ｍｍ以上の厚さを有することができる。
【０２２１】
図３５に示す実施形態を続けて参照して、非粘弾性フォームの囲んでいる層３５６０は、身体支持体３５０２に対してかなりの程度の通気および／または放熱を行うことができ、身体支持体３５０２の充填材料３５５８内の熱を防ぐまたは少なくすることができる。
【０２２２】
いくつかの実施形態では、身体支持体３５０２の囲んでいる層３５６０は部分的にまたは全体的に１つまたは複数の補強織物層（図示せず）で覆われており、いくつかの実施形態では、囲んでいる層３５６０の部分を（例えば、囲んでいる層３５６０の継目で）固定する縫い目または他の固定要素用のアンカとして働くことができ、それによって縫い目または他の固定要素が囲んでいる層３５６０を通して裂けるまたは破れる可能性を少なくすることができる。利用されている場合、（１つまたは複数の）補強織物層は、綿、ポリエステル、綿／ポリエステル混紡、毛、またはあらゆる他の織物材料を含むことができる。
【０２２３】
カバー３５６２は、身体支持体３５０２の囲んでいる層３５６０および充填材料３５５８を少なくとも部分的に囲むことができ、身体支持体３５０２の残りから取り除くことができ、いくつかの実施形態では、身体支持体３５０２の形状に適合することができる。カバー３５６２は、綿、ポリエステル、綿／ポリエステル混紡、毛、またはあらゆる他の織物材料を含むことができる。また、カバー３５６２は、囲んでいる層３５６０および充填材料３５５８をカバー３５６２内に維持するために、１つまたは複数のジッパー（図３５）、ボタン、留め具、レース、フックおよびループファスナ材料片、かぎフックセット、重なりフラップ、結びリボン、糸、紐、または他の同様の要素などの１つまたは複数のクロージャ装置３５６４を有することができる。
【０２２４】
上に記載したように、図３５に示す身体支持体３５０２の囲んでいる層３５６０は、上に記載した材料性状のいずれかを提供することができる網目状非粘弾性フォームを含んでいる。他の実施形態では、囲んでいる層３５６０の全てまたは一部は、上に記載した囲んでいる層の厚さのいずれかを有し、図１２に示す身体支持体１２０２の上部層１２１０の材料に関して上に記載した材料性状のいずれかを有する網目状非粘弾性フォームを含むことができる。網目状非粘弾性フォームを含む囲んでいる層３５６０は、使用者の身体に適合する改良された能力を有することができ、さらに身体支持体３５０２に対してかなりの程度の通気および／または放熱を行うことができ、身体支持体３５０２の充填材料３５５８内の熱を防ぐまたは少なくすることができる。これに関して、このような囲んでいる層３５６０は使用者の体熱に対して感温性があり、それによって囲んでいる層３５６０が上に記載した身体適合機能をより十分行うことが可能になる。
【０２２５】
上に記載したように、図示した身体支持体３５０２は、上に記載したように網目状粘弾性または網目状非粘弾性フォームの１つまたは複数の囲んでいる層３５６０によって少なくとも部分的に囲まれた非網目状粘弾性充填材料３５５８を含むことができる。代替実施形態では、充填材料３５５８は代わりにあるいはまた、図３５に示す非網目状粘弾性フォーム充填材料３５５８に関して上に記載した寸法および形状の性状のいずれかを有する連結されていない複数の網目状非粘弾性フォーム片を含むことができる。このような網目状非粘弾性フォーム片は、図３５に示す非網目状粘弾性フォーム充填材料３５５８に関して上に記載した方法のいずれかで作り出すことができ、また上に記載した他の充填材料のいずれかと組み合わせて身体支持体３５０２の充填材料３５５８のいずれかの部分を画定することができる、または身体支持体３５０２の充填材料３５５８の全てを画定することができる。また、このような網目状非粘弾性フォーム片は、図１に示す身体支持体１０２の上部層１１０の材料に関して上に記載した材料性状のいずれかを有することができる。
【０２２６】
上に記載したような網目状粘弾性または網目状非粘弾性フォームの囲んでいる層３５６０内の網目状粘弾性または網目状非粘弾性フォーム片を含む充填材料３５５８を備えた身体支持体３５０２の構造は、充填材料３５５８と囲んでいる層３５６０内に、またこれを通して比較的高い程度の通気を行うことができる。この構造はまた、身体支持体３５０２から急速に放熱させることを可能にし、それによって身体支持体３５０２の領域内の熱を防ぐまたは少なくすることができる。粘弾性フォームの感温性、身体適合性および圧力分配性状が、身体支持体３５０２の外部上またはすぐ隣りで望ましいこれらの応用例では、囲んでいる層３５６０は網目状粘弾性フォームを含むことができる。別の方法では、このような性状が代わりに（例えば、使用者の体熱などによる、変化にあまり曝されない外部を提供するために）身体支持体３５０２の内部にのみ望ましい場合、囲んでいる層３５６０は網目状非粘弾性フォームを含むことができる。
【０２２７】
本発明の別の実施形態では、図３５に示す身体支持体３５０２は、非網目状粘弾性フォームの複数の非連結片を含む充填材料を少なくとも部分的に囲む（上に記載したような）網目状粘弾性または網目状非粘弾性フォームの１つまたは複数の囲んでいる層３５６０を含むことができる。網目状粘弾性フォーム片は、図３５に示す非網目状粘弾性フォーム充填材料３５５８に関して上に記載した寸法および形状の性状のいずれかを有することができる。このような網目状粘弾性フォーム片は、図３５に示す非網目状粘弾性フォーム充填材料３５５８に関して上に記載した方法のいずれかで作り出すことができ、また上に記載した他の充填材料のいずれかと組み合わせて身体支持体３５０２の充填材料３５５８のいずれかの部分を画定することができる、または身体支持体３５０２の充填材料３５５８の全てを画定することができる。また、このような網目状粘弾性フォーム片は、図１２に示す身体支持体１２０２の上部層１２１０の材料に関して上に記載した材料性状のいずれかを有することができる。
【０２２８】
上に記載したような網目状粘弾性または網目状非粘弾性フォームの囲んでいる層３５６０内の網目状粘弾性フォーム片を含む充填材料３５５８を備えた身体支持体３５０２の構造は、充填材料３５５８と囲んでいる層３５６０内に、またこれを通して比較的高い程度の通気を行うことができ、さらに図１２および１２Ａに示す身体支持体１２０２に関して上により詳細に記載するように、粘弾性充填材料（使用している場合は、粘弾性のある囲んでいる層）の望ましい感温性、身体適合性および圧力分配性状を提供することができる。この構造はまた、身体支持体３５０２から急速に放熱させることを可能にし、それによって身体支持体３５０２の領域内の熱を防ぐまたは少なくすることができる。上に記載したように、粘弾性フォームの感温性、身体適合性および圧力分配性状が、身体支持体３５０２の外部上またはすぐ隣りで望ましいこれらの応用例では、囲んでいる層３５６０は網目状粘弾性フォームを含むことができる。別の方法では、このような性状が代わりに（例えば、使用者の体熱などによる、変化にあまり曝されない外部を提供するために）身体支持体３５０２の内部にのみ望ましい場合、囲んでいる層３５６０は網目状非粘弾性フォームを含むことができる。
【０２２９】
本発明のさらに別の実施形態では、図３５に示し、上に記載した身体支持体３５０２の網目状粘弾性または網目状非粘弾性の囲んでいる層３５６０は、網目状粘弾性または網目状非粘弾性フォームの非連結片を少なくとも部分的に囲む（上に記載したような）非網目状粘弾性の囲んでいる層３５６０に換えることができる。非網目状粘弾性の囲んでいる層３５６０は、上記の囲んでいる層の厚さのいずれかを有することができ、図１に示す身体支持体１０２の上部層１１０の材料に関して上に記載した材料性状のいずれかを有することができる。非網目状粘弾性の囲んでいる層３５６０は、高い程度の柔らかさおよび使用者快適性を提供することができ、また図１に示す身体支持体１０２の上部層１１０の材料に関して上に記載した望ましい感温性、身体適合性および圧力分配性状を提供することができる。このような囲んでいる層３５６０内の網目状粘弾性または網目状非粘弾性フォーム片は、身体支持体３５０２からの放熱を助けることができ、それによって身体支持体３５０２の１つまたは複数の領域内の熱を少なくすることができる。
【０２３０】
図３６は、本発明による身体支持体の別の実施形態を示している。本実施形態は、図３５に関連して上に記載した身体支持体の実施形態と同じ構造の多くを利用しており、同じ性状の多くを有する。したがって、以下の説明は基本的に、図３５に関連して上に記載した実施形態と異なる構造および特性を中心に扱う。構造および特性に関する追加の情報、および図３６に図示し、以下に説明する支持体の構造および特性への可能な代替形態に対して、図３５に関する上の説明を参照すべきである。図３５の実施形態の構造および特性に対応する図３６に示す実施形態の構造および特性は、これ以下３６００系の参照番号で示す。
【０２３１】
図３５に示す身体支持体３５０２に関して上に記載した身体支持体実施形態と同様に、図３６に示す身体支持体３６０２は、囲んでいる材料層３６６０によって囲まれた充填材料３６５８を含んでいる。しかし、身体支持体３６０２はまた、網目状粘弾性フォーム片を含む追加の充填材料３６６８のポケット３６６６を含むことができる。図３６に示す実施形態では、これらの材料片は連結されていなく、図３５に関して上に記載した方法のいずれかで作り出すことができ、図３５に関して上に記載した材料性状、形状および寸法のいずかを有することができる。他の実施形態では、網目状粘弾性フォーム材料片の一部または全てが互いに連結されている。
【０２３２】
追加の充填材料３６６８のポケット３６６６は、網目状粘弾性フォーム片が中に配置される織物または他のシート材料によって少なくとも部分的に画定することができる。これに関して、ポケット３６６６は図３５の囲んでいる材料層３５６０に関して上に記載した形のいずれを有することができ、図３５の実施形態の継目の構造に関して上に記載した方法のいずれかで囲んでいる材料層３６６０に連結させることができる。他の実施形態では、ポケット３６６６を少なくとも部分的に画定する材料は、身体支持体３６０２のあらゆる他の部分に連結されているが、さらに囲んでいる材料層３６６０内に含まれている。
【０２３３】
図３６に示す身体支持体構造を使用して、網目状粘弾性フォーム充填材料３６６８片は、身体支持体３６０２の囲んでいる材料層３６６０内に含まれる充填材料３６５８と混合されないように保持することができる。このような構造は、囲んでいる充填材料３６５８が非網目状粘弾性フォーム片または網目状非粘弾性フォーム片を含んでいる場合などの、囲んでいる充填材料３６５８がポケット３６６６内の充填材料３６６８と異なる実施形態において望ましい。これらの実施例のいくつかでは、囲んでいる充填材料３６５８はさらに、身体支持体３６０２内に望ましい柔らかさ、身体適合性および圧力分配性状を提供することができ、ポケット３６６６内の網目状粘弾性フォーム片は身体支持体３６０２の異なる内部領域間の通気、および／または身体支持体３６０２内の放熱を可能にする身体支持体３６０２内の領域を提供する。これらの機能は、囲んでいる層３６６０が非網目状粘弾性材料、網目状粘弾性材料、または網目状非粘弾性材料（すべて、上に記載したように囲んでいる層３６６０に利用することができる）を含んでいるかどうかに関わらず行うことができる。
【０２３４】
図３６に示す身体支持体３６０２のポケット３６６６内の網目状粘弾性充填材料３６６８は、（ちょうど記載したように）身体支持体３６０２内で通気、および／または放熱を行うように働くことができ、さらに使用者の体熱に対して反応し、充填材料３６６８の粘弾性により身体適合および圧力分配機能を提供することができる。他の実施形態では、ポケット３６６６内の充填材料３６６８は代わりに、連結されたまたは連結されていない網目状非粘弾性フォーム片を含むことができる。このような片は、図３５に関して上に記載した方法のいずれかで作り出すことができ、図３５に関して上に記載した材料性状、形状および寸法のいずかを有することができる。ポケット３６６６内で充填材料３６６８片に非網目状粘弾性フォーム片を利用することによって、身体支持体３６０２の剛性は使用者の体熱に対してあまり敏感でなくなり、さらに上に記載した通気および／または放熱機能を行うことができる。
【０２３５】
本発明による身体支持体の別の実施形態が、図３７および３８に示されている。図３７および３８に示す身体支持体３７０２は、輪郭付けされた形状を有する枕である。しかし、身体支持体３７０２は所望のあらゆる他の枕形状を有することができる。身体支持体３７０２は、成形またはあらゆる他の適切な方法で製造された網目状粘弾性フォームの単一片を含むことができる。他の実施形態では、身体支持体３７０２は、多片フォーム層構造に関して上に記載した方法のいずれかで連結された網目状粘弾性フォームの２つ以上の片によって画定することができる。身体支持体３７０２の網目状粘弾性フォームは、図１２に示す身体支持体１２０２の上部層１２１０の材料に関して上に記載した材料性状のいずれかを有することができる。
【０２３６】
図３７および３８に示す身体支持体３７０２は、使用者に支持を提供することができ、さらに身体支持体材料の粘弾性に基づき、使用者の身体（例えば、頭部および首）に適合することができる。したがって、身体支持体３７０２の網目状粘弾性材料は、身体支持体３７０２の表面にわたって使用者の身体からの圧力を分配させることができ、それによって潜在的に使用者の首への応力を少なくすることができる、および／または身体支持体３７０２と接触する使用者の顔または使用者の首の他の領域への圧力を少なくすることができる。上に記載したように網目状粘弾性材料が感温性があるこれらの実施形態では、身体支持体３７０２の形状は使用者の体熱に基づき使用者に適応させることができる。また、身体支持体３７０２の網目状粘弾性材料は、フォームの骨格セル構造に基づき大量の通気および／または放熱を行うことができる、それによって身体支持体３７０２内の熱を少なくすることができる。
【０２３７】
図３９および４０は、本発明による身体支持体の別の実施形態を示している。本実施形態は、本発明による身体支持体の別の実施形態を示している。本実施形態は、図１６に関連して上に記載した身体支持体の実施形態と同じ構造の多くを利用しており、同じ性状の多くを有する。したがって、以下の説明は基本的に、図１６に関連して上に記載した実施形態と異なる構造および特性を中心に扱う。構造および特性に関する追加の情報、および図３９および４０に図示し、以下に説明する支持体の構造および特性への可能な代替形態に対して、図１６に関する上の説明を参照すべきである。図３９および４０の実施形態の構造および特性に対応する図１６に示す実施形態の構造および特性は、これ以下３９００系の参照番号で示す。
【０２３８】
上に記載したように、本発明の様々な身体支持体は、これに限らないが、マットレス、マットレス上層、オーバーレイ、布団、頭部枕、シートクッション、シートバック、首枕、脚部スペーサ枕、アイマスク、および人間または動物の身体のあらゆる部分または全てを支持するまたはその衝撃を和らげるのに適切なあらゆる他の形状および寸法を有することができる。図３９および４０に示す身体支持体３９０２は、マットレス、マットレス上層、オーバーレイ、または布団（例えば、図１６参照）の形で本明細書に示された身体支持体がどのように枕または他の身体支持体の形（例えば、図３９および４０参照）をとることができるのかを示す例である。図１６に示す身体支持体１６０２と同様に、図３９および４０に示す身体支持体３９０２は、網目状粘弾性フォームを含む第１の層３９１０と、非網目状粘弾性フォームを含む第２の層３９１２とを含んでいる。しかし、図３９および４０に示す網目状粘弾性フォームを含む第１の層３９１０は、非網目状粘弾性フォームを含む第２の層３９１２を囲んでいる。他の実施形態では、第１の層３９１２は、第２の層３９１２の上部３９１６および側部３６７０のみ、第２の層３９１２の上部３９１６のみなどの、第２の層３９１２のいずれかの部分を覆うことができる。
【０２３９】
第２の層３９１２の粘弾性材料は、図１〜１Ｂに示す実施形態に関連して上に記載したのと同じ望ましい柔らかさおよび身体適合特性を提供することができる。網目状粘弾性フォームを含む第１の層３９１０は、非網目状粘弾性フォームを含む第２の層３９１２に対して通気を行うことができる、および／または（少なくとも第１の層３９１２のフォームの骨格セル構造により）第２の層３９１２から放熱させることができ、さらに第１の層３９１０の粘弾性により身体支持体３９０２の使用者の身体に比較的柔らかい適合可能な表面、およびある程度の身体適合性および圧力分配を提供することができる。また、第１の層３９１０の網目状セル構造により、身体支持体３９０２の表面で優れた通気、すなわち使用者の顔、頭部、または他の身体部分が第１の層３９１０に近接または接触する応用例に望ましい特性を提供することができる。
【０２４０】
他の実施形態では、図３９および４０に示す身体支持体３９０２の第１の層３９１０は、（網目状粘弾性フォームではなく）網目状非粘弾性フォームを含んでいる。このような実施形態では、第１の層３９１０の網目状非粘弾性フォームは、ある程度の支持を提供することができ、第１の層３９１０の網目状セル構造により、上に記載した放熱および／または通気性をさらに保持することができる。このような構造を有する身体支持体３９０２は、第２の層３９１２の非網目状粘弾性フォームに少なくとも部分的に基づき、かなりの柔らかさおよび身体適合性を有することもできる。
【０２４１】
さらに他の実施形態では、上に記載した第１および第２の層３９１０、３９１２の材料は逆にすることができ、この場合、第１の層３９１０は非網目状粘弾性フォームを含むことができ、第２の層３９１２は網目状粘弾性または網目状非粘弾性フォームを含むことができる。このような実施形態では、（少なくとも部分的に、第２の層３９１２の網目状セル構造により）第２の層３９１２の網目状粘弾性または網目状非粘弾性フォームによって第１の層３９１０によって放熱することができる。この構造では、非網目状粘弾性フォームの柔らかさ、身体適合性、および圧力分配性は、（使用者の身体に近接して）第１の層３９１０内で維持され、第２の層３９１２の通気性および／または放熱性は、第１の層３９１０内の熱を防ぐまたは少なくすることができる。使用者の体熱の無関係なより大きな支持が望ましいこれらの応用例では、第２の層３９１２は網目状非粘弾性フォームを含むことができる。感熱性、より大きな柔らかさ、および大きな身体適合性および圧力分配が望ましいこれらの応用例では、第２の層３９１２は網目状粘弾性フォームを含むことができる。
【０２４２】
図４１および４２は、本発明による身体支持体の別の実施形態を示している。本実施形態は、本発明による身体支持体の別の実施形態を示している。本実施形態は、図３９および４０に関連して上に記載した身体支持体の実施形態と同じ構造の多くを利用しており、同じ性状の多くを有する。したがって、以下の説明は基本的に、図３９および４０に関連して上に記載した実施形態と異なる構造および特性を中心に扱う。構造および特性に関する追加の情報、および図４１および４２に図示し、以下に説明する支持体の構造および特性への可能な代替形態に対して、図３９および４０に関する上の説明を参照すべきである。図４１および４２の実施形態の構造および特性に対応する図３９および４０に示す実施形態の構造および特性は、これ以下４１００系の参照番号で示す。
【０２４３】
図３９および４０に示す身体支持体３９０２と同様に、図４１および４２に示す身体支持体４１０２は、網目状粘弾性フォームを含む第１の層４１１０と、非網目状粘弾性フォームを含む第２の層４１１２とを含んでいる。第２の層４１１２は、第１の層４１１０内に部分的にまたは完全に囲むことができ、あらゆる所望の形状および寸法を有することができる。単に例として、図４２に示す第２の層４１１２はほぼブロック形をしており、比較的厚く細長い。
【０２４４】
身体支持体４１０２は、あらゆる所望の方法で製造することができる。いくつかの実施形態では、身体支持体４１０２は、非網目状粘弾性フォームを含む第２の層４１１２上で網目状粘弾性フォームを含む第１の層４１１０を成形することによって製造される。非網目状粘弾性フォームを含むインサートで身体支持体４１０２を製造する他の方法が可能であり、本発明の精神および範囲内に含まれることが分かるだろう。
【０２４５】
他の実施形態では、図４１および４２に示す身体支持体４１０２の第１の層４１１０は、（網目状粘弾性フォームではなく）網目状非粘弾性フォームを含んでいる。このような実施形態では、身体支持体４１０２は、ちょうど説明した方法のいずれかで製造することができる。このような身体支持体の性状のさらなる記載は、図３９および４０の実施形態に関して上に記載されている。
【０２４６】
さらに他の実施形態では、上に記載した第１および第２の層４１１０、４１１２の材料は逆にすることができ、この場合、第１の層４１１０は非網目状粘弾性または網目状非粘弾性フォームを含むことができ、第２の層４１１２は網目状粘弾性フォームを含むことができる。このような身体支持体の性状のさらなる記載は、図３９および４０の実施形態に関して上に記載されている。
【０２４７】
１つまたは複数の材料層を有する本明細書で開示する本発明のこれらの実施形態では、あらゆる層を同じタイプの材料（例えば、開放セル非網目状粘弾性フォーム、網目状粘弾性フォーム、網目状非粘弾性フォーム、比較的高い弾力性を有する可撓性セルポリウレタンフォーム）の１つまたは複数の「サブ層」によって画定することができる。また、各層のサブ層は同じまたは異なる厚さを有することができ、本明細書に記載および図示した層形状、表面輪郭、または他の特性のいずれかを有することができる。
【０２４８】
単に例として、図４３に示す身体支持体４３０２は、図２２に示す身体支持体２２０２と同じ順序で配置された同じ層を有する。しかし、図４３に示す開放セル非網目状粘弾性フォームの上部層３４１０は、開放セル非網目状粘弾性フォームの２つのサブ層４３１０ａ、４３１０ｂを含んでいる。同様に、他の層４３１２、３４１４のいずれも代わりにあるいはまた、２つ以上のサブ層（すなわち、中間層４３１２内に網目状粘弾性フォームの２つ以上のサブ層、底部層４３１４内に比較的高い弾力性を有する可撓性セルポリウレタンフォームの２つ以上のサブ層など）を含むことができる。
【０２４９】
（ちょうど記載した）同じタイプの材料の２つ以上のサブ層によって画定された１つまたは複数の層を有するこれらの実施形態では、サブ層は同じまたはほぼ同じ材料性状を有することができる。しかし、これは必ずしもそうである必要はない。これに関して、サブ層は、異なる密度、硬度、温度反応性または無反応性、および他の材料性状を有することができ、それでも本明細書に開示するこのような性状の範囲内にある。また単に例として図４３に示す身体支持体４３０２を参照して、非網目状粘弾性フォームの上部サブ層４３１０ａは、非網目状粘弾性フォームの底部サブ層４３１０ｂより大きな密度および低い硬度を有する。例えば、いくつかの実施形態では、非網目状粘弾性フォームの上部サブ層４３１０ａは約１１０ｋｇ／ｍ3未満の密度、および少なくとも約４０Ｎおよび／または約５０Ｎ未満の硬度を有することができ、非網目状粘弾性フォームの底部サブ層４３１０ｂは約８５ｋｇ／ｍ3未満の密度、および少なくとも約５０Ｎおよび／または約６５Ｎ未満の硬度を有することができる。このようにして、比較的柔らかい（一部の場合では、比較的高価な）粘弾性身体支持体材料を、使用者の感度が最も求められる可能性がある位置で利用することができ、上部層４３１０の費用は底部サブ層４３１０ｂにあまり高価でない粘弾性フォームを利用することによって少なくすることができる、および／または上部層４３１０の支持をより堅い底部サブ層４３１０ｂを利用することによって大きくすることができる。
【０２５０】
本発明で開示するあらゆる身体支持体のあらゆる層の第１のサブ層は、下にある第２のサブ層より高いまたは低い密度、硬度、温度反応性、および他の材料性状を有することができることが分かるだろう。これに関して、材料性状のこのような違いが、非網目状粘弾性フォームと網目状非粘弾性フォーム、および網目状粘弾性フォームと比較的高い弾力性を有する可撓性セルフォームの層に存在する可能性があり、これらの性状はそれぞれ図１〜１Ｂおよび２〜２Ａの実施形態に関して上に記載されている。多くの場合、サブ層の材料性状は層の費用、および／または層（および身体支持体）が圧力、変形、および他の環境状態に応じる方法に影響を与える可能性がある。
【０２５１】
本発明で開示する身体支持体のいずれも、身体支持体層の１つまたは複数を少なくとも部分的に囲む１つまたは複数のカバーを有することができる。各カバーは、必要に応じて、身体支持体の単一の層、または身体支持体の２つ以上の層を囲むことができる。また、各カバーは層の上部、層の上部および側部、層または隣接する層の１つまたは複数の側部などの１つまたは複数の層のいずれかまたは全てを覆うことができる。単に例として図４３に示す実施形態を再び参照して、図示した身体支持体４３０２は、身体支持体４３０２の上部および中間層４３１０、４３１２を囲む第１のカバー４３７２と、身体支持体４３０２の底部層４３１４を囲む第２のカバー４３７４との２つのカバーを備えている。また図４３の実施形態を参照すると、第２のカバー４３７４は身体支持体土台４３７６の部分を覆うことができる（以下により詳細に記載する）。
【０２５２】
カバー４３７２、４３７４は、これに限らないが、綿、ポリエステル、綿／ポリエステル混紡、毛、粘弾性または非粘弾性フォームシートなどを含む所望のあらゆるシート材料を含むことができ、同じまたは異なる材料で作ることができる。いくつかの実施形態では、各カバー４３７２、４３７４は、１つまたは複数の継目を有することができる。少なくとも部分的に利用されるカバー材料のタイプによって、継目は両面テープ、縫い目、熱溶融、従来のファスナ（例えば、ジッパー、ボタン、留め具、レース、フックおよびループファスナ材料、かぎフックセット、結びリボン、糸、紐、または他の同様の要素など）などのあらゆる適切な方法で、１つまたは複数の製造過程中に互いに成形されることによって、またはあらゆる他の適切な方法で取り付けることができる。
【０２５３】
カバー４３７２、４３７４は、カバー４３７２、４３７４が少なくとも部分的に囲む層４３１２、４３１４、４３１６におよび／またはその周りに永久的に固定することができる。いくつかの実施形態では、カバー４３７２、４３７４は、層の上でスリップするように形成することによって、１つまたは複数の開放可能ファスナ（例えば、ジッパー、ボタン、留め具、レース、フックおよびループファスナ材料、かぎフックセット、結びリボン、糸、紐、または他の同様の要素など）によって、このような層４３１２、４３１４、４３１６から取り外し可能である。あらゆるこのようなファスナは、カバー４３７２、４３７４の少なくとも一部分を同じまたは異なるカバー４３７２、４３７４の別の部分、および／または隣接する層４３１２、４３１４、４３１６に開放可能に固定するように位置決めすることができる。例えば、図４３に示す上部カバー４３７２はジッパー付きスロット（図示せず）を有することができ、これを通して身体支持体４３０２の上部および中間層４３１０、４３１２を移動させて、上部カバー４３７２を設置および取り外すことができる。
【０２５４】
図４３に示す実施形態を続けて参照して、本発明のいくつかの実施形態の身体支持体４３０２は、床面に対して持ち上げた位置に土台４３７６の上で支持することができる。土台４３７６は、通常または重い負荷により、身体支持体４３０２を重量を支持するのに適切なあらゆる形をとることができる。例えば、土台４３７６は、スチール、鉄、アルミニウム、および他の金属、プラスチック、ファイバーガラスおよび他の合成材料、木材、耐火材料、およびその組み合わせでできている梁、柱、管、厚板、板、ブロック、およびそのあらゆる組み合わせで構成することができる。例えば、図４３に示す実施形態の土台４３７６は、床面上にフレーム４３８０を支持する脚部４３８２を取り付けた木材フレーム４３８０を備えている。他の土台構造および材料も可能であり、本発明の精神および範囲内に含まれる。
【０２５５】
本発明のいくつかの実施形態では、本発明に開示した身体支持体のいずれかの１つまたは複数の最底層は、身体支持体の他の層から離すことができ、身体支持体土台に取り付けることができる（図４３の実施形態に関して上に記載した身体支持体土台実施形態のいずれかなど）。いくつかの実施形態では、（１つまたは複数の）最底層を、接着または粘着結合材料、縫い目（土台の織物または他のシート材料カバー内に）、両面テープ、従来のファスナなどによって、身体支持体土台に永久的に結合させることができる。別の方法では、（１つまたは複数の）最底層を、（１つまたは複数の）最底層上および／または土台上の１つまたは複数のジッパー、ストラップ、ボタン、留め具、レース、フックおよびループファスナ材料片、かぎフックセット、結びリボン、糸、紐、または他の同様の要素などによって身体支持体土台に開放可能に結合させることができる。さらに他の実施形態では、（１つまたは複数の）最底層を、（１つまたは複数の）最底層のカバーを土台へ（例えば、ホッチキス、画鋲、くぎ、無頭釘、リベットおよび他の従来のファスナによって）結合すること、または（１つまたは複数の）最底層と土台の間の連結に関して上で記載した方法のいずれかでカバーを土台に永久的にまたは開放可能に結合することなどによって、カバー（上記）によって身体支持体に結合させることができる。
【０２５６】
例えば、図４３に示す実施形態の底部カバー４３４７は、土台４３７６に釘またはホッチキスによって永久的に固定することができる。底部カバー４３７４は、比較的弾力性のある可撓性セルフォーム底部層４３１４のいずれかまたは全てを囲むことができる、土台４３７６のいずれかの部分または全てを囲むことができる（しかし、いくつかの実施形態では、底部カバー４３４７は土台４３７６を実質的に覆っていない）。
【０２５７】
身体支持体の層の１つまたは複数が身体支持体の１つまたは複数の別の層から離された（すなわち、このような（１つまたは複数の）層と別々に出荷され、開放可能に連結され、および／または連結されていない）身体支持体構造を利用することによって、出荷、移動および組立がより簡単であるおよび／またはあまり高価でない身体支持体および土台アセンブリを提供することができる。いくつかの実施形態では、このような支持体の重量および寸法に少なくとも基づき、より厚い身体支持体を製造および出荷することが実用的または経済的ではない。２つ以上の部品片でのより厚い身体支持体を提供する選択肢がある。しかし、（別個の土台に加えて）別個の身体支持体片の購入および出荷は製造者、流通業者、または購入者によって必ずしも魅力的ではない。身体支持体の１つまたは複数の層を土台に永久的にまたは開放可能に結合することによって、比較的厚い身体支持体を提供することができ、土台に加えた２つ以上の別個の身体支持体の欠点を避けることができる。また、このような身体支持体および土台構成により、そうでなければ移動するのにかさばり重い、さらに厚い身体支持体の製造および出荷が可能になる。
【０２５８】
カバー４３７２、４３７４は、本明細書に開示する他の身体支持体のいずれかの支持体のいずれかの１つまたは複数の層を少なくとも部分的に囲むのに利用される他のカバーに同様に当てはまることが分かるだろう。また、土台４３７６の上に説明は、本明細書に開示する他の身体支持体のいずれかの支持体に同様に当てはまることが分かるだろう。
【０２５９】
上に記載し、図面に示した実施形態は、単に例として示されたものであり、本発明の概念および原則を限定することを意図したものではない。このように、当業者は、要素、構成および配置の様々な変化が、頭記の特許請求の範囲に記載するような本発明の精神および範囲から逸脱することなく可能であることが分かるだろう。
【０２６０】
例えば、本明細書に記載および図示した本発明の様々な実施形態で利用される網目状および非網目状粘弾性フォームは、ポリウレタンフォームでできていてもよい。しかし、同様の性状（例えば熱反応性）を示すあらゆる他の弾性ポリマー材料を必要に応じて代わりに使用することができることに留意すべきである。
【０２６１】
また、本明細書に開示する身体支持体実施形態のいくつかは、空気が移動できる通路を画定するおよび／または身体支持体内での放熱能力を大きくするために、１つまたは複数の非平面表面形状を利用している。様々な実施形態で上に記載したようなこのような非平面表面の位置は、身体支持体に対して重要な性能利点を提供することができるが、このような非平面表面形状は本明細書に開示する身体支持体実施形態のいずれかのあらゆる２つの隣接する層の間で利用することができる。このような非平面表面形状のさらなる詳細は、図４に示す実施形態に関して上に記載されている。
【０２６２】
本明細書に記載および図示した様々な身体支持体は、それだけで、または１つまたは複数の他の材料層と組み合わせて利用することができることに留意すべきである。このような追加の材料層は、本明細書に記載したフォーム材料（または、必要に応じて他の材料）のいずれかを含むことができ、開示した身体支持体の下に配置し、これを支持することができ、開示した身体支持体に永久的にまたは開放可能に結合することができる。
【０２６３】
上により詳細に記載したように、本発明のいくつかの実施形態は、身体支持体の１つまたは複数の層の１つまたは複数の層を覆う網目状非粘弾性フォームの比較的薄いカバーを有する（例えば、図９、２９および３０の実施形態参照）。身体支持体に対して高い程度の耐火性を提供するために、網目状非粘弾性フォームカバーを選択することができ、このような耐火性を必要とするいくつかの国および／または地域で利用することができ、網目状非粘弾性フォームの骨格セル構造に少なくとも部分的に基づき、１つまたは複数の隣接する身体支持体層の表面に優れた通気および／または放熱を行うことができる。上に記載した網目状フォームカバーは非粘弾性フォームを含んでいるが、このような網目状フォームカバーは代わりに粘弾性フォームを含むことができることが分かるだろう。また、図９、２９および３０の実施形態の網目状フォームカバーは例として開示されたものであり、網目状粘弾性または網目状非粘弾性フォームカバーが、本明細書で開示する他の身体支持体実施形態のいずれかで層のいずれかの外部表面を覆うことができることを理解されたい。
【０２６４】
本明細書で開示するいくつかの他の身体支持体実施形態は、同じ層の異なる領域で異なるタイプの材料を有する材料の１つまたは複数の層を利用している（例えば、図７〜９および３１〜３４参照）。このような層は、異なる下にあるおよび／または上にある層を有する他の身体支持体で利用することができ、さらに上に記載した機能の一部または全てを行うことができることに留意すべきである。このような代替の身体支持体は、本発明の精神および範囲内に含まれる。
【図面の簡単な説明】
【０２６５】
【図１】本発明の第１の実施形態による身体支持体の断面斜視図である。
【図１−Ａ】図１に示した身体支持体の層の材料の詳細図である。
【図１−Ｂ】図１に示した身体支持体の別の層の材料の詳細図である。
【図２】本発明の別の実施形態による身体支持体の断面斜視図である。
【図２−Ａ】図２に示した身体支持体の層の材料の詳細図である。
【図２−Ｂ】本発明の追加の実施形態による身体支持体の断面斜視図である。
【図３】本発明の追加の実施形態による身体支持体の断面斜視図である。
【図４】本発明の追加の実施形態による身体支持体の断面斜視図である。
【図５】本発明の追加の実施形態による身体支持体の断面斜視図である。
【図６】本発明の追加の実施形態による身体支持体の断面斜視図である。
【図７】本発明の追加の実施形態による身体支持体の分解斜視図である。
【図８】本発明の追加の実施形態による身体支持体の分解斜視図である。
【図９】本発明の追加の実施形態による身体支持体の分解斜視図である。
【図１０】本発明の追加の実施形態による身体支持体の断面斜視図である。
【図１１】本発明の追加の実施形態による身体支持体の断面斜視図である。
【図１２】本発明の追加の実施形態による身体支持体の断面斜視図である。
【図１２−Ａ】図１２に示した身体支持体の層の材料の詳細図である。
【図１３】本発明の追加の実施形態による身体支持体の断面斜視図である。
【図１４】本発明の追加の実施形態による身体支持体の断面斜視図である。
【図１５】本発明の追加の実施形態による身体支持体の断面斜視図である。
【図１６】本発明の追加の実施形態による身体支持体の断面斜視図である。
【図１７】本発明の追加の実施形態による身体支持体の断面斜視図である。
【図１８】本発明の追加の実施形態による身体支持体の断面斜視図である。
【図１９】本発明の追加の実施形態による身体支持体の断面斜視図である。
【図２０】本発明の追加の実施形態による身体支持体の断面斜視図である。
【図２１】本発明の追加の実施形態による身体支持体の断面斜視図である。
【図２２】本発明の追加の実施形態による身体支持体の断面斜視図である。
【図２３】本発明の追加の実施形態による身体支持体の断面斜視図である。
【図２４】本発明の追加の実施形態による身体支持体の断面斜視図である。
【図２５】本発明の追加の実施形態による身体支持体の断面斜視図である。
【図２６】本発明の追加の実施形態による身体支持体の断面斜視図である。
【図２７】本発明の追加の実施形態による身体支持体の断面斜視図である。
【図２８】本発明の追加の実施形態による身体支持体の断面斜視図である。
【図２９】本発明の追加の実施形態による身体支持体の断面斜視図である。
【図３０】本発明の追加の実施形態による身体支持体の断面斜視図である。
【図３１】本発明の追加の実施形態による身体支持体の分解斜視図である。
【図３２】本発明の追加の実施形態による身体支持体の分解斜視図である。
【図３３】本発明の追加の実施形態による身体支持体の分解斜視図である。
【図３４】本発明の追加の実施形態による身体支持体の分解斜視図である。
【図３５】本発明の一実施形態による枕の断面斜視図である。
【図３６】本発明の別の実施形態による枕の断面斜視図である。
【図３７】本発明の別の実施形態による枕の斜視図である。
【図３８】図３７の線３８−３８に沿った、図３７に示した枕の断面図である。
【図３９】本発明の別の実施形態による枕の斜視図である。
【図４０】図３９の線４０−４０に沿った、図３９に示す枕の断面図である。
【図４１】本発明の別の実施形態による枕の斜視図である。
【図４２】図４１の線４２−４２に沿った、図４１に示す枕の断面図である。
【図４３】本発明の一実施形態による身体支持体および土台アセンブリの分解斜視図である。
【図１】
2008543506.tif 000003
【図１Ａ】
2008543506.tif 000004
【図１Ｂ】
2008543506.tif 000005
【図２】
2008543506.tif 000006
【図２Ａ】
2008543506.tif 000007
【図２Ｂ】
2008543506.tif 000008
【図３】
2008543506.tif 000009
【図４】
2008543506.tif 000010
【図５】
2008543506.tif 000011
【図６】
2008543506.tif 000012
【図７】
2008543506.tif 000013
【図８】
2008543506.tif 000014
【図９】
2008543506.tif 000015
【図１０】
2008543506.tif 000016
【図１１】
2008543506.tif 000017
【図１２】
2008543506.tif 000018
【図１２Ａ】
2008543506.tif 000019
【図１３】
2008543506.tif 000020
【図１４】
2008543506.tif 000021
【図１５】
2008543506.tif 000022
【図１６】
2008543506.tif 000023
【図１７】
2008543506.tif 000024
【図１８】
2008543506.tif 000025
【図１９】
2008543506.tif 000026
【図２０】
2008543506.tif 000027
【図２１】
2008543506.tif 000028
【図２２】
2008543506.tif 000029
【図２３】
2008543506.tif 000030
【図２４】
2008543506.tif 000031
【図２５】
2008543506.tif 000032
【図２６】
2008543506.tif 000033
【図２７】
2008543506.tif 000034
【図２８】
2008543506.tif 000035
【図２９】
2008543506.tif 000036
【図３０】
2008543506.tif 000037
【図３１】
2008543506.tif 000038
【図３２】
2008543506.tif 000039
【図３３】
2008543506.tif 000040
【図３４】
2008543506.tif 000041
【図３５】
2008543506.tif 000042
【図３６】
2008543506.tif 000043
【図３７】
2008543506.tif 000044
【図３８】
2008543506.tif 000045
【図３９】
2008543506.tif 000046
【図４０】
2008543506.tif 000047
【図４１】
2008543506.tif 000048
【図４２】
2008543506.tif 000049
【図４３】
2008543506.tif 000050
【国際調査報告】
2008543506.tif 000051
2008543506.tif 000052